(57)【要約】  個人情報が本人の意に反して送信されることを抑制することができる通信端末を提供すること。  本発明の通信端末１は、通信部２０，２００と、第１通信端末に関する第１情報を記憶する第１記憶部１３１と、通信部２０によって第１通信端末とは異なる第２通信端末に送信する情報を作成する情報作成部１２１と、情報作成部１２１により作成された情報が第１情報の一部又は全部を含む場合、前記作成された情報の送信を許可するか否かの返信を要求する情報を、通信部２００から第１通信端末へ送信させる返信要求部１２２と、第１通信端末から前記作成された情報の送信を許可する許可返信が通信部２００により受信された場合、前記作成された情報を通信部２０から第２通信端末に送信させる第１通信許可部１２３と、を備える。
2010110451.tif 000002
【特許請求の範囲】
【請求項１】
少なくとも、記憶部と制御部と通信部とを備え、
前記記憶部は、第１情報を記憶し、
前記制御部は、第１通信端末とは異なる第２通信端末に送信する情報を作成し、
前記作成された情報が前記第１情報の少なくとも一部を含む場合、前記制御部は、前記通信部を介して前記作成された情報の送信許可を前記第１通信端末に要求し、
前記制御部は、前記作成された情報の前記送信許可に対する応答が得られた場合、前記通信部を介して、前記作成された情報を前記第２通信端末に送信する通信端末。
【請求項２】
前記第１情報は、前記第１通信端末に対応する第１識別情報と、該第１識別情報に関連付けられる第１関連情報と、を含むことを特徴とする請求項１に記載の通信端末。
【請求項３】
前記通信部は、通信端末間に通信網を介在させずに通信する第１通信方法により通信を行う第１通信部と、通信端末間に通信網を介在させて通信する第２通信方法により通信を行う第２通信部とを有し、
前記制御部は、前記第１通信端末との通信には、前記第１通信部よりも前記第２通信部を優先的に用いるように制御する請求項１又は２に記載の通信端末。
【請求項４】
少なくとも、記憶部と制御部と通信部とを備え、
前記記憶部は、第１通信端末に対応する第１識別情報と前記第１識別情報に関連付けられる第１関連情報とを含む第１情報を記憶し、
前記通信部は、通信端末間に通信網を介在させずに通信する第１通信方法により通信を行う第１通信部と、通信端末間に通信網を介在させて通信する第２通信方法により通信を行う第２通信部とを有し、
前記制御部は、前記第１通信端末と異なる第２通信端末に前記第１通信方法により前記第１情報を送信することが選択されたときに、前記第１通信方法とは異なる第２通信方法により前記第１通信端末に送信許可を要求し、
前記制御部は、前記第１通信方法により前記送信許可に対する応答が得られた場合は、前記第２通信端末に対して、前記第２通信方法により前記第１情報を送信する通信端末。
【請求項５】
前記制御部は、前記通信部が返信を要求する情報を送信してからの時間が所定時間を超えた場合は、前記第１情報の一部又は全部の前記第２通信端末への送信を不許可とする請求項２に記載の通信端末。
【請求項６】
少なくとも、記憶部と制御部と通信部とを備え、
前記記憶部は、第１識別情報と前記第１識別情報に関連付けられる第１関連情報とを含む第１情報を記憶し、
前記第１情報が第２通信端末に送信する情報として選択されたときに、前記制御部は、前記通信部を介して第１通信端末に送信許可を要求し、
前記制御部は、前記送信許可に対する応答を得るまでの時間を計測し、
前記制御部は、前記応答を得るまでの時間が所定時間を超えた場合には、前記送信許可が得られなかったと判断し、
前記制御部は、前記応答を得るまでの時間が所定時間を超える前に、前記送信許可が得られた場合は、前記通信部を介して前記第１情報を送信し、
前記制御部は、前記送信許可が得らなかったと判断した後に、前記通信部を介して前記第２通信端末に対して、前記第１情報を暗号化した第１暗号化情報を送信する通信端末。
【請求項７】
第１通信端末と、
前記第１通信端末に関連する第１識別情報及び第１関連情報を前記第１通信端末とは異なる通信端末に送信可能なメイン通信端末と、
前記メイン通信端末から送信された前記第１識別情報及び前記第１関連情報を受信可能な第２通信端末と、を備え、
前記メイン通信端末は、少なくとも、記憶部と制御部と通信部とを備え、
前記記憶部は、前記第１通信端末に対応する前記第１識別情報と前記第１識別情報に関連付けられる前記第１関連情報とを含む第１情報を記憶し、
前記第１情報が前記第２通信端末に送信する情報として選択されたときに、前記制御部は、前記通信部を介して前記第１通信端末に前記第１情報の送信許可を要求し、
前記制御部は、前記送信許可に対する応答が得られた場合は、前記通信部を介して前記第２通信端末に対して、前記第１情報を送信する通信システム。
【請求項８】
第１通信端末と、
前記第１通信端末に関連する第１識別情報及び第１関連情報を前記第１通信端末とは異なる通信端末に送信可能なメイン通信端末と、
前記メイン通信端末から送信された前記第１識別情報及び前記第１関連情報を受信可能な第２通信端末と、を備え、
前記メイン通信端末は、少なくとも、記憶部と制御部と通信部とを備え、
前記記憶部は、前記第１識別情報と前記第１識別情報に関連付けられる前記第１関連情報とを含む第１情報を記憶し、
前記通信部は、通信端末間に通信網を介在させずに通信する第１通信方法により通信を行う第１通信部と、通信端末間に通信網を介在させて通信する第２通信方法により通信を行う第２通信部とを有し、
前記第２通信端末に前記第１通信方法により前記第１情報を送信することが選択されたときに、前記制御部は、前記通信部を介して第１通信端末に前記第１情報の送信許可を要求し、
前記制御部は、前記第２通信方法により前記送信許可に対する応答が得られた場合は、前記第２通信端末に対して、前記第１通信方法により前記第１情報を送信する通信システム。
【請求項９】
所定の復号キー情報を送信可能な第１通信端末と、
前記第１通信端末に関連する第１識別情報、第１関連情報又は前記第１関連情報を暗号化処理した暗号化情報を、前記第１通信端末とは異なる第２通信端末に送信可能なメイン通信端末と、
前記メイン通信端末から送信された前記第１識別情報、前記第１関連情報又は前記暗号化情報を受信可能な第２通信端末と、を備え、
前記メイン通信端末は、
少なくとも、記憶部と制御部と通信部とを備え、
前記記憶部は、前記第１識別情報と前記第１識別情報に関連付けられる前記第１関連情報を含む第１情報を記憶し、
前記第１情報が前記第２通信端末に送信される情報として選択されたときに、前記制御部は、前記通信部を介して前記第１通信端末に送信許可を要求し、
前記制御部は、前記第１通信端末に送信許可に対する応答を得るまでの時間を計測し、
前記第１通信端末から送信許可に対する応答を得るまでの時間が所定時間を超えた場合には、前記制御部は、前記送信許可が得られなかったと判断し、
前記制御部は、前記応答を得るまでの時間が所定時間を超える前に、前記送信許可が得られた場合は、前記通信部を介して前記第１情報を送信し、
前記制御部は、前記送信許可が得らなかったと判断した後に、前記通信部を介して前記第２通信端末に対して、前記第１情報を暗号化した第１暗号化情報を送信する通信システム。
【請求項１０】
復号キー情報を送信可能な第１通信端末と、
前記第１通信端末に関連する第１識別情報及び前記第１識別情報に関連付けられる第１関連情報における全部又は一部を暗号化処理した暗号化情報を前記第１通信端末とは異なる第２通信端末に送信可能なメイン通信端末と、
前記メイン通信端末から送信された前記暗号化情報を受信可能な第２通信端末と、
前記第１通信端末から送信された前記復号キー情報を受信可能であると共に、前記第２通信端末へ前記復号キー情報を送信可能なサーバと、を備え、
前記メイン通信端末は、少なくとも、メイン通信端末側記憶部とメイン通信端末側制御部とメイン通信部とを備え、
前記第１通信端末に対応する第１識別情報と前記第１識別情報に関連付けられる第１関連情報とを含む第１情報、及び前記第２通信端末に対応する第２識別情報と前記第２識別情報に関連付けられる第２関連情報とを含む第２情報を記憶し、
前記第１情報が前記第２通信端末に送信する情報として選択されたときに、メイン通信端末側制御部は、前記第１情報を暗号化して暗号化情報を生成し、
メイン通信端末側制御部は、メイン通信部を介して前記暗号化情報の前記第２通信端末への送信許可を要求し、
メイン通信端末側制御部は、前記第１情報が前記第２通信端末に送信されたことを伝える通知情報と前記第１識別情報と前記第２識別情報とを含む第１通知情報を、メイン通信部を介してサーバに送信し、
前記サーバは、少なくとも、サーバ側記憶部とサーバ側制御部とサーバ通信部を備え、
前記サーバ側記憶部は、受信した前記第１通知情報に含まれる前記第１識別情報及び前記第２識別情報、及び前記第１通信端末から送信された前記復号キー情報を記憶可能であり、
前記サーバ側制御部は、前記第１通知情報が受信された場合、前記メイン通信端末から前記第２通信端末に第１情報が送信されたことを伝える通知情報と前記サーバ側記憶部に記憶される前記第２識別情報とを含む第２通知情報を、前記サーバ通信部を介して前記サーバ側記憶部に記憶される前記第１識別情報により特定される前記第１通信端末へ送信し、
前記第１通信端末は、少なくとも、第１通信端末側記憶部と第１通信端末側制御部と第１通信端末側通信部を備え、
前記第１通信端末側記憶部は、前記第１識別情報、前記第１通信端末側通信部により受信された前記第２通知情報に含まれる前記第２識別情報、及び前記復号キー情報を記憶する通信システム。
【請求項１１】
復号キー情報を送信可能な第１通信端末と、
前記第１通信端末に関連する第１識別情報及び前記第１識別情報に関連付けられる第１関連情報を含む第１情報を暗号化処理した暗号化情報を前記第１通信端末とは異なる第２通信端末に送信可能なメイン通信端末と、
前記メイン通信端末から送信された前記暗号化情報を受信可能な第２通信端末と、
前記第１通信端末から送信された前記復号キー情報を受信可能であると共に、前記第２通信端末へ前記復号キー情報を送信可能なサーバと、を備え、
前記メイン通信端末は、少なくとも、記憶部と制御部と通信部とを備え、
前記第１情報、及び前記第２通信端末に対応する第２識別情報と前記第２識別情報に関連付けられる第２関連情報とを含む第２情報を記憶し、
前記第１情報が前記第２通信端末に送信する情報として選択されたときに、前記制御部は、暗号化情報を生成し、
前記制御部は、前記通信部を介して前記第２通信端末に対し、第１通信方法により前記暗号化情報の送信許可を要求し、
前記制御部は、前記サーバに対し、前記第１情報が前記第２通信端末に送信されたことを伝える通知情報と前記第１識別情報と前記第２識別情報とを含む第１通知情報を、前記第１通信方法とは異なる第２通信方法により送信し、
前記サーバは、少なくとも、サーバ側記憶部とサーバ側制御部とサーバ通信部とを備え、
前記サーバ側記憶部は、前記第２通信方法により受信された前記第１通知情報に含まれる前記第１識別情報及び前記第２識別情報と、前記第１通信端末から送信された前記復号キー情報を記憶可能であり、
前記サーバ側制御部は、前記第２通信方法により前記第１通知情報が受信された場合、前記サーバ側記憶部に記憶される前記第１識別情報により特定される前記第１通信端末に対し、前記メイン通信端末から前記第２通信端末に前記第１識別情報及び前記第１関連情報における全部又は一部が送信されたことを伝える通知情報と前記サーバ側記憶部に記憶される前記第２識別情報とを含む第２通知情報を、前記第２通信方法により送信し、
前記第１通信端末は、少なくとも、第１通信端末側記憶部を備え、
第１通信端末側記憶部は、前記第１識別情報、前記第２通信方法により受信された前記第２通知情報に含まれる前記第２識別情報、及び前記復号キー情報を記憶する通信システム。
【請求項１２】
前記第１通信端末は、
第２通信方法により通信可能な第１通信端末側第２通信部と、
前記第１通信端末側第２通信部により前記第２通知情報が受信された場合、前記第１通信端末側第２通信部に対して、前記第１通信端末側記憶部に記憶される前記復号キー情報を前記サーバへ送信させる第１通信端末側復号キー情報送信部と、を備え、
前記第２通信端末は、
前記第１通信方法により通信を行う第２通信端末側第１通信部と、
前記第１通信方法とは異なる前記第２通信方法により通信を行う第２通信端末側第２通信部と、
前記第２通信端末側第１通信部により受信した前記暗号化情報を記憶する第２通信端末側記憶部と、
前記第２通信端末側第２通信部に対し、前記サーバに前記復号キー情報を要求する第１要求情報を送信させる第２通信端末側復号キー情報要求部と、
前記サーバから送信された前記復号キー情報に含まれる復号キーに基づいて、前記第２通信端末側記憶部に記憶される前記暗号化情報を復号処理する復号処理部と、を備え、
前記サーバは、
第２通信方法により通信可能なサーバ側第２通信部と、
前記サーバ側第２通信部により前記第１要求情報を受信した場合、前記サーバ側第２通信部に対し、前記サーバ側記憶部に記憶される前記復号キー情報を前記サーバ側記憶部に記憶される前記第２識別情報により特定される前記第２通信端末へ送信させるサーバ側復号キー情報送信部と、を備える請求項１１に記載の通信システム。
【請求項１３】
前記サーバは、
前記サーバ側第２通信部により前記第１要求情報を受信した場合、前記サーバ側記憶部に前記復号キー情報が記憶されているか否かを判定するサーバ側判定部と、
前記サーバ側判定部により前記サーバ側記憶部に前記暗号化情報が記憶されていないと判定された場合、前記サーバ側第２通信部に対して、前記暗号化情報の送信を要求する第２要求情報を前記第１通信端末へ送信させるサーバ側復号キー情報要求部と、を備える請求項１２に記載の通信システム。
【請求項１４】
前記第１通信端末は、
前記第１通信端末側第２通信部に対して、前記第１通信端末側記憶部に記憶される前記復号キー情報を前記第２通信端末に送信することを許可しない不許可情報を前記サーバへ送信させる不許可情報送信部と、を備え、
前記サーバは、
前記サーバ側第２通信部により前記不許可情報が受信された場合、前記サーバ側第２通信部に対して、前記第２通信端末側記憶部に記憶される前記暗号化情報を消去させる指示を含む第１消去指示情報を前記第２通信端末へ送信させる第１消去指示情報送信部と、を備え、
前記第２通信端末は、
前記第２通信端末側第２通信部により前記第１消去指示情報が受信された場合、前記第２通信端末側記憶部に記憶される前記暗号化情報を消去する第２通信端末側消去部と、を備える請求項１２又は１３に記載の通信システム。
【請求項１５】
前記サーバは、
前記サーバ側第２通信部により前記不許可情報が受信された場合、前記サーバ側記憶部に記憶される前記復号キー情報を消去するサーバ側消去部と、を備える請求項１４に記載の通信システム。
【請求項１６】
前記第２通信端末は、
前記第２通信端末側第１通信部により前記暗号化情報が受信されてからの時間を計測する第２通信端末側計時部と、を備え、
前記第２通信端末側消去部は、前記第２通信端末側計時部により計測された時間が所定時間を経過した場合、前記第２通信端末側記憶部に記憶された前記暗号化情報を消去する請求項１４又は１５に記載の通信システム。
【請求項１７】
前記メイン通信端末は、
選択された情報が前記第１情報である場合、前記通信部に対して、前記第１情報の送信を許可するか否かの返信を要求する返信要求情報を前記第１識別情報により特定される前記第１通信端末へ送信させる返信要求部と、
前記通信部より前記返信要求情報が送信されてからの時間を計測する計時部と、
前記計時部により計測された時間が所定時間を超えた場合には、前記通信部による前記第１情報の前記第２通信端末への送信を不許可とし、前記計時部により計測された時間が所定時間を超える前に前記通信部により前記第１通信端末から返信された前記第１情報の送信を許可する許可返信が受信された場合には、前記通信部による前記第１情報の前記第２通信端末への送信を許可する第１送信許可部と、
前記第１情報を暗号化処理して前記暗号化情報を生成する暗号化処理部と、を備え、
前記暗号化処理部は、前記第１送信許可部により前記通信部による前記第１情報の前記第２通信端末への送信が不許可とされた場合、前記第１情報の暗号化処理を行う請求項１１から１５のいずれかに記載の通信システム。
【請求項１８】
第１識別情報により識別可能であり、当該第１識別情報を暗号化して生成される第１暗号化情報を復号可能な第１復号キー情報を送信可能な第１通信端末と、
第２識別情報により識別可能であり、当該第２識別情報に関連する第２関連情報を暗号化して生成される第２暗号化情報を復号可能な第２復号キー情報を送信可能な第２通信端末と、
前記第１暗号化情報を前記第２通信端末に送信可能であり、前記第２暗号化情報を前記第１通信端末に送信可能なメイン通信端末と、を備え、
前記メイン通信端末は、少なくとも、メイン通信端末側記憶部とメイン通信端末側制御部とを備え、
前記メイン通信端末側記憶部は、前記第１識別情報及び前記第２関連情報を記憶し、
前記第１識別情報が前記第２通信端末に送信される情報として選択されたときに、前記メイン通信端末側制御部は、前記第２通信端末に対して、前記第１識別情報を暗号化して生成された第１暗号化情報を送信するように制御すると共に、前記第１通信端末に対して、前記第２関連情報を暗号化して生成された第２暗号化情報を送信するように制御し、
前記第１通信端末は、少なくとも、第１通信端末側記憶部と第１通信端末側制御部とを備え、
前記第１通信端末側記憶部は、前記第１復号キー情報を記憶し、
前記第１通信端末側制御部は、前記メイン通信端末から前記第２暗号化情報を受信した場合には、前記第２通信端末に対して、前記第１通信端末側記憶部に記憶される前記第１復号キー情報を送信可能となるように制御し、
前記第２通信端末は、少なくとも、第２通信端末側記憶部と第２通信端末側制御部とを備え、
前記第２通信端末側記憶部は、前記第２復号キー情報を記憶し、
前記第２通信端末側制御部は、前記第１通信端末から受信した前記第１復号キー情報により、前記メイン通信端末から受信した前記第１暗号化情報を復号するように制御した場合に、前記第２通信端末側記憶部に記憶される前記第２復号キー情報を前記第１通信端末に送信するように制御する通信システム。
【請求項１９】
第１識別情報により識別可能な第１通信端末と、
第２識別情報により識別可能な第２通信端末と、
第１暗号化情報を前記第２通信端末に送信可能であり、第２暗号化情報を前記第１通信端末に送信可能なメイン通信端末と、
前記第１識別情報を暗号化して生成される第１暗号化情報を復号可能な第１復号キー情報が送信可能であり、前記第２識別情報に関連する第２関連情報を暗号化して生成される第２暗号化情報を復号可能な第２復号キー情報を送信可能なサーバと、を備え、
前記メイン通信端末は、少なくとも、メイン通信端末側記憶部とメイン通信端末側制御部と通信部を備え、
前記メイン通信端末側記憶部は、前記第１識別情報及び前記第２関連情報を記憶し、
前記第１識別情報が前記第２通信端末に送信される情報として選択されたときに、前記メイン通信端末側制御部は、前記通信部を介して前記第２通信端末に対して、前記第１識別情報を暗号化して生成された第１暗号化情報を送信すると共に、前記通信部を介して前記第１通信端末に対して、前記第２関連情報を暗号化して生成された第２暗号化情報を送信し、
前記第１通信端末は、少なくとも、第１通信端末側記憶部と第１通信端末側制御部とを備え、
前記第１通信端末側記憶部は、前記第１復号キー情報を記憶し、
前記第１通信端末側制御部は、前記メイン通信端末から前記第２暗号化情報を受信した場合に、前記サーバに対して、前記第１通信端末側記憶部に記憶される前記第１復号キー情報を送信可能となるように制御し、
前記第２通信端末は、少なくとも、第２通信端末側記憶部と第２通信端末側制御部と第２通信部とを備え、
前記第２通信端末側記憶部は、前記第２復号キー情報を記憶し、
前記第２通信端末側制御部は、前記メイン通信端末から前記第１暗号化情報を受信した場合に、前記第２通信部を介して前記サーバに対して、前記第２通信端末側記憶部に記憶される前記第２復号キー情報を送信し、
前記サーバは、少なくとも、サーバ側制御部とサーバ通信部を備え、
前記サーバ側制御部は、前記第１通信端末から前記第１復号キー情報及び前記第２通信端末から前記第２復号キー情報を受信した場合に、前記サーバ通信部を介して前記第１通信端末に対して、前記第２復号キー情報を送信すると共に、前記第２通信端末に対して、前記第１復号キー情報を送信する通信システム。
【発明の詳細な説明】
【技術分野】
【０００１】
本発明は、携帯電話機等の通信端末に関する。また、本発明は、携帯電話機等の通信端末を複数含む通信システムに関する。
【背景技術】
【０００２】
従来、通信端末としての携帯電話機は、所定の通信網を利用する通信方法とは異なる通信方法としての赤外線通信やＢｌｕｅｔｏｏｔｈ（登録商標）等により他の通信端末と通信可能となっている。例えば、通信端末は、赤外線通信やＢｌｕｅｔｏｏｔｈにより他の通信端末に対して通信網を介することなく直接的に情報を送信することができる。赤外線通信を利用する場合、複数の通信端末それぞれに配置される赤外線通信部同士を近接させることで簡易に情報を送信又は受信できるので、ユーザや知人のプロフィール等の個人情報が容易に送信又は受信される。【０００３】
ここで、例えば、Ｂｌｕｅｔｏｏｔｈを利用した通信で個人情報を送信する際、スクランブルして送信する無線通信装置が提案されている（例えば、特許文献１参照）。
【先行技術文献】
【特許文献】
【０００４】
【特許文献１】特開２００３−３７５９２号公報
【発明の概要】
【発明が解決しようとする課題】
【０００５】
しかし、特許文献１の発明では、外部の第三者に対しては個人情報の漏洩を防止できるが、個人情報が送信者のものとは異なる場合、その個人情報に係る本人の了承を得ない状態で（意に反して）個人情報が送信されることや、個人情報が誰に送信されたのかが不明な状態が続くことを抑制できるものではない。【０００６】
本発明は、個人情報が本人の意に反して送信されることを抑制することができる通信端末を提供することを一の目的とする。
本発明は、個人情報の送信先が本人に対して不明な状態が続くことを抑制することが可能な通信端末を提供することを他の目的とする。
また、本発明は、上記通信端末を含む通信システムを提供することを目的とする。
【課題を解決するための手段】
【０００７】
本発明は、少なくとも、記憶部と制御部と通信部とを備え、前記記憶部は、第１情報を記憶し、前記制御部は、第１通信端末とは異なる第２通信端末に送信する情報を作成し、前記作成された情報が前記第１情報の少なくとも一部を含む場合、前記制御部は、前記通信部を介して前記作成された情報の送信許可を前記第１通信端末に要求し、前記制御部は、前記作成された情報の前記送信許可に対する応答が得られた場合、前記通信部を介して、前記作成された情報を前記第２通信端末に送信する通信端末に関する。【０００８】
また、前記第１情報は、前記第１通信端末に対応する第１識別情報と、該第１識別情報に関連付けられる第１関連情報と、を含むことが好ましい。【０００９】
また、前記通信部は、通信端末間に通信網を介在させずに通信する第１通信方法により通信を行う第１通信部と、通信端末間に通信網を介在させて通信する第２通信方法により通信を行う第２通信部とを有し、前記制御部は、前記第１通信端末との通信には、前記第１通信部よりも前記第２通信部を優先的に用いるように制御することが好ましい。【００１０】
また、本発明は、少なくとも、記憶部と制御部と通信部とを備え、前記記憶部は、第１通信端末に対応する第１識別情報と前記第１識別情報に関連付けられる第１関連情報とを含む第１情報を記憶し、前記通信部は、通信端末間に通信網を介在させずに通信する第１通信方法により通信を行う第１通信部と、通信端末間に通信網を介在させて通信する第２通信方法により通信を行う第２通信部とを有し、前記制御部は、前記第１通信端末と異なる第２通信端末に前記第１通信方法により前記第１情報を送信することが選択されたときに、前記第１通信方法とは異なる第２通信方法により前記第１通信端末に送信許可を要求し、前記制御部は、前記第１通信方法により前記送信許可に対する応答が得られた場合は、前記第２通信端末に対して、前記第２通信方法により前記第１情報を送信する通信端末に関する。【００１１】
また、前記制御部は、前記通信部が返信を要求する情報を送信してからの時間が所定時間を超えた場合は、前記第１情報の一部又は全部の前記第２通信端末への送信を不許可とすることが好ましい。【００１２】
また、本発明は、少なくとも、記憶部と制御部と通信部とを備え、前記記憶部は、第１識別情報と前記第１識別情報に関連付けられる第１関連情報とを含む第１情報を記憶し、前記第１情報が第２通信端末に送信する情報として選択されたときに、前記制御部は、前記通信部を介して第１通信端末に送信許可を要求し、前記制御部は、前記送信許可に対する応答を得るまでの時間を計測し、前記制御部は、前記応答を得るまでの時間が所定時間を超えた場合には、前記送信許可が得られなかったと判断し、前記制御部は、前記応答を得るまでの時間が所定時間を超える前に、前記送信許可が得られた場合は、前記通信部を介して前記第１情報を送信し、前記制御部は、前記送信許可が得らなかったと判断した後に、前記通信部を介して前記第２通信端末に対して、前記第１情報を暗号化した第１暗号化情報を送信する通信端末に関する。【００１３】
また、本発明は、第１通信端末と、前記第１通信端末に関連する第１識別情報及び第１関連情報を前記第１通信端末とは異なる通信端末に送信可能なメイン通信端末と、前記メイン通信端末から送信された前記第１識別情報及び前記第１関連情報を受信可能な第２通信端末と、を備え、前記メイン通信端末は、少なくとも、記憶部と制御部と通信部とを備え、前記記憶部は、前記第１通信端末に対応する前記第１識別情報と前記第１識別情報に関連付けられる前記第１関連情報とを含む第１情報を記憶し、前記第１情報が前記第２通信端末に送信する情報として選択されたときに、前記制御部は、前記通信部を介して前記第１通信端末に前記第１情報の送信許可を要求し、前記制御部は、前記送信許可に対する応答が得られた場合は、前記通信部を介して前記第２通信端末に対して、前記第１情報を送信する通信システムに関する。【００１４】
また、本発明は、第１通信端末と、前記第１通信端末に関連する第１識別情報及び第１関連情報を前記第１通信端末とは異なる通信端末に送信可能なメイン通信端末と、前記メイン通信端末から送信された前記第１識別情報及び前記第１関連情報を受信可能な第２通信端末と、を備え、前記メイン通信端末は、少なくとも、記憶部と制御部と通信部とを備え、前記記憶部は、前記第１識別情報と前記第１識別情報に関連付けられる前記第１関連情報とを含む第１情報を記憶し、前記通信部は、通信端末間に通信網を介在させずに通信する第１通信方法により通信を行う第１通信部と、通信端末間に通信網を介在させて通信する第２通信方法により通信を行う第２通信部とを有し、前記第２通信端末に前記第１通信方法により前記第１情報を送信することが選択されたときに、前記制御部は、前記通信部を介して第１通信端末に前記第１情報の送信許可を要求し、前記制御部は、前記第２通信方法により前記送信許可に対する応答が得られた場合は、前記第２通信端末に対して、前記第１通信方法により前記第１情報を送信する通信システムに関する。【００１５】
また、本発明は、所定の復号キー情報を送信可能な第１通信端末と、前記第１通信端末に関連する第１識別情報、第１関連情報又は前記第１関連情報を暗号化処理した暗号化情報を、前記第１通信端末とは異なる第２通信端末に送信可能なメイン通信端末と、前記メイン通信端末から送信された前記第１識別情報、前記第１関連情報又は前記暗号化情報を受信可能な第２通信端末と、を備え、前記メイン通信端末は、少なくとも、記憶部と制御部と通信部とを備え、前記記憶部は、前記第１識別情報と前記第１識別情報に関連付けられる前記第１関連情報を含む第１情報を記憶し、前記第１情報が前記第２通信端末に送信される情報として選択されたときに、前記制御部は、前記通信部を介して前記第１通信端末に送信許可を要求し、前記制御部は、前記第１通信端末に送信許可に対する応答を得るまでの時間を計測し、前記第１通信端末から送信許可に対する応答を得るまでの時間が所定時間を超えた場合には、前記制御部は、前記送信許可が得られなかったと判断し、前記制御部は、前記応答を得るまでの時間が所定時間を超える前に、前記送信許可が得られた場合は、前記通信部を介して前記第１情報を送信し、前記制御部は、前記送信許可が得らなかったと判断した後に、前記通信部を介して前記第２通信端末に対して、前記第１情報を暗号化した第１暗号化情報を送信する通信システムに関する。【００１６】
また、本発明は、復号キー情報を送信可能な第１通信端末と、前記第１通信端末に関連する第１識別情報及び前記第１識別情報に関連付けられる第１関連情報における全部又は一部を暗号化処理した暗号化情報を前記第１通信端末とは異なる第２通信端末に送信可能なメイン通信端末と、前記メイン通信端末から送信された前記暗号化情報を受信可能な第２通信端末と、前記第１通信端末から送信された前記復号キー情報を受信可能であると共に、前記第２通信端末へ前記復号キー情報を送信可能なサーバと、を備え、前記メイン通信端末は、少なくとも、メイン通信端末側記憶部とメイン通信端末側制御部とメイン通信部とを備え、前記第１通信端末に対応する第１識別情報と前記第１識別情報に関連付けられる第１関連情報とを含む第１情報、及び前記第２通信端末に対応する第２識別情報と前記第２識別情報に関連付けられる第２関連情報とを含む第２情報を記憶し、前記第１情報が前記第２通信端末に送信する情報として選択されたときに、メイン通信端末側制御部は、前記第１情報を暗号化して暗号化情報を生成し、メイン通信端末側制御部は、メイン通信部を介して前記暗号化情報の前記第２通信端末への送信許可を要求し、メイン通信端末側制御部は、前記第１情報が前記第２通信端末に送信されたことを伝える通知情報と前記第１識別情報と前記第２識別情報とを含む第１通知情報を、メイン通信部を介してサーバに送信し、前記サーバは、少なくとも、サーバ側記憶部とサーバ側制御部とサーバ通信部を備え、前記サーバ側記憶部は、受信した前記第１通知情報に含まれる前記第１識別情報及び前記第２識別情報、及び前記第１通信端末から送信された前記復号キー情報を記憶可能であり、前記サーバ側制御部は、前記第１通知情報が受信された場合、前記メイン通信端末から前記第２通信端末に第１情報が送信されたことを伝える通知情報と前記サーバ側記憶部に記憶される前記第２識別情報とを含む第２通知情報を、前記サーバ通信部を介して前記サーバ側記憶部に記憶される前記第１識別情報により特定される前記第１通信端末へ送信し、前記第１通信端末は、少なくとも、第１通信端末側記憶部と第１通信端末側制御部と第１通信端末側通信部を備え、前記第１通信端末側記憶部は、前記第１識別情報、前記第１通信端末側通信部により受信された前記第２通知情報に含まれる前記第２識別情報、及び前記復号キー情報を記憶する通信システムに関する。【００１７】
また、本発明は、復号キー情報を送信可能な第１通信端末と、前記第１通信端末に関連する第１識別情報及び前記第１識別情報に関連付けられる第１関連情報を含む第１情報を暗号化処理した暗号化情報を前記第１通信端末とは異なる第２通信端末に送信可能なメイン通信端末と、前記メイン通信端末から送信された前記暗号化情報を受信可能な第２通信端末と、前記第１通信端末から送信された前記復号キー情報を受信可能であると共に、前記第２通信端末へ前記復号キー情報を送信可能なサーバと、を備え、前記メイン通信端末は、少なくとも、記憶部と制御部と通信部とを備え、前記第１情報、及び前記第２通信端末に対応する第２識別情報と前記第２識別情報に関連付けられる第２関連情報とを含む第２情報を記憶し、前記第１情報が前記第２通信端末に送信する情報として選択されたときに、前記制御部は、暗号化情報を生成し、前記制御部は、前記通信部を介して前記第２通信端末に対し、第１通信方法により前記暗号化情報の送信許可を要求し、前記制御部は、前記サーバに対し、前記第１情報が前記第２通信端末に送信されたことを伝える通知情報と前記第１識別情報と前記第２識別情報とを含む第１通知情報を、前記第１通信方法とは異なる第２通信方法により送信し、前記サーバは、少なくとも、サーバ側記憶部とサーバ側制御部とサーバ通信部とを備え、前記サーバ側記憶部は、前記第２通信方法により受信された前記第１通知情報に含まれる前記第１識別情報及び前記第２識別情報と、前記第１通信端末から送信された前記復号キー情報を記憶可能であり、前記サーバ側制御部は、前記第２通信方法により前記第１通知情報が受信された場合、前記サーバ側記憶部に記憶される前記第１識別情報により特定される前記第１通信端末に対し、前記メイン通信端末から前記第２通信端末に前記第１識別情報及び前記第１関連情報における全部又は一部が送信されたことを伝える通知情報と前記サーバ側記憶部に記憶される前記第２識別情報とを含む第２通知情報を、前記第２通信方法により送信し、前記第１通信端末は、少なくとも、第１通信端末側記憶部を備え、第１通信端末側記憶部は、前記第１識別情報、前記第２通信方法により受信された前記第２通知情報に含まれる前記第２識別情報、及び前記復号キー情報を記憶する通信システムに関する。【００１８】
また、前記第１通信端末は、第２通信方法により通信可能な第１通信端末側第２通信部と、前記第１通信端末側第２通信部により前記第２通知情報が受信された場合、前記第１通信端末側第２通信部に対して、前記第１通信端末側記憶部に記憶される前記復号キー情報を前記サーバへ送信させる第１通信端末側復号キー情報送信部と、を備え、前記第２通信端末は、前記第１通信方法により通信を行う第２通信端末側第１通信部と、前記第１通信方法とは異なる前記第２通信方法により通信を行う第２通信端末側第２通信部と、前記第２通信端末側第１通信部により受信した前記暗号化情報を記憶する第２通信端末側記憶部と、前記第２通信端末側第２通信部に対し、前記サーバに前記復号キー情報を要求する第１要求情報を送信させる第２通信端末側復号キー情報要求部と、前記サーバから送信された前記復号キー情報に含まれる復号キーに基づいて、前記第２通信端末側記憶部に記憶される前記暗号化情報を復号処理する復号処理部と、を備え、前記サーバは、第２通信方法により通信可能なサーバ側第２通信部と、前記サーバ側第２通信部により前記第１要求情報を受信した場合、前記サーバ側第２通信部に対し、前記サーバ側記憶部に記憶される前記復号キー情報を前記サーバ側記憶部に記憶される前記第２識別情報により特定される前記第２通信端末へ送信させるサーバ側復号キー情報送信部と、を備えることが好ましい。【００１９】
また、前記サーバは、前記サーバ側第２通信部により前記第１要求情報を受信した場合、前記サーバ側記憶部に前記復号キー情報が記憶されているか否かを判定するサーバ側判定部と、前記サーバ側判定部により前記サーバ側記憶部に前記暗号化情報が記憶されていないと判定された場合、前記サーバ側第２通信部に対して、前記暗号化情報の送信を要求する第２要求情報を前記第１通信端末へ送信させるサーバ側復号キー情報要求部と、を備えることが好ましい。【００２０】
また、前記第１通信端末は、前記第１通信端末側第２通信部に対して、前記第１通信端末側記憶部に記憶される前記復号キー情報を前記第２通信端末に送信することを許可しない不許可情報を前記サーバへ送信させる不許可情報送信部と、を備え、前記サーバは、前記サーバ側第２通信部により前記不許可情報が受信された場合、前記サーバ側第２通信部に対して、前記第２通信端末側記憶部に記憶される前記暗号化情報を消去させる指示を含む第１消去指示情報を前記第２通信端末へ送信させる第１消去指示情報送信部と、を備え、前記第２通信端末は、前記第２通信端末側第２通信部により前記第１消去指示情報が受信された場合、前記第２通信端末側記憶部に記憶される前記暗号化情報を消去する第２通信端末側消去部と、を備えることが好ましい。【００２１】
また、前記サーバは、前記サーバ側第２通信部により前記不許可情報が受信された場合、前記サーバ側記憶部に記憶される前記復号キー情報を消去するサーバ側消去部と、を備えることが好ましい。【００２２】
また、前記第２通信端末は、前記第２通信端末側第１通信部により前記暗号化情報が受信されてからの時間を計測する第２通信端末側計時部と、を備え、前記第２通信端末側消去部は、前記第２通信端末側計時部により計測された時間が所定時間を経過した場合、前記第２通信端末側記憶部に記憶された前記暗号化情報を消去することが好ましい。【００２３】
また、前記メイン通信端末は、選択された情報が前記第１情報である場合、前記通信部に対して、前記第１情報の送信を許可するか否かの返信を要求する返信要求情報を前記第１識別情報により特定される前記第１通信端末へ送信させる返信要求部と、前記通信部より前記返信要求情報が送信されてからの時間を計測する計時部と、前記計時部により計測された時間が所定時間を超えた場合には、前記通信部による前記第１情報の前記第２通信端末への送信を不許可とし、前記計時部により計測された時間が所定時間を超える前に前記通信部により前記第１通信端末から返信された前記第１情報の送信を許可する許可返信が受信された場合には、前記通信部による前記第１情報の前記第２通信端末への送信を許可する第１送信許可部と、前記第１情報を暗号化処理して前記暗号化情報を生成する暗号化処理部と、を備え、前記暗号化処理部は、前記第１送信許可部により前記通信部による前記第１情報の前記第２通信端末への送信が不許可とされた場合、前記第１情報の暗号化処理を行うことが好ましい。【００２４】
また、本発明は、第１識別情報により識別可能であり、当該第１識別情報を暗号化して生成される第１暗号化情報を復号可能な第１復号キー情報を送信可能な第１通信端末と、第２識別情報により識別可能であり、当該第２識別情報に関連する第２関連情報を暗号化して生成される第２暗号化情報を復号可能な第２復号キー情報を送信可能な第２通信端末と、前記第１暗号化情報を前記第２通信端末に送信可能であり、前記第２暗号化情報を前記第１通信端末に送信可能なメイン通信端末と、を備え、前記メイン通信端末は、少なくとも、メイン通信端末側記憶部とメイン通信端末側制御部とを備え、前記メイン通信端末側記憶部は、前記第１識別情報及び前記第２関連情報を記憶し、前記第１識別情報が前記第２通信端末に送信される情報として選択されたときに、前記メイン通信端末側制御部は、前記第２通信端末に対して、前記第１識別情報を暗号化して生成された第１暗号化情報を送信するように制御すると共に、前記第１通信端末に対して、前記第２関連情報を暗号化して生成された第２暗号化情報を送信するように制御し、前記第１通信端末は、少なくとも、第１通信端末側記憶部と第１通信端末側制御部とを備え、前記第１通信端末側記憶部は、前記第１復号キー情報を記憶し、前記第１通信端末側制御部は、前記メイン通信端末から前記第２暗号化情報を受信した場合には、前記第２通信端末に対して、前記第１通信端末側記憶部に記憶される前記第１復号キー情報を送信可能となるように制御し、前記第２通信端末は、少なくとも、第２通信端末側記憶部と第２通信端末側制御部とを備え、前記第２通信端末側記憶部は、前記第２復号キー情報を記憶し、前記第２通信端末側制御部は、前記第１通信端末から受信した前記第１復号キー情報により、前記メイン通信端末から受信した前記第１暗号化情報を復号するように制御した場合に、前記第２通信端末側記憶部に記憶される前記第２復号キー情報を前記第１通信端末に送信するように制御する通信システムに関する。【００２５】
また、本発明は、第１識別情報により識別可能な第１通信端末と、第２識別情報により識別可能な第２通信端末と、第１暗号化情報を前記第２通信端末に送信可能であり、第２暗号化情報を前記第１通信端末に送信可能なメイン通信端末と、前記第１識別情報を暗号化して生成される第１暗号化情報を復号可能な第１復号キー情報が送信可能であり、前記第２識別情報に関連する第２関連情報を暗号化して生成される第２暗号化情報を復号可能な第２復号キー情報を送信可能なサーバと、を備え、前記メイン通信端末は、少なくとも、メイン通信端末側記憶部とメイン通信端末側制御部と通信部を備え、前記メイン通信端末側記憶部は、前記第１識別情報及び前記第２関連情報を記憶し、前記第１識別情報が前記第２通信端末に送信される情報として選択されたときに、前記メイン通信端末側制御部は、前記通信部を介して前記第２通信端末に対して、前記第１識別情報を暗号化して生成された第１暗号化情報を送信すると共に、前記通信部を介して前記第１通信端末に対して、前記第２関連情報を暗号化して生成された第２暗号化情報を送信し、前記第１通信端末は、少なくとも、第１通信端末側記憶部と第１通信端末側制御部とを備え、前記第１通信端末側記憶部は、前記第１復号キー情報を記憶し、前記第１通信端末側制御部は、前記メイン通信端末から前記第２暗号化情報を受信した場合に、前記サーバに対して、前記第１通信端末側記憶部に記憶される前記第１復号キー情報を送信可能となるように制御し、前記第２通信端末は、少なくとも、第２通信端末側記憶部と第２通信端末側制御部と第２通信部とを備え、前記第２通信端末側記憶部は、前記第２復号キー情報を記憶し、前記第２通信端末側制御部は、前記メイン通信端末から前記第１暗号化情報を受信した場合に、前記第２通信部を介して前記サーバに対して、前記第２通信端末側記憶部に記憶される前記第２復号キー情報を送信し、前記サーバは、少なくとも、サーバ側制御部とサーバ通信部を備え、前記サーバ側制御部は、前記第１通信端末から前記第１復号キー情報及び前記第２通信端末から前記第２復号キー情報を受信した場合に、前記サーバ通信部を介して前記第１通信端末に対して、前記第２復号キー情報を送信すると共に、前記第２通信端末に対して、前記第１復号キー情報を送信する通信システムに関する。
【発明の効果】
【００２６】
本発明によれば、個人情報が本人の意に反して送信されることを抑制することができる通信端末を提供することができる。
また、本発明によれば、個人情報の送信先が本人に対して不明な状態が続くことを抑制することが可能な通信端末を提供することができる。
また、本発明は、上記通信端末を含む通信システムを提供することができる。
【図面の簡単な説明】
【００２７】
【図１】メイン携帯電話機１を含む通信システムＳの概要を説明する図である。
【図２】開いた状態におけるメイン携帯電話機１を示す外観斜視図である。
【図３】第１実施形態に係るメイン携帯電話機１における回路構成を説明する回路ブロック図である。
【図４】第１実施形態に係るメイン携帯電話機１における機能構成を説明する機能ブロック図である。
【図５】第１実施形態の通信システムに係る実施例１−１における動作を示すシーケンス図である。
【図６】実施例１−１における返信要求メールの一例である。
【図７】第１実施形態の通信システムに係る実施例１−２における動作を示すシーケンス図である。
【図８】実施例１−２における不許可報知メールの一例である。
【図９】第２実施形態に係るメイン携帯電話機１Ａにおける機能構成を説明する機能ブロック図である。
【図１０】第２実施形態に係る第１携帯電話機Ａ２における機能構成を説明する機能ブロック図である。
【図１１】第２実施形態に係る第２携帯電話機Ｂ２における機能構成を説明する機能ブロック図である。
【図１２】第２実施形態の通信システムに係る実施例２−１における動作を示すシーケンス図である。
【図１３】実施例２−１及び２−２における暗号化情報送信済報知メールの一例である。
【図１４】第２実施形態の通信システムに係る実施例２−２における動作を示すシーケンス図である。
【図１５】第２実施形態の通信システムに係る実施例２−３における動作を示すシーケンス図である。
【図１６】実施例２−３における暗号化情報送信済報知メールの一例である。
【図１７】第３実施形態に係るメイン携帯電話機１Ｂにおける機能構成を説明する機能ブロック図である。
【図１８】第３実施形態に係る第１携帯電話機Ａ３における機能構成を説明する機能ブロック図である。
【図１９】第３実施形態の通信システムに係る実施例３における動作を示すシーケンス図である。
【図２０】実施例３におけるデータ送信済報知メールの一例である。
【図２１】第１識別・関連情報が送信回数情報と制限回数情報とを含む場合の動作を示すフローチャートである。
【図２２】メイン携帯電話機１Ｄを含む通信システムＳの概要を説明する図である。
【図２３】開いた状態におけるメイン携帯電話機１Ｄを示す外観斜視図である。
【図２４】第４実施形態に係るメイン携帯電話機１Ｄにおける回路構成を説明する回路ブロック図である。
【図２５】第４実施形態に係るメイン携帯電話機１Ｄにおける機能構成を説明する機能ブロック図である。
【図２６】第４実施形態に係る第１携帯電話機Ａ４における機能構成を説明する機能ブロック図である。
【図２７】第４実施形態に係る第２携帯電話機Ｂ４における機能構成を説明する機能ブロック図である。
【図２８】第４実施形態に係るサーバＷにおける機能構成を説明する機能ブロック図である。
【図２９】第４実施形態の通信システムＳに係る実施例４−１における動作を示すシーケンス図である。
【図３０】実施例４−１における返信要求メールの一例である。
【図３１】実施例４−１における第２通知情報メールの一例である。
【図３２】第４実施形態の通信システムＳに係る実施例４−２における動作を示すシーケンス図である。
【図３３】実施例４−２における第２要求情報メールの一例である。
【図３４】実施例４−２における第３通知情報メールの一例である。
【図３５】第４実施形態の通信システムＳに係る実施例４−３における動作を示すシーケンス図である。
【図３６】第４実施形態の通信システムＳに係る実施例４−４における動作を示すシーケンス図である。
【図３７】第４実施形態の通信システムＳに係る実施例４−５における動作を示すシーケンス図である。
【図３８】第５実施形態に係るメイン携帯電話機１Ｆの機能構成を説明する機能ブロック図である。
【図３９】第５実施形態に係る第１携帯電話機Ａ５の機能構成を説明する機能ブロック図である。
【図４０】第５実施形態に係る第２携帯電話機Ｂ５の機能構成を説明する機能ブロック図である。
【図４１】第５実施形態の通信システムＳに係る動作を示すシーケンス図である。
【図４２】第６実施形態に係るサーバＷ１の機能構成を説明する機能ブロック図である。
【図４３】第６実施形態の通信システムＳに係る動作を示すシーケンス図である。
【図４４】送信された情報に付加されるアドレス帳情報を示す図である。
【発明を実施するための形態】
【００２８】
以下、図面を参照して本発明を実施するための形態を説明する。
まず、図１により、（メイン）通信端末としてのメイン携帯電話機１と、第１通信端末としての第１携帯電話機Ａ１と、第２通信端末としての第２携帯電話機Ｂ１とを含む通信システムＳについて説明する。
図１は、メイン携帯電話機１を含む通信システムＳの概要を説明する図である。
【００２９】
図１に示すように、通信システムＳは、メイン携帯電話機１と、第１携帯電話機Ａ１と、第２携帯電話機Ｂ１と、を含む。ここで、第１携帯電話機Ａ１、メイン携帯電話機１及び第２携帯電話機Ｂ１のユーザを、それぞれユーザＸ、ユーザＹ及びユーザＺという。
メイン携帯電話機１は、第１携帯電話機Ａ１及び第２携帯電話機Ｂ１に対して、通信網Ｎを介する無線通信（第２通信方法）により、所定の情報を送信及び受信が可能である。また、メイン携帯電話機１は、赤外線通信（第１通信方法）により、第２携帯電話機Ｂ１と所定の情報を送信及び受信が可能である。
【００３０】
メイン携帯電話機１から第２携帯電話機Ｂ１に所定の情報を赤外線通信にて送信する場合、メイン携帯電話機１は、第２携帯電話機Ｂ１に近接して配置される。一方、第１携帯電話機Ａ１は、メイン携帯電話機１や第２携帯電話機Ｂ１とは離間した位置に配置される。つまり、メイン携帯電話機１は、第１携帯電話機Ａ１のユーザ（ユーザＸ）に対して、ユーザＸの個人情報を送信してよいか直接確認できない位置に配置される。この状態においても、本実施形態における通信システムＳは効果を奏する。
【００３１】
次いで、図２により、第１実施形態の通信システムＳに係るメイン携帯電話機１の構成について詳述する。図２は、開いた状態におけるメイン携帯電話機１を示す外観斜視図である。
【００３２】
図２に示すように、メイン携帯電話機１は、筐体としての操作部側筐体２と、表示部側筐体３と、を備える。操作部側筐体２と表示部側筐体３とは、ヒンジ機構を備える連結部４を介して開閉可能に連結される。具体的には、操作部側筐体２の上端部と表示部側筐体３の下端部とは、ヒンジ機構を有する連結部４を介して連結される。これにより、メイン携帯電話機１は、ヒンジ機構を介して連結された操作部側筐体２と表示部側筐体３とを相対的に動かすことが可能に構成される。つまり、メイン携帯電話機１は、操作部側筐体２と表示部側筐体３とが開いた状態（開状態）と、操作部側筐体２と表示部側筐体３とが折り畳まれた状態（閉状態）とにすることができる。ここで、閉状態とは、両筐体が互いに重なるように配置された状態をいう。開状態とは、両筐体が互いに重ならないように配置された状態をいう。
【００３３】
操作部側筐体２は、外面がフロントケース２ａとリアケース２ｂとにより構成される。操作部側筐体２は、フロントケース２ａ側において、入力部としての操作キー群１１と、メイン携帯電話機１の使用者が通話時に発した音声が入力されるマイク１２とがそれぞれ露出するように構成される。
【００３４】
操作キー群１１は、各種設定や電話帳機能やメール機能等の各種機能を作動させるための機能設定操作キー１３と、電話番号の数字やメール等の文字等を入力するための入力操作キー１４と、各種操作における決定や上下左右方向のスクロール等を行う決定操作キー１５とにより構成される。操作キー群１１を構成する各キーそれぞれには、操作部側筐体２と表示部側筐体３との開閉状態や各種モードや起動されているアプリケーション等の種類に応じて所定の機能が割り当てられる（キー・アサイン）。そして、使用者が各キーを押圧することにより、各キーに割り当てられている機能に応じた動作が実行される。
【００３５】
マイク１２は、操作部側筐体２の長手方向における連結部４側と反対の外端部側に配置される。つまり、マイク１２は、メイン携帯電話機１が開状態において一方の外端部側に配置される。
【００３６】
操作部側筐体２における一方側の側面には、外部機器（例えば、ホスト装置）と通信を行うためのインターフェース（図示せず）が配置される。操作部側筐体２の他方側の側面には、所定の機能が割り当てられているサイドキーと、外部メモリの挿入及び取り出しが行われるインターフェース（図示せず）とが配置される。インターフェースは、キャップにより覆われている。各インターフェースは、不使用時にはキャップにより覆われる。
【００３７】
表示部側筐体３は、外面がフロントケース３ａと、リアケース３ｂとにより構成される。表示部側筐体３におけるフロントケース３ａには、各種情報を表示するための表示部２１と、通話の相手側の音声を出力するレシーバとしてのスピーカ２２と、が露出するように配置される。ここで、表示部２１は、液晶パネルと、この液晶パネルを駆動する駆動回路と、この液晶パネルの背面側から光を照射するバックライト等の光源部とから構成される。
【００３８】
続けて、図３により、メイン携帯電話機１の回路構成について説明する。図３は、第１実施形態に係るメイン携帯電話機１における回路構成を説明する回路ブロック図である。
図３に示すように、メイン携帯電話機１は、操作部側筐体２に、第２通信部としての無線通信部２００と、入力部としての操作部１０１と、マイク１２と、ＬＣＤ制御部４２と、音声処理部４３と、メモリ４４と、ＣＰＵ４５と、電源部４６と、制御ＩＣ４７と、計時部としてのタイマー８０と、を備える。また、メイン携帯電話機１は、表示部側筐体３に、表示部２１と、スピーカ２２と、ドライバＩＣ２５と、第１通信部としての赤外線通信部２０と、を備える。
なお、赤外線通信部２０に代えて又は赤外線通信部２０に加えて、例えばＢｌｕｅｔｏｏｔｈ（ＩＥＥＥ  ８０２．１５．１、登録商標）による通信部を備えていてもよい。
【００３９】
無線通信部２００は、アンテナ部９０と、通信処理部２０１と、を備える。
無線通信部２００は、所定の情報を外部に送受信可能に構成される。無線通信部２００は、赤外線通信とは異なる電波を利用した方法により通信を行う（第２通信方法）。無線通信部２００は、所定の情報を所定の通信網Ｎを介して第１携帯電話機Ａに送信することができる（図１参照）。無線通信部２００は、例えば、所定の情報を、電子メールの本文として又は電子メールに添付して送信することができる。
【００４０】
無線通信部２００は、例えば、メールアドレス、電話番号などのアドレス情報（第１識別情報）や、氏名、住所、プロフィールなどのプロフィール情報（第１関連情報）や、他の携帯電話機のユーザ（ユーザＺ）に所定の情報を送信することを許可する旨の返信を促す情報や、所定の情報を送信することを許可する情報や、所定の暗号化情報を復号するための復号キーを含む復号キー情報などの送信が可能である。
【００４１】
アンテナ部９０は、所定の通信方式（例えば、ＣＤＭＡ（Ｃｏｄｅ  Ｄｉｖｉｓｉｏｎ  Ｍｕｌｉｔｉｐｌｅ  Ａｃｃｅｓｓ）２０００＿１ｘ等）に基づいて、基地局を介して他の通信端末装置との間で、電話による通信、メールによる通信等を行う。
【００４２】
通信処理部２０１は、送信処理を行う送信回路と受信処理を行う受信回路とにより構成される。通信処理部２０１は、アンテナ部９０によって受信した信号を受信回路により復調処理し、処理後の信号をＣＰＵ４５に供給する。また、通信処理部２０１は、ＣＰＵ４５から供給された信号を送信回路により変調処理し、アンテナ部９０を介して基地局に送信する。
【００４３】
操作部１０１は、操作キー群１１を含んで構成される。
【００４４】
ＬＣＤ制御部４２は、ＣＰＵ４５の制御にしたがって、入力された画像データに対して所定の画像処理を行うと共に、画像処理された画像データをドライバＩＣ２５に出力する。ドライバＩＣ２５は、ＬＣＤ制御部４２から入力された画像データをフレームメモリに蓄えると共に、該フレームメモリに蓄えられた画像データを所定のタイミングで表示部２１に出力する。
【００４５】
表示部２１は、ドライバＩＣ２５から入力されたデータに基づいて、所定の文字や画像を表示する。
【００４６】
メモリ４４は、所定のデータを記憶する。具体的には、メモリ４４は、各種機能を動作させるアプリケーションプログラムや、各種データを記憶する各種記憶部を有する（図４参照）。メモリ４４については、後に詳述する。
【００４７】
ＣＰＵ４５は、メイン携帯電話機１の全体を制御する。ＣＰＵ４５は、特に、無線通信部２００と、ＬＣＤ制御部４２と、音声処理部４３とに対して所定の制御を行う。ＣＰＵ４５については、後に詳述する。
【００４８】
音声処理部４３は、ＣＰＵ４５の制御にしたがって、通信処理部２０１から供給された信号に対して所定の音声処理を行うと共に、音声処理された信号をスピーカ２２に出力する。スピーカ２２は、音声処理部４３から供給された信号に基づいて外部に放音（出力）する。また、音声処理部４３は、ＣＰＵ４５の制御にしたがって、マイク１２から入力された信号に対して所定の処理をすると共に、処理された信号を通信処理部２０１に出力する。通信処理部２０１は、音声処理部４３から入力された信号に所定の処理を行うと共に、処理がされた信号をアンテナ部９０に出力する。
【００４９】
電源部４６は、バッテリ（図示せず）を有して構成される。バッテリは、所定容量を有するリチウムイオン電池からなる。
制御ＩＣ４７は、電源部４６から供給される電源電圧を所定の電源電圧に変換し、変換後の電源電圧をメイン携帯電話機１における各部（例えば、ＣＰＵ４５等）に供給する。
【００５０】
タイマー８０は、計時機能を有する。タイマー８０は、所定の時刻からの経過時間を計測し、この経過時間が所定の時間を超えたとき（タイムアップ）に、所定の信号（タイムアップ信号）をＣＰＵ４５に出力可能に構成される。例えば、タイマー８０は、無線通信部２００により返信を要求する情報が送信されてからの時間を計測する。
【００５１】
赤外線通信部２０は、表示部側筐体３における連結部４とは反対側の端部の近傍に配置される。赤外線通信部２０は、ＩｒＤＡ（Ｉｎｆｒａｒｅｄ  Ｄａｔａ  Ａｓｓｏｃｉａｔｉｏｎ）規格に対応して構成される。赤外線通信部２０は、外部に所定の信号を出力可能に構成される。赤外線通信部２０は、後述するメモリ４４に記憶される情報などを外部に出力可能に構成される。
【００５２】
赤外線通信部２０は、メモリ４４に記憶される所定の情報を、外部に配置される同様の赤外線通信部２０Ｂを有する第２携帯電話機Ｂに送信させる。赤外線通信部２０は、無線通信部２００とは異なる通信方法である赤外線を利用した赤外線通信方法（第１通信方法）により情報を送信及び受信することができる。メイン携帯電話機１における通信部２０から送信された情報は、第２通信端末としての第２携帯電話機Ｂにおける通信部２０Ｂにより受信される。
【００５３】
赤外線通信部２０は、メイン携帯電話機１のユーザＹにおけるアドレス情報、プロフィール情報や、第１携帯電話機ＡにおけるユーザＸにおけるアドレス情報、プロフィール情報等を送信することができる。また、赤外線通信部２０は、プロフィール情報等を暗号化処理した暗号化情報を送受信することも可能である。
【００５４】
赤外線通信を行うことが可能な赤外線通信モードにおいて、決定操作キー１５には、第２通信端末としての他の携帯電話機（例えば、第２携帯電話機Ｂ）に対して送信する情報（例えば、アドレス情報、プロフィール情報）を選択することや、選択された情報の送信を決定する機能が割り当てられる。
【００５５】
次に、図４により、第１実施形態に係るメイン携帯電話機１の機能について詳細に説明する。図４は、第１実施形態に係るメイン携帯電話機１における機能構成を説明する機能ブロック図である。ここでは、図４を参照して、メモリ４４に係る機能構成及びＣＰＵ４５に係る機能構成を中心に説明する。
【００５６】
メモリ４４は、第１識別・関連情報記憶部１３１と、第１選択情報記憶部１３２と、返信要求情報記憶部１３３と、第２識別・関連情報記憶部１３４と、不許可報知情報記憶部１３５と、返信情報記憶部１３６と、を有する。
【００５７】
第１識別・関連情報記憶部１３１は、第１携帯電話機Ａ１に対応する第１識別情報と、第１識別情報に関連付けられる第１関連情報とを記憶する。第１識別情報は、第１携帯電話機Ａ１又はそのユーザ（ユーザＸ）に対応する情報であり、例えば、ユーザＸのメールアドレス、電話番号（アドレス情報）などである。第１関連情報は、第１識別情報に関連付けられる情報であり、例えば、ユーザＸの氏名、住所、プロフィール（プロフィール情報）、ユーザＸの顔写真などである。
【００５８】
第１選択情報記憶部１３２は、後述するＣＰＵ４５の選択部１２１により選択された情報を記憶する。詳細には、ＣＰＵ４５の選択部１２１により選択された「第１識別・関連情報記憶部１３１に記憶される第１識別情報及び第１関連情報の全部又は一部」を記憶する。
なお、「第１識別情報及び第１関連情報の全部又は一部」を、以下「第１識別・関連情報」ともいう。
【００５９】
返信要求情報記憶部１３３は、後述するＣＰＵ４５の返信要求部１２２により送信される返信要求情報を記憶する。
【００６０】
第２識別・関連情報記憶部１３４は、第２携帯電話機Ｂ１に対応する第２識別情報と、第２識別情報に関連付けられる第２関連情報とを記憶する。第２識別情報は、第２携帯電話機Ｂ１又はそのユーザ（ユーザＺ）に対応する情報であり、例えば、ユーザＺのメールアドレス、電話番号（アドレス情報）などである。第２関連情報は、第２識別情報に関連付けられる情報であり、例えば、ユーザＺの氏名、住所、プロフィール（プロフィール情報）、ユーザＺが写った写真などである。
なお、「第２識別情報及び第２関連情報の全部又は一部」を、以下「第２識別・関連情報」ともいう。
【００６１】
不許可報知情報記憶部１３５は、後述するＣＰＵ４５の報知部１２４により送信される不許可報知情報を記憶する。
【００６２】
返信情報記憶部１３６は、第１携帯電話機Ａ１から返信された情報を記憶する。
【００６３】
次に、ＣＰＵ４５の機能構成について説明する。ＣＰＵ４５は、選択部（情報作成部）１２１と、返信要求部１２２と、第１通信許可部１２３と、報知部１２４と、を備える。
なお、メイン携帯電話機１におけるＣＰＵ４５は、第１携帯電話機Ａ１との通信には、赤外線通信部２０よりも無線通信部２００を優先的に用いるように制御する。このように制御することで、第１携帯電話機Ａのユーザ（ユーザＸ）が、メイン携帯電話機１のユーザ（ユーザＹ）の近くにいない場合であっても、通信網Ｎを介する無線通信部２００を用いて、第１携帯電話機Ａ１との通信をより確実に行うことができる。
【００６４】
選択部１２１は、第１識別・関連情報記憶部１３１に記憶される第１識別・関連情報のうち、赤外線通信部２０によって第２携帯電話機Ｂ１に送信する情報を選択する。例えば、選択部１２１は、ユーザＸのメールアドレスを選択する。選択部１２１により選択された第１識別・関連情報を「第１選択情報」ともいう。選択部１２１は、第１選択情報をメモリ４４の第１選択情報記憶部１３２に記憶させる。
【００６５】
返信要求部１２２は、選択部１２１により選択された情報が第１識別・関連情報である場合、無線通信部２００に対して、第１識別・関連情報（第１選択情報）の送信を許可するか否かの返信を要求する情報（返信要求情報）を第１携帯電話機Ａ１へ送信させる。例えば、第１選択情報がユーザＸのメールアドレスの場合、無線通信部２００に対して、ユーザＸのメールアドレスの送信を許可するか否かの返信を要求する情報（返信要求情報）を第１携帯電話機Ａ１へ送信させる。
【００６６】
第１通信許可部１２３は、無線通信部２００により第１携帯電話機Ａ１から返信された第１識別・関連情報（第１選択情報）の送信を許可する許可返信が受信された場合、赤外線通信部２０に対して、第１選択情報を第２携帯電話機Ｂ１に送信することを許可する。例えば、無線通信部２００によりユーザＸのメールアドレスの送信を許可する許可返信が受信された場合、赤外線通信部２０に対して、ユーザＸのメールアドレスを第２携帯電話機Ｂ１に送信することを許可する。
【００６７】
また、第１通信許可部１２３は、タイマー８０により計測された時間が所定時間（例えば、５分）を超えた場合、第１識別・関連情報（第１選択情報）の第２携帯電話機Ｂ１への送信を不許可とする。
【００６８】
また、第１通信許可部１２３は、第１識別・関連情報（第１選択情報、例えばユーザＸのメールアドレス）の送信を不許可とした後、無線通信部２００により前記許可返信が受信された場合、選択部１２１により第１選択情報が再度選択された際に第１選択情報を第２携帯電話機Ｂ１に送信することを許可する。
【００６９】
報知部１２４は、タイマー８０により計測された時間が所定時間（例えば、５分）を超え、第１通信許可部１２３により第１識別・関連情報（第１選択情報、例えば、ユーザＸのメールアドレス）の第２携帯電話機Ｂ１への送信が不許可とされた場合、無線通信部２００に対して、不許可報知情報を第１携帯電話機Ａ１へ送信させる。「不許可報知情報」とは、第１通信許可部１２３による第１選択情報（例えば、ユーザＸのメールアドレス）の第２携帯電話機Ｂ１への送信が不許可になったことを報知させる情報である。
【００７０】
第１実施形態に係る第１携帯電話機Ａ１及び第２携帯電話機Ｂ１は、前述したメモリ４４及びＣＰＵ４５の機能構成を除き、第１実施形態に係るメイン携帯電話機１と同様の構成を有する。従って、第１携帯電話機Ａ１及び第２携帯電話機Ｂ１については、メイン携帯電話機１に関する説明を適宜援用し、説明を省略する。
【００７１】
次に、メイン携帯電話機１、第１携帯電話機Ａ１及び第２携帯電話機Ｂ１を含む第１実施形態の通信システムの動作について説明する。以下には、第１実施形態の通信システムに係る実施例として、実施例１−１及び実施例１−２について説明する。実施例１−１は、返信要求メールを送信後、所定時間内に許可返信メールが受信された場合の実施例である。実施例１−２は、返信要求メールを送信後、所定時間内に許可返信メールが受信されなかった場合の実施例である。図５は、第１実施形態の通信システムに係る実施例１−１における動作を示すシーケンス図である。図６は、実施例１−１における返信要求メールの一例である。図７は、第１実施形態の通信システムに係る実施例１−２における動作を示すシーケンス図である。図８は、実施例１−２における不許可報知メールの一例である。
【００７２】
＜実施例１−１＞
実施例１−１における動作について、図５及び図６を参照して説明する。
ユーザＹが、第１識別・関連情報のうちユーザＺに送信しようとする情報を選択する操作を行うと、ステップＳＴ１１１において、ＣＰＵ４５の選択部１２１は、メモリ４４の第１識別・関連情報記憶部１３１に記憶される第１識別・関連情報のうち、ユーザＺが所有する第２携帯電話機Ｂ１に送信する情報（第１選択情報）を選択する。本実施例では、第１選択情報は、ユーザＸのメールアドレスである。そして、選択部１２１は、第１選択情報を、メモリ４４の第１選択情報記憶部１３２に記憶する。
【００７３】
ステップＳＴ１１２において、ＣＰＵ４５の返信要求部１２２は、第１選択情報が第１識別・関連情報である場合、無線通信部２００に対して、第１選択情報の送信を許可するか否かの返信を要求する情報（返信要求情報）を第１携帯電話機Ａ１へ送信させる。ここで、返信要求情報は、メモリ４４の返信要求情報記憶部１３３に記憶されている。
【００７４】
本実施例では、返信要求部１２２は、ユーザＸへ第１選択情報（メールアドレス）の送信を許可するか否かの返信を要求するメール（返信要求メール）を送信する。この返信要求メールには、例えば、図６に示すように、「ユーザＺにあなた（ユーザＸ）のメールアドレスを送信します。よろしいですか？  ＯＫ／ＮＧ」との確認及び返信を要求する内容や、ユーザＺのプロフィール（例えば、「ユーザＺは、ユーザＹの職場の同僚である」）が含まれる。
【００７５】
ステップＳＴ１１３において、タイマー８０は、無線通信部２００により返信要求情報（返信要求メール）が送信されてからの時間（経過時間）を計測（計時）する。
【００７６】
ユーザＸが返信要求メールを確認し、第１識別・関連情報の送信を許可する返信（許可返信）を送信する操作（「ＯＫ」を選択）が行われると、ステップＳＴ１１４において、第１携帯電話機Ａ１のＣＰＵ４５Ａは、無線通信部２００Ａに対して、許可返信メールを送信させる。これにより、第１携帯電話機Ａ１の無線通信部２００Ａから許可返信メールが送信される。
【００７７】
タイマー８０により計測された経過時間が所定時間（例えば、５分）となるまでに、無線通信部２００を介して許可返信メールが第２携帯電話機Ｂ１に受信された場合には、ステップＳＴ１１５において、第１通信許可部１２３は、赤外線通信部２０に対して、選択部１２１により選択された第１識別・関連情報（第１選択情報記憶部１３２に記憶された第１選択情報）を第２携帯電話機Ｂ１に送信することを許可する。
【００７８】
ステップＳＴ１１６において、赤外線通信部２０を介して第１識別・関連情報（ユーザＸのメールアドレス）がメイン携帯電話機１から第２携帯電話機Ｂ１へ送信される。
【００７９】
このように、実施例１−１においては、ユーザＸの許可を条件として、第１識別・関連情報（ユーザＸのメールアドレス）が、ユーザＺの所有する第２携帯電話機Ｂ１に送信される。
【００８０】
なお、実施例１−１において、第１携帯電話機Ａ１から、第１識別・関連情報の送信を許可しない返信メールが送信された場合、及び前記許可返信メールが送信されない場合には、第１識別・関連情報（ユーザＸのメールアドレス）がメイン携帯電話機１から第２携帯電話機Ｂ１へ送信されることはない。
【００８１】
＜実施例１−２＞
実施例１−２における動作について、図７及び図８を参照して説明する。
実施例１−２におけるステップＳＴ１２１からＳＴ１２３は、それぞれ実施例１−１におけるＳＴ１１１からＳＴ１１３と同様であるため、説明を省略する。
【００８２】
タイマー８０により計測された経過時間が所定時間（例えば、５分）を超えても、第１携帯電話機Ａ１からの許可返信メールが受信されない場合には、ステップＳＴ１２４において、タイマー８０は、計時を終了する。
【００８３】
タイマー８０が計時を終了すると、ステップＳＴ１２５において、第１通信許可部１２３は、第１識別・関連情報の第２携帯電話機Ｂ１への送信を不許可とする（認めない）。
【００８４】
そして、タイマー８０により計測された経過時間が所定時間を超え、第１通信許可部１２３により第１識別・関連情報の第２携帯電話機Ｂ１への送信が不許可とされると、ステップＳＴ１２６において、報知部１２４は、メモリ４４の不許可報知情報記憶部１３５に記憶される不許可報知情報（第１通信許可部による第１識別・関連情報の第２携帯電話機Ｂ１への送信が不許可となったことを報知させる情報）を、第１携帯電話機Ａ１に送信させる。
【００８５】
本実施例では、図８に示すように、報知部１２４は、「あなた（ユーザＸ）から返信が来ないので、ユーザＺへのメールアドレスの送信を保留しています。ユーザＺへのメールアドレスの送信を許可する場合には、その旨の返信をお願いします」という内容の不許可報知メール（キャンセルメール）を送信する。
【００８６】
不許可報知メールが送信されてから所定時間が経過した後、ステップＳＴ１２７において、ユーザＸの操作により、第１携帯電話機Ａ１の無線通信部２００から、第１選択情報の第２携帯電話機Ｂ１への送信を許可する返信（許可返信）又は第１選択情報の第２携帯電話機Ｂ１への送信を不許可とする返信（不許可返信）が送信される。そして、この許可返信又は不許可返信は、メイン携帯電話機１の無線通信部２００に受信される。
【００８７】
ステップＳＴ１２８において、メイン携帯電話機１に受信された許可返信又は不許可返信は、メモリ４４の返信情報記憶部１３６に記憶される。
【００８８】
第１識別・関連情報の送信が不許可とされた後、メイン携帯電話機１に許可返信が受信されている場合、ステップＳＴ１２９において、第１通信許可部１２３は、選択部１２１により第１識別・関連情報が再度選択された際に第１識別・関連情報を第２携帯電話機Ｂ１に送信することを許可する。
【００８９】
ステップＳＴ１３０において、赤外線通信部２０を介して第１識別・関連情報（ユーザＸのメールアドレス）がメイン携帯電話機１から第２携帯電話機Ｂ１へ送信される。
【００９０】
このように、実施例１−２においては、ユーザＸの許可返信がタイマー８０により計時される所定時間内に受信されなかったとしても、その後、許可返信が受信されれば、第１識別・関連情報（ユーザＸのメールアドレス）が、ユーザＺの所有する第２携帯電話機Ｂ１に送信される。
【００９１】
なお、無線通信部２００により不許可返信が受信された場合、選択部１２１により第１識別・関連情報が再度選択されたとしても、第１通信許可部１２３は、第１識別・関連情報を第２携帯電話機Ｂ１に送信することを許可しない。
【００９２】
以上の説明の通り、第１実施形態によれば、第１携帯電話機Ａ１（ユーザＸ）からの許可返信メールが受信された場合にのみ、メイン携帯電話機１（ユーザＹ）から第２携帯電話機Ｂ１（ユーザＺ）に第１識別・関連情報（ユーザＸのメールアドレス）が送信される。そのため、ユーザＸの個人情報である第１識別・関連情報がユーザＸの許可なく（意に反して）ユーザＺに送信されることを防止することができる。個人情報の送信先が本人に対して不明な状態が続くことを防止できる。
【００９３】
また、実施例１−２のように、所定時間内に第１携帯電話機Ａ１（ユーザＸ）からの許可返信メールが受信されなかったとしても、その後、許可返信メールが受信されると、ユーザＸに再度許可を求めなくても、メイン携帯電話機１（ユーザＹ）から第２携帯電話機Ｂ１（ユーザＺ）に第１識別・関連情報（ユーザＸのメールアドレス）が送信される。
【００９４】
次に、第２実施形態の通信システムＳについて説明する。第２実施形態の通信システムＳは、メイン携帯電話機１Ａと、第１携帯電話機Ａ２と、第２携帯電話機Ｂ２とを含む。
図９は、第２実施形態に係るメイン携帯電話機１Ａにおける機能構成を説明する機能ブロック図である。図１０は、第２実施形態に係る第１携帯電話機Ａ２における機能構成を説明する機能ブロック図である。図１１は、第２実施形態に係る第２携帯電話機Ｂ２における機能構成を説明する機能ブロック図である。図１２は、第２実施形態の通信システムに係る実施例２−１における動作を示すシーケンス図である。図１３は、実施例２−１及び２−２における暗号化情報送信済報知メールの一例である。図１４は、第２実施形態の通信システムに係る実施例２−２における動作を示すシーケンス図である。図１５は、第２実施形態の通信システムに係る実施例２−３における動作を示すシーケンス図である。図１６は、実施例２−３における暗号化情報送信済報知メールの一例である。
【００９５】
図９を参照して、メイン携帯電話機１Ａにおけるメモリ４４に係る機能構成及びＣＰＵ４５に係る機能構成を中心に説明する。特に説明しない構成は、図４に示す第１実施形態におけるメイン携帯電話機１と同様の構成を有しており、説明を省略する。
【００９６】
第２実施形態に係るメイン携帯電話機１Ａにおいては、メモリ４４は、第１識別・関連情報記憶部２３１と、第１選択情報記憶部２３２と、返信要求情報記憶部２３３と、第２識別・関連情報記憶部２３４と、暗号化情報記憶部２３５と、第３記憶部としての第３情報記憶部２３６と、復号キー情報記憶部２３７と、を有する。
第２実施形態における関連情報記憶部２３１、第１選択情報記憶部２３２、返信要求情報記憶部２３３及び第２識別・関連情報記憶部２３４は、それぞれ、第１実施形態における関連情報記憶部１３１、第１選択情報記憶部１３２、返信要求情報記憶部１３３及び第２識別・関連情報記憶部１３４と同様であるため、説明を省略する。
【００９７】
暗号化情報記憶部２３５には、後述する暗号化処理部２２４により生成される暗号化情報が記憶される。
【００９８】
第３情報記憶部２３６には、第３情報が記憶される。第３情報は、複数の通信端末それぞれに対応する複数の第３識別情報と、複数の第３識別情報それぞれに関連付けられる複数の第３関連情報と、を含む。
第３識別情報は、例えば、ユーザのメールアドレス、電話番号である。第３関連情報は、例えば、そのユーザの氏名、住所、プロフィールである。
【００９９】
復号キー情報記憶部２３７には、復号キー情報が記憶される。復号キー情報は、所定の暗号化情報を復号するための復号キー、復号キーを暗号化情報の復号処理に利用できる回数を制限する利用回数制限情報などを含む。
【０１００】
第２実施形態に係るメイン携帯電話機１Ａにおいては、ＣＰＵ４５は、選択部２２１と、返信要求部２２２と、第１通信許可部２２３と、暗号化処理部２２４と、第２通信許可部２２５と、第２報知部２２６と、第３通信許可部２２７と、を有する。
第２実施形態における選択部２２１、返信要求部２２２及び第１通信許可部２２３は、それぞれ、第１実施形態における選択部１２１、返信要求部１２２及び第１通信許可部１２３と同様であるため、説明を省略する。
【０１０１】
暗号化処理部２２４は、タイマー８０により計測された時間が所定時間を超えたことで第１通信許可部２２３に第１識別・関連情報の送信を不許可とされた場合、第１識別・関連情報を暗号化して暗号化情報を生成する。また、暗号化処理部２２４は、この暗号化情報を復号するための復号キーを含む復号キー情報を、メモリ４４の復号キー情報記憶部２３７に記憶させる。
【０１０２】
第２通信許可部２２５は、赤外線通信部２０に対して、暗号化処理部２２４により生成された暗号化情報を第２携帯電話機Ｂ１に送信することを許可する。
【０１０３】
第２報知部２２６は、メイン携帯電話機１Ａから第２携帯電話機Ｂ２へ暗号化情報が送信される場合、無線通信部２００に対して、第１識別・関連情報を暗号化した暗号化情報を第２携帯電話機Ｂ２に送信したことを報知させる情報を第１携帯電話機Ａ２へ送信させる。
【０１０４】
第３通信許可部２２７は、暗号化情報が第２携帯電話機Ｂ２に送信された後、無線通信部２００により第１携帯電話機Ａ２からの許可返信が受信された場合、無線通信部２００に対して暗号化情報を復号する復号キーを含む復号キー情報を送信することを許可する。また、第３通信許可部２２７は、赤外線通信部２０に対して、復号キー情報記憶部２３７に記憶された復号キー情報を第２携帯電話機Ｂ２に送信することを許可する。また、第３通信許可部２２７は、無線通信部２００に対して、復号キー情報記憶部２３７に記憶された復号キー情報を第１携帯電話機Ａ２に送信することを許可する。
【０１０５】
次に、図１０を参照して、第２実施形態に係る第１携帯電話機Ａ２におけるメモリ４４Ａに係る機能構成及びＣＰＵ４５Ａに係る機能構成を中心に説明する。特に説明しない構成は、第２実施形態におけるメイン携帯電話機１Ａと同様の構成を有しており、説明を省略する。また、第１携帯電話機における各構成のうち、メイン携帯電話機における構成と同様の構成を有するものについては、メイン携帯電話機における構成を示す符号に「Ａ」と付して示す（例えば、メイン携帯電話機における赤外線通信部２０に対して、第１携帯電話機における赤外線通信部２０Ａ）。
【０１０６】
第２実施形態に係る第１携帯電話機Ａ２においては、メモリ４４Ａは、復号キー情報記憶部２５１と、復号キー情報送信情報記憶部２５２とを有する。
【０１０７】
復号キー情報記憶部２５１には、メイン携帯電話機１Ａから送信され、無線通信部２００Ａを介して受信された復号キー情報が記憶される。
復号キー情報送信情報記憶部２５２には、後述するＣＰＵ４５Ａの第１通信端末側報知部２４２によりメイン携帯電話機１Ａへ送信される復号キー情報送信情報が記憶される。
【０１０８】
第２実施形態に係る第１携帯電話機Ａ２においては、ＣＰＵ４５Ａは、第１通信端末側第３通信許可部２４１と、第１通信端末側報知部２４２とを有する。
【０１０９】
第１通信端末側第３通信許可部２４１は、第１携帯電話機Ａ２の無線通信部２００Ａに対して、復号キー情報記憶部２５１に記憶される復号キー情報を第２携帯電話機Ｂ２へ送信させることを許可する。
【０１１０】
第１通信端末側報知部２４２は、第１通信端末側第３通信許可部２４１により復号キー情報の第２携帯電話機Ｂ２への送信がされた場合、無線通信部２００Ａに対し、復号キー情報を第２携帯電話機Ｂ２へ送信したことを報知する情報（復号キー情報送信報知情報）をメイン通信端末１Ａに送信させる。
【０１１１】
次に、図１１を参照して、第２実施形態に係る第２携帯電話機Ｂ２におけるメモリ４４Ｂに係る機能構成及びＣＰＵ４５Ｂに係る機能構成を中心に説明する。特に説明しない構成は、第２実施形態におけるメイン携帯電話機１Ａと同様の構成を有しており、説明を省略する。また、第２携帯電話機における各構成のうち、メイン携帯電話機における構成と同様の構成を有するものについては、メイン携帯電話機における構成を示す符号に「Ｂ」と付して示す（例えば、メイン携帯電話機における赤外線通信部２０に対して、第２携帯電話機における赤外線通信部２０Ｂ）。
【０１１２】
第２実施形態に係る第２携帯電話機Ｂ２においては、タイマー８０Ｂは、メイン通信端末１Ａから送信された暗号化情報を赤外線通信部２０Ｂが受信してからの時間を計測する。
【０１１３】
第２実施形態に係る第２携帯電話機Ｂ２においては、メモリ４４Ｂは、第２暗号化情報記憶部２７１と、復号キー要求情報記憶部２７２とを有する。
【０１１４】
第２暗号化情報記憶部２７１には、メイン携帯電話機１Ａから送信され、赤外線通信部２０Ｂを介して受信された暗号化情報が記憶される。
【０１１５】
復号キー要求情報記憶部２７２には、メイン携帯電話機１Ａに復号キーを要求する情報が記憶される。
【０１１６】
第２実施形態に係る第２携帯電話機Ｂ２においては、ＣＰＵ４５Ｂは、復号処理部２６１と、復号キー要求部２６２と、消去部２６３と、を有する。
【０１１７】
復号処理部２６１は、復号キーを含む情報に基づいて、暗号化情報を復号し、第１識別・関連情報を生成する。
【０１１８】
復号キー要求部２６２は、赤外線通信部２０Ｂによりメイン携帯電話機１Ａから送信された暗号化情報を受信した場合、無線通信部２００Ｂに対して、暗号化情報を復号する復号キーを含む復号キー情報の送信を要求する要求情報（復号キー情報送信要求情報）をメイン携帯電話機１Ａへ送信させる。
【０１１９】
消去部２６３は、タイマー８０Ｂにより計時された経過時間が所定時間を経過した場合、第２暗号化情報記憶部２７１に記憶される暗号化情報を消去する。
【０１２０】
次に、メイン携帯電話機１Ａ、第１携帯電話機Ａ２及び第２携帯電話機Ｂ２を含む第２実施形態の通信システムの動作について説明する。以下には、第２実施形態の通信システムに係る実施例として、実施例２−１、実施例２−２及び実施例２−３について説明する。
【０１２１】
図１２は、第２実施形態の通信システムに係る実施例２−１における動作を示すシーケンス図である。図１３は、実施例２−１及び２−２における暗号化情報送信済報知メールの一例である。図１４は、第２実施形態の通信システムに係る実施例２−２における動作を示すシーケンス図である。図１５は、第２実施形態の通信システムに係る実施例２−３における動作を示すシーケンス図である。図１６は、実施例２−３における暗号化情報送信済報知メールの一例である。
【０１２２】
＜実施例２−１＞
実施例２−１における動作について、図１２及び図１３を参照して説明する。
実施例２−１におけるステップＳＴ２１１からＳＴ２１５は、それぞれ実施例１−２におけるＳＴ１２１からＳＴ１２５と同様であるため、説明を省略する。
【０１２３】
なお、図１２に示すシーケンス図には示さないが、第１通信許可部２２３は、タイマー８０により計測された経過時間が所定時間（例えば、５分）を超える前に無線通信部２００により第１携帯電話機Ａ２から返信された第１識別・関連情報の送信を許可する許可返信が受信された場合には、赤外線通信部２０による第１識別・関連情報の第２携帯電話機Ｂ２への送信を許可する。
【０１２４】
実施例２−１については、ステップＳＴ２１６以降について説明する。
ステップＳＴ２１５において、タイマー８０により計測された経過時間が所定時間（例えば、５分）を超えたことにより、第１通信許可部２２３により第１識別・関連情報の第２携帯電話機Ｂ２への送信が不許可とされた場合には、ステップＳＴ２１６において、暗号化処理部２２４は、第１識別・関連情報を暗号化して暗号化情報を生成する。そして、暗号化処理部２２４は、生成された暗号化情報をメモリ４４の暗号化情報記憶部２３５に記憶させる。
【０１２５】
ステップＳＴ２１７において、第２通信許可部２２５は、赤外線通信部２０に対して、暗号化処理部２２４により生成され且つ暗号化情報記憶部２３５に記憶される暗号化情報を、第２携帯電話機Ｂ２に送信することを許可する。これにより、暗号化情報は、メイン携帯電話機１Ａの赤外線通信部２０から第２携帯電話機Ｂ２に送信される。
【０１２６】
暗号化情報が第２携帯電話機Ｂ２に送信された後、ステップＳＴ２１８において、第２報知部２２６は、暗号化された第１識別・関連情報（暗号化情報）がユーザＺに送信された旨の情報、及び暗号化情報を復号する復号キーなどをユーザＺに送信することの許可を要求する旨の情報を、第１携帯電話機Ａ２に対して報知する。
【０１２７】
本実施例では、図１３に示すように、第２報知部２２６は、「あなた（ユーザＸ）から返信が来なかったのですが、ユーザＺへの暗号化された情報（メールアドレス）の送信が済んでいます。ユーザＺへの暗号化情報の復号キーの送信を許可する場合には、その旨の返信をお願いします。なお、ユーザＺが暗号化情報を受信してから１２時間経過後、復号されない場合には、暗号化情報は消去されます。」旨の内容の暗号化情報送信済報知メールを送信する。
【０１２８】
一方、第２携帯電話機Ｂ２においては、ステップＳＴ２１９において、赤外線通信部２０Ｂにより暗号化情報が受信されると、消去部２６３は、第２通信端末側計時部としてのタイマー８０Ｂに計時を開始させる。これにより、タイマー８０Ｂは、赤外線通信部２０Ｂにより暗号化情報が受信されてからの時間（経過時間）を計測（計時）する。
【０１２９】
その後、暗号化情報送信済報知メールを受信した第１携帯電話機Ａ２においては、ユーザＸの操作により、ステップＳＴ２２０において、第１携帯電話機Ａ２からメイン携帯電話機１Ａへ復号キー情報の送信を許可する旨の返信が送信される。本実施例では、第１携帯電話機Ａ２からメイン携帯電話機１Ａへ許可返信メールが送信される。
【０１３０】
許可返信メールがメイン携帯電話機１Ａにより受信されると、ステップＳＴ２２１において、第３通信許可部２２７は、無線通信部２００に対して復号キー情報を送信することを許可する。これにより、復号キー情報がメイン携帯電話機１Ａの無線通信部２００から第２携帯電話機Ｂ２に送信される。
【０１３１】
タイマー８０Ｂにより計測された経過時間が所定時間（例えば、１２時間）となる前に、復号キー情報が第２携帯電話機Ｂ２に受信されると、ステップＳＴ２２２において、第２携帯電話機Ｂ２の復号処理部２６１は、復号キー情報に基づいて、暗号化情報を復号し、第１識別・関連情報を生成する。これにより、第２携帯電話機Ｂ２（ユーザＺ）において、第１識別・関連情報が得られる。
【０１３２】
このように、実施例２−１においては、ユーザＸの許可が得られていない状態で、第１識別・関連情報（ユーザＸのメールアドレス）を暗号化した状態（暗号化情報）でユーザＺ（第２携帯電話機Ｂ２）に送信した後、ユーザＸの許可が得られた段階で、暗号化情報を復号する復号キー情報をユーザＺ（第２携帯電話機Ｂ２）に送信することができる。
【０１３３】
なお、第２実施形態のように、復号キー情報が、復号キーを暗号化情報の復号処理に利用できる回数を制限する利用回数制限情報を含む場合には、例えば、復号を行う度に、復号キー情報における利用回数制限情報について、利用（可能）回数から「１回」差し引くことができる。これにより、復号を繰り返すと、利用可能回数が「０回」となり、復号キーの利用回数を制限することができ、セキュリティー上好ましい。
復号キーの利用回数の制限は、例えば、コピーガード（コピー回数制限）の技術と同様の技術により実現することができる。これにより、暗号化情報の復号が無制限に行われることを制限することができる。
【０１３４】
＜実施例２−２＞
実施例２−２は、第２携帯電話機Ｂ２が暗号化情報を受信後、所定時間内に第２携帯電話機Ｂ２に復号キー情報が受信されなかった場合の例である。実施例２−２におけるステップＳＴ２１１からＳＴ２１９は、実施例２−１におけるステップＳＴ２１１からＳＴ２１９とそれぞれ同様であるため、説明を省略する。
【０１３５】
実施例２−２については、ステップＳＴ２２３以降について説明する。
図１４に示すように、第２携帯電話機Ｂ２においては、タイマー８０Ｂによる計時の開始から所定時間（例えば、１２時間）が経過すると、ステップＳＴ２２３において、タイマー８０Ｂによる計時を終了する。
【０１３６】
その後、ステップＳＴ２２４において、消去部２６３により、メモリ４４Ｂの第２暗号化情報記憶部２７１に記憶される暗号化情報が消去される。
【０１３７】
このように、実施例２−２においては、暗号化情報が第２携帯電話機Ｂ２に受信された後、所定時間内に復号キー情報が受信されない場合には、復号キー情報が消去される。そのため、第２携帯電話機Ｂ２に受信された暗号化情報がいつまでも第２携帯電話機Ｂ２に残ることがなく、第１識別・関連情報のセキュリティー上好ましい。
【０１３８】
＜実施例２−３＞
実施例２−３は、第２携帯電話機Ｂ２への復号キー情報の送信を、メイン携帯電話機１Ａからではなく、第１携帯電話機Ａ２から行う場合の例である。実施例２−３におけるステップＳＴ２３１からＳＴ２３７は、実施例２−１におけるステップＳＴ２１１からＳＴ２１７と同様であるため、説明を省略する。
【０１３９】
実施例２−３については、ステップＳＴ２３８以降について説明する。
図１５に示すように、暗号化情報が第２携帯電話機Ｂ２に送信された後、ステップＳＴ２３８において、メイン携帯電話機１Ａの第２報知部２２６は、暗号化された第１識別・関連情報（暗号化情報）が第２携帯電話機Ｂ２（ユーザＺ）に送信された旨の情報、及び暗号化情報を復号する復号キーなどをユーザＺに送信することを要求する旨の情報を、第１携帯電話機Ａ２に対して報知する。
【０１４０】
本実施例では、図１６に示すように、第２報知部２２６は、「あなた（ユーザＸ）から返信が来なかったのですが、ユーザＺへの暗号化された情報（メールアドレス）の送信が済んでいます。また、復号キーをあなた（ユーザＸ）に送信しました。ユーザＺから復号キーの要求があった場合には、差し支えなければ、ユーザＺへの復号キーの送信をお願いします。」旨の内容の暗号化情報送信済報知メールを送信する。
【０１４１】
暗号化情報送信済報知メールが送信された後、第３通信許可部２２７は、無線通信部２００に対して、復号キー情報記憶部２３７に記憶された復号キー情報を第１携帯電話機Ａ１に送信することを許可する。これにより、ステップＳＴ２３９において、復号キー情報がメイン携帯電話機１Ａの無線通信部２００から第１携帯電話機Ａ２に送信される。
【０１４２】
第２携帯電話機Ｂ２においては、赤外線通信部２０Ｂによりメイン携帯電話機１Ａから送信された暗号化情報を受信した場合、ステップＳＴ２４０において、復号キー要求部２６２は、第２携帯電話機Ｂ２の無線通信部２００Ｂに対して、復号キー要求情報記憶部２７２に記憶される復号キー要求情報（暗号化情報を復号する復号キーを含む情報）の送信を要求する。本実施例では、第１携帯電話機Ａ２（ユーザＸ）に対して、復号キー情報を要求する旨のメール（復号キー情報要求メール）を送信する。
【０１４３】
第１携帯電話機Ａ２（ユーザＸ）においては、暗号化情報送信済報知メールや復号キー情報要求メールを受信した場合に、第２携帯電話機Ｂ２（ユーザＺ）に復号キー情報を送信してもよいとユーザＸが判断したときには、ユーザＸの操作により、第１通信端末側第３通信許可部２４１は、第１携帯電話機Ａ２の無線通信部２００Ａに対して、復号キー情報記憶部２５１に記憶される復号キー情報を第２携帯電話機Ｂ２へ送信させることを許可する。これにより、ステップＳＴ２４１において、第１携帯電話機Ａ２の無線通信部２００Ａから第２携帯電話機Ｂ２へ復号キー情報が送信される。
【０１４４】
また、ステップＳＴ２４２において、第１通信端末側報知部２４２は、無線通信部２００Ａに対し、復号キー情報を第２携帯電話機Ｂ２へ送信したことをメイン携帯電話機１Ａに報知させる。本実施例においては、復号キー情報を第２携帯電話機Ｂ２へ送信したことを報知するメール（復号キー情報送信済報知メール）を、無線通信部２００Ａからメイン携帯電話機１Ａへ送信する。
【０１４５】
復号キー情報が第２携帯電話機Ｂ２に受信されると、ステップＳＴ２４３において、第２携帯電話機Ｂ２の復号処理部２６１は、復号キー情報に基づいて、暗号化情報を復号し、第１識別・関連情報を生成する。これにより、第２携帯電話機Ｂ２（ユーザＺ）において、第１識別・関連情報が得られる。
【０１４６】
このように、実施例２−３においては、暗号化情報を第２携帯電話機Ｂ２（ユーザＺ）に送信した後における復号キー情報のやり取りを、メイン携帯電話機１Ａ（ユーザＹ）が関与することなく、第１携帯電話機Ａ２（ユーザＸ）と第２携帯電話機Ｂ２（ユーザＺ）との間のやり取りによって行うことができる。従って、メイン携帯電話機１Ａ（ユーザＹ）の負担が低減される。
【０１４７】
次に、第３実施形態の通信システムＳについて説明する。第３実施形態の通信システムＳは、メイン携帯電話機１Ｂと、第１携帯電話機Ａ３と、第２携帯電話機Ｂ３とを含む。
図１７は、第３実施形態に係るメイン携帯電話機１Ｂにおける機能構成を説明する機能ブロック図である。図１８は、第３実施形態に係る第１携帯電話機Ａ３における機能構成を説明する機能ブロック図である。図１９は、第３実施形態の通信システムに係る実施例３における動作を示すシーケンス図である。図２０は、実施例３におけるデータ送信済報知メールの一例である。
【０１４８】
図１７を参照して、メイン携帯電話機１Ｂにおけるメモリ４４に係る機能構成及びＣＰＵ４５に係る機能構成を中心に説明する。特に説明しない構成は、図４に示す第１実施形態におけるメイン携帯電話機１と同様の構成を有しており、説明を省略する。
【０１４９】
第３実施形態に係るメイン携帯電話機１Ｂにおいては、メモリ４４は、第１識別・関連情報記憶部３３１と、第１選択情報記憶部３３２と、返信要求情報記憶部３３３と、第２識別・関連情報記憶部３３４と、を有する。
第３実施形態における関連情報記憶部３３１、第１選択情報記憶部３３２、返信要求情報記憶部３３３及び第２識別・関連情報記憶部３３４は、それぞれ、第１実施形態における関連情報記憶部１３１、第１選択情報記憶部１３２、返信要求情報記憶部１３３及び第２識別・関連情報記憶部１３４と同様であるため、説明を省略する。
【０１５０】
第３実施形態に係るメイン携帯電話機１Ｂにおいては、ＣＰＵ４５は、選択部３２１と、返信要求部３２２と、第１通信許可部３２３と、第４通信許可部３２４と、第３報知部３２５と、を有する。
第３実施形態における選択部３２１、返信要求部３２２及び第１通信許可部３２３は、それぞれ、第１実施形態における選択部１２１、返信要求部１２２及び第１通信許可部１２３と同様であるため、説明を省略する。
【０１５１】
第４通信許可部３２４は、タイマー８０により計測された時間が所定時間を超えた場合には、赤外線通信部２０に対して第１識別・関連情報の第２携帯電話機Ｂ３への送信を許可する。また、第４通信許可部３２４は、無線通信部２００に対して第２識別・関連情報の第１携帯電話機Ａ３への送信を許可する。
【０１５２】
第３報知部３２５は、メイン携帯電話機１Ｂから第２携帯電話機Ｂ３へ第１識別・関連情報が送信される場合、無線通信部２００に対して、第１識別・関連情報を第２携帯電話機Ｂ３に送信したことを報知させる情報を第１携帯電話機Ａ３へ送信させる。
【０１５３】
次に、図１８を参照して、第３実施形態に係る第１携帯電話機Ａ３におけるメモリ４４Ａに係る機能構成及びＣＰＵ４５Ａに係る機能構成を中心に説明する。特に説明しない構成は、第２実施形態における第１携帯電話機Ａ１と同様の構成を有しており、説明を省略する。
【０１５４】
第３実施形態に係る第１携帯電話機Ａ３においては、メモリ４４Ａは、第３情報記憶部３５１と、抽出情報記憶部３５２と、を有する。
【０１５５】
第３情報記憶部３５１には、第３情報が記憶される。第３情報は、複数の通信端末それぞれに対応する複数の第３識別情報と、複数の第３識別情報それぞれに関連付けられる複数の第３関連情報と、を含む。
【０１５６】
抽出情報記憶部３５２は、後述するＣＰＵ４５の抽出部３４２により抽出された所定の第３情報（共通第３情報）を記憶する。
【０１５７】
第３実施形態に係る第１携帯電話機Ａ３においては、ＣＰＵ４５Ａは、比較部３４１と、抽出部３４２と、表示制御部３４３と、を有する。
【０１５８】
比較部３４１は、無線通信部２００Ａにより第２識別・関連情報が受信された場合、第２識別・関連情報と第３情報記憶部３５１に記憶される前記複数の第３情報それぞれとを比較する。
【０１５９】
抽出部３４２は、第３情報記憶部３５１に記憶される複数の第３情報のうち、比較部３４１により第２識別・関連情報と共通する内容を含む所定の第３情報（共通第３情報）を抽出する。
【０１６０】
表示制御部３４３は、抽出部３４２により抽出され抽出情報記憶部３５２に記憶される前記所定の第３情報（共通第３情報）を表示部２１に表示させる。例えば、表示制御部３４３は、ユーザＺの氏名を表示部２１に表示させる。
【０１６１】
次に、メイン携帯電話機１Ｂ、第１携帯電話機Ａ３及び第２携帯電話機Ｂ３を含む第３実施形態の通信システムの動作について説明する。以下には、第３実施形態の通信システムに係る実施例として、実施例３について説明する。
図１９は、第３実施形態の通信システムに係る実施例３における動作を示すシーケンス図である。図２０は、実施例３における第１識別・関連情報送信済報知メール及び第２識別・関連情報報知メールの一例である。
【０１６２】
＜実施例３＞
実施例３における動作について、図１９及び図２０を参照して説明する。
実施例３におけるステップＳＴ３１１からＳＴ３１４は、それぞれ実施例１−２におけるＳＴ１２１からＳＴ１２４と同様であるため、説明を省略する。
【０１６３】
実施例３については、ステップＳＴ３１５以降について説明する。
なお、図１９には示さないが、メイン携帯電話機１Ｂにおける第１通信許可部３２３は、タイマー８０により計測された経過時間が所定時間を超える前に無線通信部２００により第１携帯電話機Ａ３から返信された第１識別・関連情報の送信を許可する許可返信が受信された場合には、赤外線通信部２０に対して選択部３２１により選択された第１識別・関連情報の送信を許可する。
【０１６４】
ステップＳＴ３１５において、第４通信許可部３２４は、タイマー８０により計測された経過時間が所定時間（例えば、５分）を超えた場合には、赤外線通信部２０に対して第１識別・関連情報の第２携帯電話機Ｂ３への送信を許可する。これにより、第１識別・関連情報が第２携帯電話機Ｂ３に送信される。
【０１６５】
ステップＳＴ３１６において、第４通信許可部３２４は、無線通信部２００に対して第２識別・関連情報の第１携帯電話機Ａ３への送信を許可する。
【０１６６】
また、ステップＳＴ３１７において、第３報知部３２５は、無線通信部２００に対して、第２携帯電話機Ｂ３への第１識別・関連情報の送信が済んでいることを報知するメールを送信する。本実施例では、図２０に示すように、第３報知部３２５は、「あなた（ユーザＸ）から返信が来なかったのですが、ユーザＺへのあなた（ユーザＸ）のメールアドレスの送信が済んでいます。その代わりに、ユーザＺのプロフィール情報をお知らせします。」旨のデータ送信済報知メールを送信する。
【０１６７】
また、第１携帯電話機Ａ３においては、ステップＳＴ３１８において、比較部３４１は、無線通信部２００により第２識別・関連情報が受信された場合、第２識別・関連情報と第３情報記憶部３５１に記憶される前記複数の第３情報それぞれとを比較する。
【０１６８】
ステップＳＴ３１９において、抽出部３４２は、第３情報記憶部３５１に記憶される複数の第３情報のうち、比較部３４１により第２識別・関連情報と共通する内容を含む所定の第３情報（共通第３情報）を抽出する。例えば、第２識別・関連情報及び第３情報の両方にユーザＺの氏名がある場合には、抽出部３４２は、ユーザＺの氏名を抽出する。
【０１６９】
ステップＳＴ３２０において、表示制御部３４３は、抽出部３４２により抽出され抽出情報記憶部３５２に記憶される前記所定の第３情報（共通第３情報）を表示部２１に表示させる。
【０１７０】
以上の説明の通り、第３実施形態によれば、第１識別・関連情報の第２携帯電話機Ｂ３への送信と、第２識別・関連情報の第１携帯電話機Ａ３への送信との両方が行われる。そのため、ユーザＸの立場とすれば、自分の情報（第１識別・関連情報）がユーザＺに知られるものの、自分の情報が知られた相手（ユーザＺ）の情報（第２識別・関連情報）も知ることができるため、個人情報が誰に送信されたのかが不明な状態が続くことを防止できる。
また、例えば、ユーザＺの氏名を抽出し、表示部２１に表示させることができるため、自分の情報が知られた相手（ユーザＺ）をユーザＸが容易に視認することができる。
【０１７１】
第３実施形態においては、前述したように、メイン携帯電話機１Ｂの第４通信許可部３２４は、タイマー８０により計測された時間が所定時間を超えた場合には、赤外線通信部２０に対して第１識別・関連情報の第２携帯電話機Ｂ３への送信を許可すると共に、無線通信部２００に対して第２識別・関連情報の第１携帯電話機Ａ３への送信を許可しているが、これに制限されない。
【０１７２】
例えば、メイン携帯電話機１Ｂにおいて、第４通信許可部３２４に代えて、「タイマー８０により計測された時間が所定時間を超えた場合、無線通信部２００に対して第２識別・関連情報を第１携帯電話機Ａ３に送信することを許可する第５通信許可部」（図示せず）を備えることができる。メイン携帯電話機１Ｂがこのような第５通信許可部を備える実施形態においては、第１携帯電話機Ａ３は、第２識別・関連情報を受信することができるので、ユーザＸは、受信した第２識別・関連情報に基づいて、第１識別・関連情報を送信してよいか否かを判断することができる。
【０１７３】
また、第１識別・関連情報は、送信回数に関する送信回数情報と、送信の制限回数に関する情報を含む制限回数情報を含んでいてもよい。そして、第１識別・関連情報が送信回数情報と制限回数情報とを含む場合、前記第１通信部及び／又は前記第２通信部は、前記送信回数情報に含まれる送信回数が、前記制限回数に含まれる送信の制限回数以下の場合、第１識別・関連情報を送信しないように構成されていてもよい。
【０１７４】
図２１は、第１識別・関連情報が送信回数情報と制限回数情報とを含む場合の動作を示すフローチャートである。送信回数の制限は、例えば、コピーガード（コピー回数制限）の技術と同様の技術により実現することができる。
【０１７５】
図２１に示すように、ステップＳＴ４０１において、ユーザＺは、メイン携帯電話機１を操作し、メイン携帯電話機１のアドレス帳からユーザＸのメールアドレスを呼び出す。
ステップＳＴ４０２において、メールアドレスに含まれる送信回数情報における送信（可能）回数と、制限回数情報における制限回数とを比較する。ここで、制限回数は「０回」である。送信可能回数が１回以上（例えば、３回）の場合（ＹＥＳ）には、ステップＳＴ４０３へ進む。また、送信可能回数が０回の場合（ＮＯ）には、処理を終了する（送信が許可されない）。
【０１７６】
送信可能回数が１回以上の場合（ＹＥＳ）には、ステップＳＴ４０３において、メイン携帯電話機１は、ユーザＸのメールアドレスを第２携帯電話機Ｂに送信することができる。
ユーザＸのメールアドレスが送信されると、このメールアドレスに含まれる送信回数情報における送信可能回数から「１回」差し引かれる。例えば、送信可能回数が２回となる。これにより、メイン携帯電話機１からユーザＸのメールアドレスの送信（転送）が無制限に行われることを制限することができる。
【０１７７】
次に、第４実施形態の通信システムＳについて説明する。
まず、図２２により、メイン通信端末としてのメイン携帯電話機１Ｄと、第１通信端末としての第１携帯電話機Ａ４と、第２通信端末としての第２携帯電話機Ｂ４と、サーバＷと、を含む通信システムＳについて説明する。
図２２は、メイン携帯電話機１Ｄを含む通信システムＳの概要を説明する図である。
【０１７８】
図２２に示すように、通信システムＳは、メイン携帯電話機１Ｄと、第１携帯電話機Ａ４と、第２携帯電話機Ｂ４と、サーバＷと、を含む。ここで、第１携帯電話機Ａ４、メイン携帯電話機１Ｄ及び第２携帯電話機Ｂ４のユーザを、それぞれユーザＸ、ユーザＹ及びユーザＺという。
メイン携帯電話機１Ｄは、第１携帯電話機Ａ４、第２携帯電話機Ｂ４及びサーバＷに対して、通信網Ｎを介する無線通信（第２通信方法）により、所定の情報を送信及び受信が可能である。また、メイン携帯電話機１Ｄは、赤外線通信（第１通信方法）により、第２携帯電話機Ｂ４と所定の情報を送信及び受信が可能である。
【０１７９】
メイン携帯電話機１Ｄから第２携帯電話機Ｂ４に所定の情報を赤外線通信にて送信する場合、メイン携帯電話機１Ｄは、第２携帯電話機Ｂ４に近接して配置される。一方、第１携帯電話機Ａ４は、メイン携帯電話機１Ｄや第２携帯電話機Ｂ４とは離間した位置に配置される。つまり、メイン携帯電話機１Ｄは、第１携帯電話機Ａ４のユーザ（ユーザＸ）に対して、ユーザＸの個人情報を送信してよいか直接確認できない位置に配置される。この状態においても、本実施形態における通信システムＳは効果を奏する。
【０１８０】
サーバＷは、メイン携帯電話機１Ｄ、第１携帯電話機Ａ４及び第２携帯電話機Ｂ４から送信される各種情報を受信可能である。また、サーバＷは、メイン携帯電話機１Ｄ、第１携帯電話機Ａ４及び第２携帯電話機Ｂ４へ各種情報を送信可能である。
【０１８１】
次いで、図２３により、本実施形態の通信システムＳに係るメイン携帯電話機１Ｄの構成について詳述する。図２３は、開いた状態におけるメイン携帯電話機１Ｄを示す外観斜視図である。
【０１８２】
図２３に示すように、メイン携帯電話機１Ｄは、筐体としての操作部側筐体２と、表示部側筐体３と、を備える。操作部側筐体２と表示部側筐体３とは、ヒンジ機構を備える連結部４を介して開閉可能に連結される。具体的には、操作部側筐体２の上端部と表示部側筐体３の下端部とは、ヒンジ機構を有する連結部４を介して連結される。これにより、メイン携帯電話機１Ｄは、ヒンジ機構を介して連結された操作部側筐体２と表示部側筐体３とを相対的に動かすことが可能に構成される。つまり、メイン携帯電話機１Ｄは、操作部側筐体２と表示部側筐体３とが開いた状態（開状態）と、操作部側筐体２と表示部側筐体３とが折り畳まれた状態（閉状態）とにすることができる。ここで、閉状態とは、両筐体が互いに重なるように配置された状態をいう。開状態とは、両筐体が互いに重ならないように配置された状態をいう。
【０１８３】
操作部側筐体２は、外面がフロントケース２ａとリアケース２ｂとにより構成される。操作部側筐体２は、フロントケース２ａ側において、入力部としての操作キー群１１と、メイン携帯電話機１Ｄの使用者が通話時に発した音声が入力されるマイク１２とがそれぞれ露出するように構成される。
【０１８４】
操作キー群１１は、各種設定や電話帳機能やメール機能等の各種機能を作動させるための機能設定操作キー１３と、電話番号の数字やメール等の文字等を入力するための入力操作キー１４と、各種操作における決定や上下左右方向のスクロール等を行う決定操作キー１５とにより構成される。操作キー群１１を構成する各キーそれぞれには、操作部側筐体２と表示部側筐体３との開閉状態や各種モードや起動されているアプリケーション等の種類に応じて所定の機能が割り当てられる（キー・アサイン）。そして、使用者が各キーを押圧することにより、各キーに割り当てられている機能に応じた動作が実行される。
【０１８５】
マイク１２は、操作部側筐体２の長手方向における連結部４側と反対の外端部側に配置される。つまり、マイク１２は、メイン携帯電話機１Ｄが開状態において一方の外端部側に配置される。
【０１８６】
操作部側筐体２における一方側の側面には、外部機器（例えば、ホスト装置）と通信を行うためのインターフェース（図示せず）が配置される。操作部側筐体２の他方側の側面には、所定の機能が割り当てられているサイドキーと、外部メモリの挿入及び取り出しが行われるインターフェース（図示せず）とが配置される。インターフェースは、キャップにより覆われている。各インターフェースは、不使用時にはキャップにより覆われる。
【０１８７】
表示部側筐体３は、外面がフロントケース３ａと、リアケース３ｂとにより構成される。表示部側筐体３におけるフロントケース３ａには、各種情報を表示するための表示部２１と、通話の相手側の音声を出力するレシーバとしてのスピーカ２２と、が露出するように配置される。ここで、表示部２１は、液晶パネルと、この液晶パネルを駆動する駆動回路と、この液晶パネルの背面側から光を照射するバックライト等の光源部とから構成される。
【０１８８】
続けて、図２４により、メイン携帯電話機１Ｄの回路構成について説明する。図２４は、第４実施形態に係るメイン携帯電話機１Ｄにおける回路構成を説明する回路ブロック図である。
図２４に示すように、メイン携帯電話機１Ｄは、操作部側筐体２に、第２通信部としての無線通信部２００と、入力部としての操作部１０１と、マイク１２と、ＬＣＤ制御部４２と、音声処理部４３と、メモリ４４と、ＣＰＵ４５と、電源部４６と、制御ＩＣ４７と、計時部としてのタイマー８０と、を備える。また、メイン携帯電話機１Ｄは、表示部側筐体３に、表示部２１と、スピーカ２２と、ドライバＩＣ２５と、第１通信部としての赤外線通信部２０と、を備える。
なお、赤外線通信部２０に代えて又は赤外線通信部２０に加えて、例えばＢｌｕｅｔｏｏｔｈ（ＩＥＥＥ  ８０２．１５．１、登録商標）による通信部を備えていてもよい。
【０１８９】
無線通信部２００は、アンテナ部９０と、通信処理部２０１と、を備える。
無線通信部２００は、所定の情報を外部に送受信可能に構成される。無線通信部２００は、赤外線通信とは異なる電波を利用した方法により通信を行う（第２通信方法）。無線通信部２００は、所定の情報を所定の通信網Ｎを介して第１携帯電話機Ａ４に送信することができる（図２２参照）。無線通信部２００は、例えば、所定の情報を、電子メールの本文として又は電子メールに添付して送信することができる。
【０１９０】
無線通信部２００は、例えば、メールアドレス、電話番号などのアドレス情報（第１識別情報）や、氏名、住所、プロフィールなどのプロフィール情報（第１関連情報）や、他の携帯電話機のユーザ（ユーザＺ）に所定の情報を送信することを許可する旨の返信を促す情報や、所定の情報を送信することを許可する情報や、所定の暗号化情報を復号するための復号キーを含む復号キー情報などの送信が可能である。
【０１９１】
アンテナ部９０は、所定の通信方式（例えば、ＣＤＭＡ（Ｃｏｄｅ  Ｄｉｖｉｓｉｏｎ  Ｍｕｌｉｔｉｐｌｅ  Ａｃｃｅｓｓ）２０００＿１ｘ等）に基づいて、基地局を介して他の通信端末装置との間で、電話による通信、メールによる通信等を行う。
【０１９２】
通信処理部２０１は、送信処理を行う送信回路と受信処理を行う受信回路とにより構成される。通信処理部２０１は、アンテナ部９０によって受信した信号を受信回路により復調処理し、処理後の信号をＣＰＵ４５に供給する。また、通信処理部２０１は、ＣＰＵ４５から供給された信号を送信回路により変調処理し、アンテナ部９０を介して基地局に送信する。
【０１９３】
操作部１０１は、操作キー群１１を含んで構成される。
【０１９４】
ＬＣＤ制御部４２は、ＣＰＵ４５の制御にしたがって、入力された画像データに対して所定の画像処理を行うと共に、画像処理された画像データをドライバＩＣ２５に出力する。ドライバＩＣ２５は、ＬＣＤ制御部４２から入力された画像データをフレームメモリに蓄えると共に、該フレームメモリに蓄えられた画像データを所定のタイミングで表示部２１に出力する。
【０１９５】
表示部２１は、ドライバＩＣ２５から入力されたデータに基づいて、所定の文字や画像を表示する。
【０１９６】
メモリ４４は、所定のデータを記憶する。具体的には、メモリ４４は、各種機能を動作させるアプリケーションプログラムや、各種データを記憶する各種記憶部を有する（図２５参照）。メモリ４４については、後に詳述する。
【０１９７】
ＣＰＵ４５は、メイン携帯電話機１Ｄの全体を制御する。ＣＰＵ４５は、特に、無線通信部２００と、ＬＣＤ制御部４２と、音声処理部４３とに対して所定の制御を行う。ＣＰＵ４５については、後に詳述する。
【０１９８】
音声処理部４３は、ＣＰＵ４５の制御にしたがって、通信処理部２０１から供給された信号に対して所定の音声処理を行うと共に、音声処理された信号をスピーカ２２に出力する。スピーカ２２は、音声処理部４３から供給された信号に基づいて外部に放音（出力）する。また、音声処理部４３は、ＣＰＵ４５の制御にしたがって、マイク１２から入力された信号に対して所定の処理をすると共に、処理された信号を通信処理部２０１に出力する。通信処理部２０１は、音声処理部４３から入力された信号に所定の処理を行うと共に、処理がされた信号をアンテナ部９０に出力する。
【０１９９】
電源部４６は、バッテリ（図示せず）を有して構成される。バッテリは、所定容量を有するリチウムイオン電池からなる。
制御ＩＣ４７は、電源部４６から供給される電源電圧を所定の電源電圧に変換し、変換後の電源電圧をメイン携帯電話機１Ｄにおける各部（例えば、ＣＰＵ４５等）に供給する。
【０２００】
タイマー８０は、計時機能を有する。タイマー８０は、所定の時刻からの経過時間を計測し、この経過時間が所定の時間を超えたとき（タイムアップ）に、所定の信号（タイムアップ信号）をＣＰＵ４５に出力可能に構成される。例えば、タイマー８０は、無線通信部２００により返信を要求する情報（返信要求情報）が送信されてからの時間を計測する。
【０２０１】
赤外線通信部２０は、表示部側筐体３における連結部４とは反対側の端部の近傍に配置される。赤外線通信部２０は、ＩｒＤＡ（Ｉｎｆｒａｒｅｄ  Ｄａｔａ  Ａｓｓｏｃｉａｔｉｏｎ）規格に対応して構成される。赤外線通信部２０は、外部に所定の信号を出力可能に構成される。赤外線通信部２０は、後述するメモリ４４に記憶される情報などを外部に出力可能に構成される。
【０２０２】
赤外線通信部２０は、メモリ４４に記憶される所定の情報を、外部に配置される同様の赤外線通信部２０Ｂを有する第２携帯電話機Ｂ４に送信させる。赤外線通信部２０は、無線通信部２００とは異なる通信方法である赤外線を利用した赤外線通信方法（第１通信方法）により情報を送信及び受信することができる。メイン携帯電話機１Ｄにおける通信部２０から送信された情報は、第２通信端末としての第２携帯電話機Ｂ４における通信部２０Ｂにより受信される。
【０２０３】
赤外線通信部２０は、メイン携帯電話機１ＤのユーザＹにおけるアドレス情報、プロフィール情報等を暗号化処理した暗号化情報や、第１携帯電話機Ａ４におけるユーザＸにおけるアドレス情報、プロフィール情報等を送信することができる。また、赤外線通信部２０は、プロフィール情報等を暗号化処理した暗号化情報を送受信することも可能である。
【０２０４】
赤外線通信を行うことが可能な赤外線通信モードにおいて、決定操作キー１５には、第２通信端末としての他の携帯電話機（例えば、第２携帯電話機Ｂ４）に対して送信する情報（例えば、アドレス情報、プロフィール情報）を選択することや、選択された情報の送信を決定する機能が割り当てられる。
【０２０５】
次に、図２５により、第４実施形態に係るメイン携帯電話機１Ｄの機能について詳細に説明する。図２５は、第４実施形態に係るメイン携帯電話機１Ｄにおける機能構成を説明する機能ブロック図である。ここでは、図２５を参照して、メモリ４４に係る機能構成及びＣＰＵ４５に係る機能構成を中心に説明する。
【０２０６】
メモリ４４は、第１記憶部としての第１識別・関連情報記憶部４３１と、第１選択情報記憶部４３２と、返信要求情報記憶部４３３と、第２記憶部としての第２識別・関連情報記憶部４３４と、暗号化情報記憶部４３５と、第３記憶部としての第３情報記憶部４３６と、復号キー情報記憶部４３７と、を有する。
【０２０７】
第１識別・関連情報記憶部４３１は、第１携帯電話機Ａ４に対応する第１識別情報と、第１識別情報に関連付けられる第１関連情報とを記憶する。第１識別情報は、第１携帯電話機Ａ４又はそのユーザ（ユーザＸ）に対応する情報であり、例えば、ユーザＸのメールアドレス、電話番号（アドレス情報）などである。第１関連情報は、第１識別情報に関連付けられる情報であり、例えば、ユーザＸの氏名、住所、プロフィール（プロフィール情報）、ユーザＸの顔写真などである。
【０２０８】
第１選択情報記憶部４３２は、後述するＣＰＵ４５の選択部４２１により選択された情報を記憶する。詳細には、ＣＰＵ４５の選択部４２１により選択された「第１識別・関連情報記憶部４３１に記憶される第１識別情報及び第１関連情報の全部又は一部」を記憶する。
なお、「第１識別情報及び第１関連情報の全部又は一部」を、以下「第１識別・関連情報」ともいう。
【０２０９】
返信要求情報記憶部４３３は、後述するＣＰＵ４５の返信要求部４２２により送信される返信要求情報を記憶する。
【０２１０】
第２識別・関連情報記憶部４３４は、第２携帯電話機Ｂ４に対応する第２識別情報と、第２識別情報に関連付けられる第２関連情報とを記憶する。第２識別情報は、第２携帯電話機Ｂ４又はそのユーザ（ユーザＺ）に対応する情報であり、例えば、ユーザＺのメールアドレス、電話番号（アドレス情報）などである。第２関連情報は、第２識別情報に関連付けられる情報であり、例えば、ユーザＺの氏名、住所、プロフィール（プロフィール情報）、ユーザＺが写った写真などである。
なお、「第２識別情報及び第２関連情報の全部又は一部」を、以下「第２識別・関連情報」ともいう。
【０２１１】
暗号化情報記憶部４３５には、後述する暗号化処理部４２４により生成される暗号化情報が記憶される。
【０２１２】
第３情報記憶部４３６には、サーバＷに対応するサーバアドレス情報が記憶される。
【０２１３】
復号キー情報記憶部４３７には、復号キー情報が記憶される。復号キー情報は、所定の暗号化情報を復号するための復号キーなどを含む。
【０２１４】
次に、ＣＰＵ４５の機能構成について説明する。ＣＰＵ４５は、選択部４２１と、返信要求部４２２と、第１送信許可部４２３と、暗号化処理部４２４と、暗号化情報送信許可部４２５と、第１通知情報送信部４２６と、を備える。
なお、メイン携帯電話機１ＤにおけるＣＰＵ４５は、第１携帯電話機Ａ４との通信には、赤外線通信部２０よりも無線通信部２００を優先的に用いるように制御する。このように制御することで、第１携帯電話機Ａ４のユーザ（ユーザＸ）が、メイン携帯電話機１Ｄのユーザ（ユーザＹ）の近くにいない場合であっても、通信網Ｎを介する無線通信部２００を用いて、第１携帯電話機Ａ４との通信をより確実に行うことができる。
【０２１５】
選択部４２１は、第１識別・関連情報記憶部４３１に記憶される第１識別・関連情報のうち、赤外線通信部２０によって第２携帯電話機Ｂ４に送信する情報を選択する。例えば、選択部４２１は、ユーザＸのメールアドレスを選択する。選択部４２１により選択された第１識別・関連情報を「第１選択情報」ともいう。選択部４２１は、第１選択情報をメモリ４４の第１選択情報記憶部４３２に記憶させる。
【０２１６】
返信要求部４２２は、選択部４２１により選択された情報が第１識別・関連情報である場合、無線通信部２００に対して、第１識別・関連情報（第１選択情報）の送信を許可するか否かの返信を要求する返信要求情報を、第１識別情報により特定される第１携帯電話機Ａ４へ送信させる。例えば、第１選択情報がユーザＸのメールアドレスの場合、無線通信部２００に対して、ユーザＸのメールアドレスの送信を許可するか否かの返信を要求する返信要求メールを第１携帯電話機Ａ４へ送信させる。
【０２１７】
第１送信許可部４２３は、タイマー８０により計測された時間が所定時間（例えば、５分）を超えた場合に、赤外線通信部２０による第１識別・関連情報（第１選択情報）の第２携帯電話機Ｂ４への送信を不許可とする。
【０２１８】
また、第１送信許可部４２３は、タイマー８０により計測された時間が所定時間を超える前に無線通信部２００により許可返信が受信された場合には、赤外線通信部２０による第１識別・関連情報の第２携帯電話機Ｂ４への送信を許可する。許可返信は、第１携帯電話機Ａ４から返信された、第１識別・関連情報の送信を許可する返信である。例えば、無線通信部２００によりユーザＸのメールアドレスの送信を許可する許可返信が受信された場合、第１送信許可部４２３は、赤外線通信部２０に対して、ユーザＸのメールアドレスを第２携帯電話機Ｂ４に送信することを許可する。
【０２１９】
暗号化処理部４２４は、第１送信許可部４２３により赤外線通信部２０による第１識別・関連情報の第２携帯電話機Ｂ４への送信が不許可とされた場合、第１識別・関連情報の暗号化処理を行う。また、暗号化処理部４２４は、この暗号化情報を復号するための復号キーを含む復号キー情報を、メモリ４４の復号キー情報記憶部４３７に記憶させる。
【０２２０】
暗号化情報送信許可部４２５は、赤外線通信部２０に対して、暗号化情報記憶部４３５に記憶される暗号化情報及び第３情報記憶部４３６に記憶されるサーバアドレス情報の第２携帯電話機Ｂ４への送信を許可する。
【０２２１】
暗号化情報送信許可部４２５は、赤外線通信部２０に対して、暗号化処理部４２４により生成された暗号化情報を第２携帯電話機Ｂ４に送信することを許可する。
【０２２２】
第１通知情報送信部４２６は、無線通信部２００に対し、第１通知情報を、前記サーバアドレス情報により特定されるサーバＷへ送信させる。第１通知情報は、第１識別・関連情報が第２携帯電話機Ｂ４に送信されたことを伝える通知情報と、第１識別情報と、第２識別情報とを含む情報である。
【０２２３】
次に、図２６を参照して、本実施形態に係る第１携帯電話機Ａ４におけるメモリ４４Ａに係る機能構成及びＣＰＵ４５Ａに係る機能構成を中心に説明する。図２６は、第４実施形態に係る第１携帯電話機Ａ４における機能構成を説明する機能ブロック図である。特に説明しない構成は、メイン携帯電話機１Ｄと同様の構成を有しており、説明を省略する。また、第１携帯電話機における各構成のうち、メイン携帯電話機における構成と同様の構成を有するものについては、メイン携帯電話機における構成を示す符号に「Ａ」と付して示す（例えば、メイン携帯電話機における赤外線通信部２０に対して、第１携帯電話機における赤外線通信部２０Ａ）。
【０２２４】
第１携帯電話機Ａ４においては、メモリ４４Ａは、第１通信端末側第１記憶部４５１と、第１通信端末側第２記憶部４５２と、第１通信端末側復号キー情報記憶部４５３と、不許可情報記憶部４５４と、を有する。
【０２２５】
第１通信端末側第１記憶部４５１には、第１識別情報が記憶される。
第１通信端末側第２記憶部４５２には、無線通信部２００により受信された第２通知情報に含まれる第２識別情報及びサーバアドレス情報が記憶される。
【０２２６】
第１通信端末側復号キー情報記憶部４５３には、メイン携帯電話機１Ｄから送信され無線通信部２００Ａを介して受信された復号キー情報が記憶される。
不許可情報記憶部４５４には、不許可情報が記憶される。
【０２２７】
第１携帯電話機Ａ４においては、ＣＰＵ４５Ａは、第１通信端末側復号キー情報送信部４４１と、不許可情報送信部４４２と、返信送信部４４３と、を有する。
【０２２８】
第１通信端末側復号キー情報送信部４４１は、無線通信部２００により第２通知情報が受信された場合、無線通信部２００に対して、第１通信端末側復号キー情報記憶部４５３に記憶される復号キー情報を、第１通信端末側第２記憶部４５２に記憶されるサーバアドレス情報により特定されるサーバＷへ送信させる。
【０２２９】
不許可情報送信部４４２は、無線通信部２００に対して、不許可情報をサーバＷへ送信させる。不許可情報は、第１通信端末側復号キー情報記憶部４５３に記憶される復号キー情報を、第２携帯電話機Ｂ４に送信することを許可しないという情報である。
【０２３０】
返信送信部４４３は、ユーザＸによる第１携帯電話機Ａ４の操作により、無線通信部２００に対して、各種返信を外部に送信させる。
【０２３１】
次に、図２７を参照して、第２携帯電話機Ｂ４におけるメモリ４４Ｂに係る機能構成及びＣＰＵ４５Ｂに係る機能構成を中心に説明する。図２７は、第４実施形態に係る第２携帯電話機Ｂ４における機能構成を説明する機能ブロック図である。特に説明しない構成は、メイン携帯電話機１Ｄと同様の構成を有しており、説明を省略する。また、第２携帯電話機における各構成のうち、メイン携帯電話機における構成と同様の構成を有するものについては、メイン携帯電話機における構成を示す符号に「Ｂ」と付して示す（例えば、メイン携帯電話機における赤外線通信部２０に対して、第２携帯電話機における赤外線通信部２０Ｂ）。
【０２３２】
第２携帯電話機Ｂ４においては、タイマー８０Ｂは、赤外線通信部２０Ｂにより、メイン通信端末１から送信された暗号化情報が受信されてからの時間を計測する。
【０２３３】
第２携帯電話機Ｂ４においては、メモリ４４Ｂは、第２通信端末側暗号化情報記憶部４７１と、第１要求情報記憶部４７２と、第２通信端末側復号キー情報記憶部４７３とを有する。
【０２３４】
第２通信端末側暗号化情報記憶部４７１には、メイン携帯電話機１Ｄから送信され赤外線通信部２０Ｂを介して受信された暗号化情報、サーバアドレス情報などが記憶される。
【０２３５】
第１要求情報記憶部４７２には、復号キー情報を要求する第１要求情報が記憶される。
第２通信端末側復号キー情報記憶部４７３には、復号キー情報が記憶される。
【０２３６】
第２携帯電話機Ｂ４においては、ＣＰＵ４５Ｂは、復号処理部４６１と、第２通信端末側復号キー情報要求部４６２と、第２通信端末側消去部４６３と、を有する。
【０２３７】
復号処理部４６１は、サーバＷから送信された復号キー情報に含まれる復号キーに基づいて、第２通信端末側暗号化情報記憶部４７１に記憶される暗号化情報を復号処理し、第１識別・関連情報を生成する。
【０２３８】
第２通信端末側復号キー情報要求部４６２は、無線通信部２００Ｂに対し、第２通信端末側暗号化情報記憶部４７１に記憶されるサーバアドレス情報により特定されるサーバＷに、復号キー情報を要求する第１要求情報を送信させる。
【０２３９】
第２通信端末側消去部４６３は、無線通信部２００Ｂにより第１消去指示情報が受信された場合、第２通信端末側暗号化情報記憶部４７１に記憶される暗号化情報を消去する。
また、第２通信端末側消去部４６３は、タイマー８０Ｂにより計測された時間が所定時間を経過した場合、第２通信端末側暗号化情報記憶部４７１に記憶された暗号化情報を消去する。
【０２４０】
次に、図２８を参照して、サーバＷについて説明する。図２８は、第４実施形態に係るサーバＷにおける機能構成を説明する機能ブロック図である。
サーバＷは、サーバ側第２通信部としてのサーバ側通信部９６０と、タイマー９８０と、メモリ９４０と、ＣＰＵ９１０と、を備える。
【０２４１】
サーバ側通信部９６０は、通信処理部９６１を備える。サーバ側通信部９６０は、所定の情報を外部に送受信可能に構成される。サーバ側通信部９６０は、所定の情報を所定の通信網Ｎを介してメイン携帯電話機１Ｄ、第１携帯電話機Ａ４及び第２携帯電話機Ｂ４に送信することができる（図２２参照）。サーバ側通信部９６０は、赤外線通信とは異なる電波を利用した方法により通信を行うこともでき（第２通信方法）、あるいは有線による通信を行うこともできる。サーバ側通信部９６０は、例えば、所定の情報を、電子メールの本文として又は電子メールに添付して送信することができる。
【０２４２】
通信処理部９６１は、送信処理を行う送信回路と受信処理を行う受信回路とにより構成される。通信処理部９６１は、アンテナ部又は有線を介して受信した信号を受信回路により復調処理し、処理後の信号をＣＰＵ９１０に供給する。また、通信処理部９６１は、ＣＰＵ９１０から供給された信号を送信回路により変調処理し、アンテナ部又は有線を介して基地局に送信する。
【０２４３】
タイマー９８０は、第１携帯電話機Ａ４から不許可情報が受信されたときからの時間を計測（計時）する。
【０２４４】
サーバＷにおいては、メモリ９４０は、サーバ側第１記憶部９４１と、サーバ側第２記憶部９４２と、サーバ側復号キー情報記憶部９４３と、第２要求情報記憶部９４４と、第３通知情報記憶部９４５と、第４通知情報記憶部９４６と、不許可情報記憶部９４７と、第１消去指示情報記憶部９４８と、を備える。
【０２４５】
サーバ側第２記憶部９４２には、サーバアドレス情報が記憶される。
サーバ側第１記憶部９４１には、サーバ側通信部９６０により受信された第１通知情報に含まれる第１識別情報及び第２識別情報などが記憶される。
サーバ側復号キー情報記憶部９４３には、第１携帯電話機Ａ４から送信された復号キー情報などが記憶される。
【０２４６】
第２要求情報記憶部９４４には、暗号化情報の送信を要求する第２要求情報が記憶される。
第３通知情報記憶部９４５には、サーバ側復号キー情報記憶部９４３に復号キー情報が記憶されていることを通知する第３通知情報が記憶される。
【０２４７】
第４通知情報記憶部９４６には、サーバ側復号キー情報記憶部９４３に復号キー情報が記憶されていないことを通知する第４通知情報が記憶される。
不許可情報記憶部９４７には、第１携帯電話機Ａ４から送信される不許可情報が記憶される。
第１消去指示情報記憶部９４８には、第１消去指示情報が記憶される。
【０２４８】
サーバＷにおいては、ＣＰＵ９１０は、第２通信情報送信部９１１と、サーバ側復号キー情報送信部９１２と、サーバ側判定部９１３と、サーバ側復号キー情報要求部９１４と、第３通知情報送信部９１５と、第４通知情報送信部９１６と、サーバ側消去部９１７と、第１消去指示情報送信部９１８と、を備える。
【０２４９】
第２通信情報送信部９１１は、サーバ側通信部９６０により第１通知情報が受信された場合、サーバ側通信部９６０に対して、第２通知情報を、サーバ側第１記憶部９４１に記憶される第１識別情報により特定される第１携帯電話機Ａ４へ送信させる。第２通知情報は、メイン携帯電話機１Ｄから第２携帯電話機Ｂ４に第１識別・関連情報が暗号化されて送信されたことを伝える通知情報と、サーバ側第１記憶部９４１に記憶される第２識別情報と、サーバ側第２記憶部９４２に記憶されるサーバアドレス情報と、を含む。
【０２５０】
サーバ側復号キー情報送信部９１２は、サーバ側通信部９６０により第１要求情報を受信した場合、サーバ側通信部９６０に対し、サーバ側復号キー情報記憶部９４３に記憶される復号キー情報を、サーバ側第１記憶部９４１に記憶される第２識別情報により特定される第２携帯電話機Ｂ４へ送信させる。
【０２５１】
サーバ側判定部９１３は、サーバ側通信部９６０により第１要求情報を受信した場合、サーバ側復号キー情報記憶部９４３に復号キー情報が記憶されているか否かを判定する。
【０２５２】
サーバ側復号キー情報要求部９１４は、サーバ側判定部９１３によりサーバ側復号キー情報記憶部９４３に暗号化情報が記憶されていないと判定された場合、サーバ側通信部９６０に対して、暗号化情報の送信を要求する第２要求情報を、第１携帯電話機Ａ４へ送信させる。
【０２５３】
第３通知情報送信部９１５は、サーバ側通信部９６０により復号キー情報が受信された場合、サーバ側通信部９６０に対して、サーバ側復号キー情報記憶部９４３に復号キー情報が記憶されていることを通知する第３通知情報を、サーバ側第１記憶部９４１に記憶された第２識別情報により特定される第２携帯電話機Ｂ４へ送信させる。
【０２５４】
第４通知情報送信部９１６は、サーバ側判定部９１３によりサーバ側復号キー情報記憶部９４３に復号キー情報が記憶されていないと判定された場合、サーバ側通信部９６０に対して、サーバ側復号キー情報記憶部９４３に復号キー情報が記憶されていないことを通知する第４通知情報を、サーバ側第１記憶部９４１に記憶された第２識別情報により特定される第２携帯電話機Ｂ４へ送信させる。
【０２５５】
サーバ側消去部９１７は、サーバ側通信部９６０により不許可情報が受信された場合、サーバ側復号キー情報記憶部９４３に記憶される復号キー情報を消去する。復号キー情報には、復号キー自体の他、復号キーに関連する各種情報（サーバＷにおける復号キーに関する履歴など）が含まれる。サーバ側消去部９１７は、サーバ側通信部９６０により不許可情報が受信された場合、タイマー９８０により計時を開始する。
【０２５６】
第１消去指示情報送信部９１８は、サーバ側通信部９６０により不許可情報が受信された場合、サーバ側通信部９６０に対して、第１消去指示情報を第２携帯電話機Ｂ４へ送信させる。第１消去指示情報は、第２通信端末側暗号化情報記憶部４７１に記憶される暗号化情報を消去させる指示を含む。
【０２５７】
次に、図２９から図３７を参照して、メイン携帯電話機１Ｄ、第１携帯電話機Ａ４、第２携帯電話機Ｂ４及びサーバＷを含む本実施形態の通信システムの動作について説明する。以下には、本実施形態の通信システムに係る実施例として、実施例４−１から５について説明する。
【０２５８】
図２９は、第４実施形態の通信システムＳに係る実施例４−１における動作を示すシーケンス図である。図３０は、実施例４−１における返信要求メールの一例である。図３１は、実施例４−１における第２通知情報メールの一例である。図３２は、第４実施形態の通信システムＳに係る実施例４−２における動作を示すシーケンス図である。図３３は、実施例４−２における第２要求情報メールの一例である。図３４は、実施例４−２における第３通知情報メールの一例である。図３５は、第４実施形態の通信システムＳに係る実施例４−３における動作を示すシーケンス図である。図３６は、第４実施形態の通信システムＳに係る実施例４−４における動作を示すシーケンス図である。図３７は、第４実施形態の通信システムＳに係る実施例４−５における動作を示すシーケンス図である。
【０２５９】
各実施例においてはステップ（ＳＴ）番号を３桁の数字で示すが、３桁の数字の百の位の数字は実施例の番号を示す。また、下２桁が同じステップは、実質的に同じ内容のステップを示す。例えば、ステップＳＴ５１１は、百の位の数字が１なので、実施例４−１におけるステップである。また、ステップＳＴ５１１及びステップＳＴ６１１は、下２桁が同じなので、同じ内容のステップである。同じ内容のステップについては、説明を省略することがある。
【０２６０】
＜実施例４−１＞
実施例４−１における動作について、図２９から図３１を参照して説明する。実施例４−１は、暗号化情報がユーザＺに送信され、復号キー情報がサーバＷに登録（記憶）された状態において、ユーザＺからサーバＷに復号キー情報の要求がある場合の実施例である。
【０２６１】
ユーザＹが、第１識別・関連情報のうちユーザＺに送信しようとする情報を選択する操作を行うと、ステップＳＴ５１１において、ＣＰＵ４５の選択部４２１は、メモリ４４の第１識別・関連情報記憶部４３１に記憶される第１識別・関連情報のうち、ユーザＺが所有する第２携帯電話機Ｂ４に送信する情報（第１選択情報）を選択する。本実施例では、第１選択情報は、ユーザＸのメールアドレスである。そして、選択部４２１は、第１選択情報を、メモリ４４の第１選択情報記憶部４３２に記憶する。
【０２６２】
ステップＳＴ５１２において、ＣＰＵ４５の返信要求部４２２は、第１選択情報が第１識別・関連情報である場合、無線通信部２００に対して、第１選択情報の送信を許可するか否かの返信を要求する情報（返信要求情報）を第１携帯電話機Ａ４へ送信させる。ここで、返信要求情報は、メモリ４４の返信要求情報記憶部４３３に記憶されている。
【０２６３】
本実施例では、返信要求部４２２は、ユーザＸへ第１選択情報（メールアドレス）の送信を許可するか否かの返信を要求するメール（返信要求メール）を送信する。この返信要求メールには、例えば、図３０に示すように、「ユーザＺにあなた（ユーザＸ）のメールアドレスを送信します。よろしいですか？  ＯＫ／ＮＧ」との確認及び返信を要求する内容や、ユーザＺのプロフィール（例えば、「ユーザＺは、ユーザＹの職場の同僚である」）が含まれる。
【０２６４】
ステップＳＴ５１３において、タイマー８０は、無線通信部２００により返信要求情報（返信要求メール）が送信されてからの時間（経過時間）を計測（計時）する。
【０２６５】
ステップＳＴ５１４において、タイマー８０により計測された経過時間が所定時間（例えば、５分）を超えると、タイマー８０により計時が終了する。
【０２６６】
タイマー８０により計時が終了すると、ステップＳＴ５１５において、第１送信許可部４２３により第１識別・関連情報の第２携帯電話機Ｂ４への送信が不許可とされる。
【０２６７】
その後、ステップＳＴ５１６において、暗号化処理部４２４は、第１識別・関連情報を暗号化して暗号化情報を生成する。そして、暗号化処理部４２４は、生成された暗号化情報をメモリ４４の暗号化情報記憶部４３５に記憶させる。
【０２６８】
ステップＳＴ５１７において、第１通知情報送信部４２６は、無線通信部２００に対し、第１通知情報をサーバＷへ送信させる。第１通知情報は、第１識別・関連情報が第２携帯電話機Ｂ４に送信されたことを伝える通知情報と、第１識別情報と、第２識別情報とを含む情報である。
【０２６９】
ステップＳＴ５１８において、サーバＷのサーバ側第１記憶部９４１には、サーバ側通信部９６０により受信された第１通知情報に含まれる第１識別情報及び第２識別情報などが記憶される。
【０２７０】
また、ステップＳＴ５１９において、暗号化情報送信許可部４２５は、赤外線通信部２０に対して、暗号化処理部４２４により生成され且つ暗号化情報記憶部４３５に記憶される暗号化情報を、第２携帯電話機Ｂ４に送信することを許可する。これにより、暗号化情報は、メイン携帯電話機１Ｄの赤外線通信部２０から第２携帯電話機Ｂ４に送信される。
【０２７１】
ステップＳＴ５２０において、第２携帯電話機Ｂ４の第２通信端末側暗号化情報記憶部４７１に、暗号化情報が記憶される。
【０２７２】
赤外線通信部２０Ｂにより暗号化情報が受信されると、ステップＳＴ５２１において、第２通信端末側消去部４６３は、第２通信端末側計時部としてのタイマー８０Ｂに計時を開始させる。これにより、タイマー８０Ｂは、赤外線通信部２０Ｂにより暗号化情報が受信されてからの時間（経過時間）を計測（計時）する。
【０２７３】
また、サーバ側通信部９６０により第１通知情報が受信された場合、ステップＳＴ５２２において、サーバＷの第２通信情報送信部９１１は、サーバ側通信部９６０に対して、第２通知情報を第１携帯電話機Ａ４へ送信させる。第２通知情報は、メイン携帯電話機１Ｄから第２携帯電話機Ｂ４に第１識別・関連情報が暗号化されて送信されたことを伝える通知情報と、サーバ側第１記憶部９４１に記憶される第２識別情報と、サーバ側第２記憶部９４２に記憶されるサーバアドレス情報と、を含む。
【０２７４】
本実施例では、図３１に示すように、第２通信情報送信部９１１は、「ユーザＹがあなた（ユーザＸ）のメールアドレスを暗号化した暗号化情報をユーザＺに送信しました。暗号化情報の復号を許可する場合には、サーバＷへ復号キー情報を送信して下さい。また、復号を許可しない場合には、サーバＷへ不許可情報を送信して下さい。」旨の内容の第２通知情報メールを送信する。
【０２７５】
ステップＳＴ５２３において、第１通信端末側第２記憶部４５２に、無線通信部２００Ａにより受信された第２通知情報に含まれる第２識別情報及びサーバアドレス情報などが記憶される。
【０２７６】
その後、第２通知情報メールを受信した第１携帯電話機Ａ４においては、ユーザＸの操作により、ステップＳＴ５３１において、第１携帯電話機Ａ４の第１通信端末側復号キー情報送信部４４１は、無線通信部２００Ａに対して、第１通信端末側復号キー情報記憶部４５３に記憶される復号キー情報を、サーバＷへ送信させる。
【０２７７】
ステップＳＴ５３２において、サーバ側復号キー情報記憶部９４３に、第１携帯電話機Ａ４から送信された復号キー情報が記憶される。
【０２７８】
このように、サーバＷに復号キー情報が記憶されている状態において、第２携帯電話機Ｂ４においては、ユーザＺの操作により、ステップＳＴ５４１において、第２通信端末側復号キー情報要求部４６２は、無線通信部２００Ｂに対し、サーバＷに、復号キー情報を要求する第１要求情報を送信させる。
【０２７９】
ステップＳＴ５４２において、サーバ側判定部９１３は、サーバ側通信部９６０により第１要求情報を受信した場合、サーバ側復号キー情報記憶部９４３に復号キー情報が記憶されているか否かを判定する。サーバ側判定部９１３によりサーバ側復号キー情報記憶部９４３に復号キー情報が記憶されている（ＹＥＳ）と判定された場合には、ステップＳＴ５４３に進む。サーバ側判定部９１３によりサーバ側復号キー情報記憶部９４３に復号キー情報が記憶されていない（ＮＯ）と判定された場合には、ステップＳＴ６４４（図３２参照）に進む。なお、実施例４−２は、サーバ側判定部９１３によりサーバ側復号キー情報記憶部９４３に復号キー情報が記憶されていない（ＮＯ）と判定された場合の実施例であり、後述する。
【０２８０】
サーバ側通信部９６０により第１要求情報を受信する共に、サーバ側判定部９１３によりサーバ側復号キー情報記憶部９４３に復号キー情報が記憶されている（ＹＥＳ）と判定された場合には、ステップＳＴ５４３において、サーバ側復号キー情報送信部９１２は、サーバ側通信部９６０に対し、サーバ側復号キー情報記憶部９４３に記憶される復号キー情報を、第２携帯電話機Ｂ４へ送信させる。
【０２８１】
サーバ側判定部９１３によりサーバ側復号キー情報記憶部９４３に復号キー情報が記憶されている（ＹＥＳ）と判定された場合には、ステップＳＴ５５１において、第２携帯電話機Ｂ４の第２通信端末側復号キー情報記憶部４７３に、復号キー情報が記憶される。
【０２８２】
タイマー８０Ｂにより計測された経過時間が所定時間（例えば、１２時間）となる前に、復号キー情報が第２携帯電話機Ｂ４に受信されると、ステップＳＴ５５２において、第２携帯電話機Ｂ４の復号処理部４６１は、復号キー情報に基づいて、暗号化情報を復号し、第１識別・関連情報を生成する。これにより、第２携帯電話機Ｂ４（ユーザＺ）において、第１識別・関連情報が得られる。
【０２８３】
＜実施例４−２＞
次に、実施例４−２について説明する。実施例４−２は、サーバ側判定部９１３によりサーバ側復号キー情報記憶部９４３に復号キー情報が記憶されていない（ＮＯ）と判定された場合の実施例である。実施例４−２におけるステップＳＴ６１１からＳＴ６２３は、実施例４−１におけるステップＳＴ５１１からＳＴ５２３とそれぞれ同様であるため、説明を省略する。
【０２８４】
実施例４−２については、ステップＳＴ６２３の後のステップから説明する。
実施例４−２においては、実施例４−１におけるステップＳＴ５１１からステップＳＴ５２３と同様に、ステップＳＴ６１１からステップＳＴ６２３が行われる。
【０２８５】
実施例４−１では、第２携帯電話機Ｂ４から第１要求情報が送信されたとき（ステップＳＴ５４１）に、サーバＷに復号キー情報が記憶されていた（ステップＳＴ５３２）のに対して、実施例４−２では、第２携帯電話機Ｂ４から第１要求情報が送信されたとき（ステップＳＴ６４１）に、サーバＷに復号キー情報が記憶されていない（ステップＳＴ６３２が行われていない）。
【０２８６】
このように、サーバＷに復号キー情報が記憶されていない状態において、第２携帯電話機Ｂ４においては、ユーザＺの操作により、ステップＳＴ６４１において、第２通信端末側復号キー情報要求部４６２は、無線通信部２００Ｂに対し、サーバＷに、復号キー情報を要求する第１要求情報を送信させる。
【０２８７】
ステップＳＴ６４２において、サーバ側判定部９１３は、サーバ側通信部９６０により第１要求情報を受信した場合、サーバ側復号キー情報記憶部９４３に復号キー情報が記憶されているか否かを判定する。実施例４−２では、サーバ側復号キー情報記憶部９４３に復号キー情報が記憶されていないので、サーバ側判定部９１３によりサーバ側復号キー情報記憶部９４３に復号キー情報が記憶されていない（ＮＯ）と判定され、ステップＳＴ６４４に進む。
【０２８８】
サーバ側判定部９１３によりサーバ側復号キー情報記憶部９４３に復号キー情報が記憶されていない（ＮＯ）と判定された場合には、ステップＳＴ６４４において、第４通知情報送信部９１６は、サーバ側通信部９６０に対して、サーバ側復号キー情報記憶部９４３に復号キー情報が記憶されていないことを通知する第４通知情報を、第２携帯電話機Ｂ４へ送信させる。
【０２８９】
また、サーバ側判定部９１３によりサーバ側復号キー情報記憶部９４３に復号キー情報が記憶されていない（ＮＯ）と判定された場合には、ステップＳＴ６４４において、サーバ側復号キー情報要求部９１４は、サーバ側通信部９６０に対して、暗号化情報の送信を要求する第２要求情報を、第１携帯電話機Ａ４へ送信させる。
【０２９０】
本実施例では、図３３に示すように、サーバ側復号キー情報要求部９１４は、「ユーザＺからあなた（ユーザＸ）のメールアドレスの暗号化情報の復号を希望する連絡が来ています。暗号化情報の復号を許可する場合には、サーバＷへ復号キー情報を送信して下さい。また、復号を許可しない場合には、サーバＷへ不許可情報を送信して下さい。」旨の内容の第２要求情報メールを送信する。
【０２９１】
その後、第２要求情報メールを受信した第１携帯電話機Ａ４においては、ユーザが暗号化情報の復号を許可する場合には、ユーザＸの操作により、図３２に示すように、ステップＳＴ６３１において、第１携帯電話機Ａ４の第１通信端末側復号キー情報送信部４４１は、無線通信部２００Ａに対して、第１通信端末側復号キー情報記憶部４５３に記憶される復号キー情報を、サーバＷへ送信させる。
【０２９２】
ステップＳＴ６３２において、サーバ側復号キー情報記憶部９４３に、第１携帯電話機Ａ４から送信された復号キー情報が記憶される。
【０２９３】
サーバ側通信部９６０により復号キー情報が受信された場合、ステップＳＴ６４６において、第３通知情報送信部９１５は、サーバ側通信部９６０に対して、サーバ側復号キー情報記憶部９４３に復号キー情報が記憶されていることを通知する第３通知情報を、第２携帯電話機Ｂ４へ送信させる。
【０２９４】
本実施例では、図３４に示すように、第３通知情報送信部９１５は、「暗号化情報の復号キーをサーバＷに登録しました。サーバＷから復号キーを入手できます。」旨の内容の第３通知情報メールを送信する。
【０２９５】
このように、サーバＷに復号キー情報が登録（記憶）されていることを第２携帯電話機Ｂ４により確認した後、第２携帯電話機Ｂ４においては、ユーザＺの操作により、ステップＳＴ６４１−２において、第２通信端末側復号キー情報要求部４６２は、無線通信部２００Ｂに対し、サーバＷに、復号キー情報を要求する第１要求情報を送信させる。
なお、３桁のステップ番号の後に付した「−２」は、実施例において同じステップが２回行われることを意味する。
【０２９６】
ステップＳＴ６４２−２において、サーバ側判定部９１３は、サーバ側通信部９６０により第１要求情報を受信した場合、サーバ側復号キー情報記憶部９４３に復号キー情報が記憶されているか否かを判定する。ここでは、サーバ側判定部９１３によりサーバ側復号キー情報記憶部９４３に復号キー情報が記憶されている（ＹＥＳ）と判定され、ステップＳＴ６４３に進む。
【０２９７】
サーバ側通信部９６０により第１要求情報を受信する共に、サーバ側判定部９１３によりサーバ側復号キー情報記憶部９４３に復号キー情報が記憶されている（ＹＥＳ）と判定された場合には、ステップＳＴ６４３において、サーバ側通信部９６０に対し、サーバ側復号キー情報記憶部９４３に記憶される復号キー情報を、第２携帯電話機Ｂ４へ送信させる。
【０２９８】
サーバ側判定部９１３によりサーバ側復号キー情報記憶部９４３に復号キー情報が記憶されている（ＹＥＳ）と判定された場合には、ステップＳＴ６５１において、第２携帯電話機Ｂ４の第２通信端末側復号キー情報記憶部４７３に、復号キー情報が記憶される。
【０２９９】
タイマー８０Ｂにより計測された経過時間が所定時間（例えば、１２時間）となる前に、復号キー情報が第２携帯電話機Ｂ４に受信されると、ステップＳＴ６５２において、第２携帯電話機Ｂ４の復号処理部４６１は、復号キー情報に基づいて、暗号化情報を復号し、第１識別・関連情報を生成する。これにより、第２携帯電話機Ｂ４（ユーザＺ）において、第１識別・関連情報が得られる。
【０３００】
＜実施例４−３＞
次に、実施例４−３について説明する。実施例４−３は、ユーザＸがサーバＷに不許可情報を送信する場合の実施例である。実施例４−３におけるステップＳＴ７１１からＳＴ７２３については、実施例４−１におけるステップＳＴ５１１からＳＴ５２３とそれぞれ同様であるため、説明を省略する。
【０３０１】
実施例４−３については、ステップＳＴ７２３の後のステップから説明する。
実施例４−３においては、実施例４−１におけるステップＳＴ５１１からＳＴ５２３、ＳＴ５３１及びＳＴ５３２と同様に、ステップＳＴ７１１からステップＳＴ７２３が行われる。
【０３０２】
実施例４−３では、第１携帯電話機Ａ４からサーバＷに不許可情報が送信される（ステップＳＴ７６１）点が、実施例４−１とは主として異なる。
【０３０３】
第２通知情報メールを受信した第１携帯電話機Ａ４においては、ユーザＸがユーザＺへの復号キー情報の送信を許可しないと考えたときには、第１携帯電話機Ａ４においては、ユーザＸの操作により、ステップＳＴ７６１において、不許可情報送信部４４２は、無線通信部２００に対して、不許可情報をサーバＷへ送信させる。不許可情報は、第１通信端末側復号キー情報記憶部４５３に記憶される復号キー情報を、第２携帯電話機Ｂ４に送信することを許可しないという情報である。
【０３０４】
サーバＷのサーバ側通信部９６０により不許可情報が受信されると、ステップＳＴ７６２において、不許可情報記憶部９４７に不許可情報が記憶される。
サーバＷのサーバ側通信部９６０により不許可情報が受信されると、サーバ側消去部９１７は、タイマー９８０により計時を開始する。
【０３０５】
実施例４−３では、不許可情報記憶部９４７に不許可情報が記憶されている状態において、第２携帯電話機Ｂ４においては、ユーザＺの操作により、ステップＳＴ７４１において、第２通信端末側復号キー情報要求部４６２は、無線通信部２００Ｂに対し、サーバＷに、復号キー情報を要求する第１要求情報を送信させる。
【０３０６】
サーバ側通信部９６０により不許可情報が受信された場合、ステップＳＴ７６３において、第１消去指示情報送信部９１８は、サーバ側通信部９６０に対して、第１消去指示情報を第２携帯電話機Ｂ４へ送信させる。第１消去指示情報は、第２通信端末側暗号化情報記憶部４７１に記憶される暗号化情報を消去させる指示を含む。
第１消去指示情報を受信した第２携帯電話機Ｂ４においては、無線通信部２００Ｂにより第１消去指示情報が受信された場合、ステップＳＴ７６４において、第２通信端末側消去部４６３は、第２通信端末側暗号化情報記憶部４７１に記憶される暗号化情報を消去する。
【０３０７】
また、サーバ側通信部９６０により不許可情報が受信された場合には、ステップＳＴ７６５において、サーバ側消去部９１７は、サーバ側復号キー情報記憶部９４３に記憶される復号キー情報を消去する。
【０３０８】
＜実施例４−４＞
次に、実施例４−４について説明する。実施例４−４は、第２携帯電話機Ｂ４において暗号化情報の受信後所定の時間が経過したため、第２携帯電話機Ｂ４に記憶される暗号化情報が自動的に消去される場合の実施例である。実施例４−４におけるステップＳＴ８１１からＳＴ８２３、ＳＴ８６１及びＳＴ８６２については、実施例４−３におけるステップＳＴ７１１からＳＴ７２３、ＳＴ７６１及びＳＴ７６２とそれぞれ同様であるため、説明を省略する。
【０３０９】
実施例４−４については、ステップＳＴ８６２から説明する。
実施例４−４においては、実施例４−３におけるステップＳＴ７１１からＳＴ７２３、ＳＴ７６１及びＳＴ７６２と同様に、ステップＳＴ８１１からＳＴ８２３、ＳＴ８６１及びＳＴ８６２が行われる。
【０３１０】
図３６に示すように、ステップＳＴ８６２において、不許可情報記憶部９４７に、第１携帯電話機Ａ４から送信された不許可情報が記憶される。
【０３１１】
第２携帯電話機Ｂ４においては、タイマー８０Ｂによる計時の開始から所定時間（例えば、１２時間）が経過すると、ステップＳＴ８６６において、タイマー８０Ｂによる計時を終了する。
【０３１２】
その後、ステップＳＴ８６７において、第２通信端末側消去部４６３により、メモリ４４Ｂの第２通信端末側暗号化情報記憶部４７１に記憶される暗号化情報が消去される。
【０３１３】
＜実施例４−５＞
次に、実施例４−５について説明する。実施例４−５は、返信要求情報（返信要求メール）を送信した後、所定時間内に、第１携帯電話機Ａ４（ユーザＸ）から許可返信が送信された場合の実施例である。実施例４−５におけるステップＳＴ９１１からＳＴ９１３については、実施例４−１におけるステップＳＴ５１１からＳＴ５１３とそれぞれ同様であるため、説明を省略する。
【０３１４】
実施例４−５については、ステップＳＴ９１３から説明する。
図３４に示すように、ステップＳＴ９１３において、第２携帯電話機Ｂ４のタイマー８０により、返信要求メール（図３０参照）を送信してからの時間の計測（計時）が開始される。
【０３１５】
第１携帯電話機Ａ４を所有するユーザＸが返信要求メールを確認し、ユーザＸにより、第１識別・関連情報の送信を許可する返信（許可返信）を送信する操作（「ＯＫ」を選択）が行われると、ステップＳＴ９６１において、第１携帯電話機Ａ４のＣＰＵ４５Ａは、無線通信部２００Ａに対して、許可返信としての許可返信メールを送信させる。これにより、第１携帯電話機Ａ４の無線通信部２００Ａから許可返信メールが送信される。
【０３１６】
タイマー８０により計測された経過時間が所定時間（例えば、５分）となるまでに、無線通信部２００を介して許可返信メールが第２携帯電話機Ｂ４に受信された場合には、ステップＳＴ９６２において、第１送信許可部４２３は、赤外線通信部２０に対して、選択部４２１により選択された第１識別・関連情報（第１選択情報記憶部４３２に記憶された第１選択情報）を第２携帯電話機Ｂ４に送信することを許可する。
【０３１７】
その後、ステップＳＴ９６３において、赤外線通信部２０を介して第１識別・関連情報（ユーザＸのメールアドレス）がメイン携帯電話機１Ｄから第２携帯電話機Ｂ４へ送信される。
【０３１８】
以上の説明の通り、本実施形態の通信システムＳによれば、例えば、以下の効果が奏される。
例えば、ユーザＸの許可が得られていない状態で、第１識別・関連情報（ユーザＸのメールアドレス）を暗号化した状態（暗号化情報）でユーザＺ（第２携帯電話機Ｂ４）に送信した後、ユーザＸの許可（復号キー情報）が得られると、サーバＷを介して、暗号化情報を復号する復号キー情報をユーザＺ（第２携帯電話機Ｂ４）に送信することができる。
また、サーバＷを中心として、各携帯電話機間のやり取りが行われるので、各携帯電話機の処理的負担が少ない。
【０３１９】
また、実施例４−２のように、サーバＷに復号キー情報が記憶されていない場合であっても、第２要求情報メールにより、サーバＷを介して第１携帯電話機Ａ４（ユーザＸ）に復号キー情報を催促することができる。
【０３２０】
また、実施例４−３及び４−４のように、第１携帯電話機Ａ４（ユーザＸ）からサーバＷに不許可情報が送信された場合や、所定時間を経過した場合には、サーバＷに記憶される復号キー情報や第２携帯電話機Ｂ４に記憶される暗号化情報を消去することができる。そのため、第１識別・関連情報のセキュリティー上好ましい。
【０３２１】
次に、第５実施形態の通信システムＳについて説明する。図３８から図４１を参照して、メイン携帯電話機１Ｅ、第１携帯電話機Ａ５及び第２携帯電話機Ｂ５におけるメモリ４４に係る機能構成、並びにメイン携帯電話機１Ｅ、第１携帯電話機Ａ５及び第２携帯電話機Ｂ５おけるＣＰＵ４５に係る機能構成を中心に説明する。本実施形態においては、図２５から図２７に示す第４実施形態と同様の構成を有する点については、説明を省略する。
図３８は、第５実施形態に係るメイン携帯電話機１の機能構成を説明する機能ブロック図である。図３９は、第５実施形態に係る第１携帯電話機Ａ５の機能構成を説明する機能ブロック図である。図４０は、第５実施形態に係る第２携帯電話機Ｂ５の機能構成を説明する機能ブロック図である。
【０３２２】
メイン携帯電話機１Ｅにおいては、図３８に示すように、ＣＰＵ４５の暗号化処理部５２４は、第１携帯電話機Ａ５の第１識別情報を暗号化して第１暗号化情報を生成し、第２携帯電話機Ｂ５の第２関連情報を暗号化して第２暗号化情報を生成する。
【０３２３】
また、メイン携帯電話機１Ｅにおいては、メモリ４４の暗号化情報記憶部５３５は、暗号化処理部５２４において生成された第１暗号化情報及び第２暗号化情報を記憶する。
【０３２４】
また、メイン携帯電話機１Ｅにおいては、メモリ４４の復号キー情報記憶部５３７には、第１暗号化情報を復号する第１復号キーが含まれる第１復号キー情報、及び第２暗号化情報を復号する第２復号キーが含まれる第２復号キー情報が記憶される。
【０３２５】
第１携帯電話機Ａ５においては、図３９に示すように、ＣＰＵ４５Ａは、第１通信端末側復号処理部５４４を有し、メモリ４４Ａは、第１通信端末側暗号化情報記憶部５５１及び第１通信端末側復号キー情報記憶部５５２を有する。
第１通信端末側復号処理部５４４は、第２復号キー情報に基づいて、第２暗号化情報を復号し、第２関連情報を生成する。
第１通信端末側暗号化情報記憶部５５１は、第２暗号化情報を記憶する。
第１通信端末側復号キー情報記憶部５５２は、第１復号キー情報を記憶する。
【０３２６】
第２携帯電話機Ｂ５においては、図４０に示すように、ＣＰＵ４５Ｂは第２通信端末側復号処理部５６１を有し、メモリ４４Ｂは第２通信端末側復号キー情報記憶部５７２を有する。
第２通信端末側復号処理部５６１は、第１復号キー情報に基づいて、第１暗号化情報を復号し、第１識別情報を生成する。
第２通信端末側復号キー情報記憶部５７２は、第２復号キー情報を記憶する。
【０３２７】
第５実施形態の通信システムＳに係る動作について、図４１を参照して説明する。図４１は、第５実施形態の通信システムＳに係る動作を示すシーケンス図である。
第５実施形態の通信システムＳに係る動作におけるＳＴ１０１１からＳＴ１０１５については、それぞれ第２実施形態におけるＳＴ２３１からＳＴ２３５と同様であるため、説明を省略する。
【０３２８】
ステップＳＴ１０１５において、タイマー８０により計測された経過時間が所定時間（例えば、５分）を超えたことにより、第１送信許可部５２３により第１識別・関連情報の第２携帯電話機Ｂ５への送信が不許可とされた場合には、ステップＳＴ１０１６において、暗号化処理部５２４は、第１識別情報を暗号化して第１暗号化情報を生成し、第２関連情報を暗号化して第２暗号化情報を生成する。そして、暗号化処理部５２４は、生成された第１暗号化情報及び第２暗号化情報をメモリ４４の暗号化情報記憶部５３５に記憶させる。
【０３２９】
ステップＳＴ１０１７において、第１通信許可部５３２は、無線通信部２００に対して、暗号化処理部５２４により生成され且つ暗号化情報記憶部５３５に記憶される第１暗号化情報、及び復号キー情報記憶部５３７に記憶される第２復号キー情報を、第２携帯電話機Ｂ５に送信することを許可する。これにより、第１暗号化情報及び第２復号キー情報は、メイン携帯電話機１Ｅの無線通信部２００から第２携帯電話機Ｂ５に送信される。そして、メイン携帯電話機１Ｅから第１暗号化情報及び第２復号キー情報を受信した第２携帯電話機Ｂ５は、第１暗号化情報を第２通信端末側暗号化情報記憶部５７１に記憶し、第２復号キー情報を第２通信端末側復号キー情報記憶部５７２に記憶する。
【０３３０】
第１暗号化情報が第２携帯電話機Ｂ５に送信された後、ステップＳＴ１０１８において、第２報知部５２６は、暗号化された第１識別・関連情報（第１暗号化情報）がユーザＺに送信された旨の情報、及び第１暗号化情報を復号する第１復号キーなどをユーザＺに送信することの許可を要求する旨の情報を、第１携帯電話機Ａ５に対して報知する。
【０３３１】
ステップＳＴ１０１９において、第１送信許可部５２３は、無線通信部２００に対して、暗号化処理部５２４により生成され且つ暗号化情報記憶部５３５に記憶される第２暗号化情報及び復号キー情報記憶部５３７に記憶される第１復号キー情報を、第１携帯電話機Ａ５に送信することを許可する。これにより、第２暗号化情報及び第１復号キー情報は、メイン携帯電話機１Ｅの無線通信部２００から第１携帯電話機Ａ５に送信される。メイン携帯電話機１Ｅから第２暗号化情報及び第１復号キー情報を受信した第１携帯電話機Ａ５は、第２暗号化情報を第１通信端末側暗号化情報記憶部５５１に記憶し、第１復号キー情報を第１通信端末側復号キー情報記憶部５５２に記憶する。
【０３３２】
第１携帯電話機Ａ５（ユーザＸ）においては、暗号化情報送信済報知メールを受信した場合に、第２携帯電話機Ｂ５（ユーザＺ）に第１復号キー情報を送信してもよいとユーザＸが判断したときには、ユーザＸの操作により、第１通信端末側復号キー情報送信許可部５４１は、第１携帯電話機Ａ５の無線通信部２００Ａに対して、復号キー情報記憶部５３７に記憶される第１復号キー情報を第２携帯電話機Ｂ５へ送信させることを許可する。これにより、ステップＳＴ１０２０において、第２携帯電話機Ｂ５には、第１携帯電話機Ａ５の無線通信部２００Ａから第１復号キー情報が送信される。
【０３３３】
第１復号キー情報が第２携帯電話機Ｂ５に受信されると、ステップＳＴ１０２１において、第２通信端末側復号処理部５６１は、第１復号キー情報に基づいて、第１暗号化情報を復号し、第１識別情報を生成する。これにより、第２携帯電話機Ｂ５（ユーザＺ）においては、第１識別情報が得られる。
【０３３４】
第２携帯電話機Ｂ５において、第１暗号化情報を復号し、第１識別情報が生成されると、ステップＳＴ１０２２において、第２通信端末側復号キー情報送信部５６２は、無線通信部２００に対して、第２通信端末側復号キー情報記憶部５７２に記憶された第２復号キー情報を第１携帯電話機Ａ５に送信する。
【０３３５】
第２復号キー情報が第１携帯電話機Ａ５に受信されると、ステップＳＴ１０２３において、第１通信端末側復号処理部５４４は、第２復号キー情報に基づいて、第２暗号化情報を復号し、第２関連情報を生成する。これにより、第１携帯電話機Ａ５（ユーザＸ）においては、第２関連情報が得られる。
【０３３６】
このように、第５実施形態においては、第２暗号化情報及び第１復号キー情報を第１携帯電話機Ａ５（ユーザＸ）に送信し、第１暗号化情報及び第２復号キー情報を第２携帯電話機Ｂ５（ユーザＺ）に送信した後における第１復号キー情報及び第２復号キー情報のやり取りを、メイン携帯電話機１Ｅ（ユーザＹ）が関与することなく、第１携帯電話機Ａ５（ユーザＸ）と第２携帯電話機Ｂ５（ユーザＺ）との間のやり取りによって行うことができる。従って、メイン携帯電話機１Ｅ（ユーザＹ）の負荷が軽減される。
【０３３７】
また、第５実施形態においては、第１携帯電話機Ａ５（ユーザＸ）の識別情報、及び第２携帯電話機Ｂ５（ユーザＺ）の関連情報が暗号化されるために、第１携帯電話機Ａ５（ユーザＸ）と第２携帯電話機Ｂ５（ユーザＺ）のそれぞれについてセキュリティーを確保した状態で情報のやり取りを行うことができる。
【０３３８】
次に、第６実施形態の通信システムＳについて説明する。図４２を参照して、サーバＷ１におけるメモリ４４に係る機能構成及びＣＰＵ４５に係る機能構成を中心に説明する。本実施形態においては、図２２から図２８に示す第４実施形態及びと図３８から図４０に示す第５実施形態と同様の構成を有する点については、説明を省略する。図４２は、第６施形態に係るサーバＷ１の機能構成を説明する機能ブロック図である。
【０３３９】
サーバＷ１においては、図４２に示すように、ＣＰＵ１０１０は、サーバ側復号キー情報送信部１０１１とメモリ１０４０にサーバ側復号キー情報送信部１０１１とを有する。
サーバ側復号キー情報送信部１０１１は、第１復号キー情報を第２携帯電話機Ｂ６に送信し、第１復号キー情報を第２携帯電話機Ｂ６に送信する。
サーバ側復号キー情報送信部１０１１は、第１復号キー情報及び第２復号キー情報を記憶する。
【０３４０】
また、サーバ側判定部１０１２は、サーバ側通信部９６０により、第１復号キー情報及び第２復号キー情報を受信した否かを判定する。
サーバ側消去部１０１３は、サーバ側復号キー情報記憶部１０４１に記憶される第１復号キー情報及び第２復号キー情報を所定の時間経過後に消去する。
【０３４１】
第６実施形態の通信システムＳに係る動作について、図４３を参照して説明する。図４３は、第６実施形態の通信システムに係る動作を示すシーケンス図である。
第６実施形態の通信システムＳに係る動作におけるＳＴ１１１１からＳＴ１１１５については、それぞれ第４実施形態におけるＳＴ７１１からＳＴ７１５と同様であるため、説明を省略する。
【０３４２】
ステップＳＴ１１１５において、タイマー８０により計測された経過時間が所定時間（例えば、５分）を超えたことにより、第１送信許可部５２３により第１識別・関連情報の第２携帯電話機Ｂ６への送信が不許可とされた場合には、ステップＳＴ１１１６において、暗号化処理部５２４は、第１識別情報を暗号化して第１暗号化情報を生成し、第２関連情報を暗号化して第２暗号化情報を生成する。そして、暗号化処理部５２４は、生成された第１暗号化情報及び第２暗号化情報をメモリ４４の暗号化情報記憶部５３５に記憶させる。
【０３４３】
ステップＳＴ１１１７において、第１通信許可部５３２は、無線通信部２００に対して、暗号化処理部５２４により生成され且つ暗号化情報記憶部５３５に記憶される第１暗号化情報、及び復号キー情報記憶部５３７に記憶される第２復号キー情報を、第２携帯電話機Ｂ６に送信することを許可する。これにより、第１暗号化情報及び第２復号キー情報は、メイン携帯電話機１Ｆの無線通信部２００から第２携帯電話機Ｂ６に送信される。そして、メイン携帯電話機１Ｆから第１暗号化情報及び第２復号キー情報を受信した第２携帯電話機Ｂ６は、第１暗号化情報を第２通信端末側暗号化情報記憶部５７１に記憶し、第２復号キー情報を第２通信端末側復号キー情報記憶部５７２に記憶する。
【０３４４】
第１暗号化情報が第２携帯電話機Ｂ６に送信された後、ステップＳＴ１１１８において、第２報知部５２６は、暗号化された第１識別情報（第１暗号化情報）がユーザＺに送信された旨の情報、及び第１暗号化情報を復号する第１復号キーなどをユーザＺに送信することの許可を要求する旨の情報を、第１携帯電話機Ａ６に対して報知する。
【０３４５】
また、ステップＳＴ１０１８において、第１送信許可部５２３は、無線通信部２００に対して、暗号化処理部５２４により生成され且つ暗号化情報記憶部５３５に記憶される第２暗号化情報及び復号キー情報記憶部５３７に記憶される第１復号キー情報を、第１携帯電話機Ａ６に送信することを許可する。これにより、第２暗号化情報及び第１復号キー情報は、メイン携帯電話機１Ｆの無線通信部２００から第１携帯電話機Ａ６に送信される。メイン携帯電話機１Ｆから第２暗号化情報及び第１復号キー情報を受信した第１携帯電話機Ａ６においては、第２暗号化情報を第１通信端末側暗号化情報記憶部５５１に記憶し、第１復号キー情報を第１通信端末側復号キー情報記憶部５５２に記憶する。
【０３４６】
第２暗号化情報及び第１復号情報が記憶された後、第１通信端末側復号キー情報送信許可部５４１は、無線通信部２００Ａに対して、第１通信端末側復号キー情報記憶部５５２に記憶された第１復号キー情報をサーバＷ１に送信を許可する。これにより、ステップＳＴ１１１９において、第１復号キー情報が第１携帯電話機Ａ６の無線通信部２００ＡからサーバＷ１に送信される。
【０３４７】
第１暗号化情報を受信した後、ステップＳＴ１１２０において、第２通信端末側復号キー情報送信部５６２は、無線通信部２００Ｂに対して、第２通信端末側復号キー情報記憶部５７２に記憶された第２復号キー情報をサーバＷ１に送信する。
【０３４８】
ステップＳＴ１１２１において、サーバ側判定部１０１２は、サーバ側通信部９６０により第１要求情報を受信した場合、サーバ側復号キー情報記憶部１０４１に復号キー情報が記憶されているか否かを判定する。サーバ側判定部１０１２によりサーバ側復号キー情報記憶部１０４１に第１復号キー情報及び第２復号キー情報が記憶されている（ＹＥＳ）と判定された場合には、ステップＳＴ１１２２に進む。サーバ側判定部１０１２によりサーバ側復号キー情報記憶部１０４１に復号キー情報が記憶されていない（ＮＯ）と判定された場合には、所定時間後にサーバ側復号キー情報記憶部１０４１に記憶される情報をサーバ側消去部１０１３により削除する。
【０３４９】
サーバ側判定部１０１２によりサーバ側復号キー情報記憶部１０４１に第１復号キー情報及び第２復号キー情報が記憶されている（ＹＥＳ）と判定された場合には、ステップＳＴ１１２２において、サーバ側復号キー情報送信部１０１１は、サーバ側通信部９６０に対し、サーバ側復号キー情報記憶部１０４１に記憶される第１復号キー情報を、第２携帯電話機Ｂ６へ送信させる。
【０３５０】
サーバ側復号キー情報記憶部１０４１に記憶される第１復号キー情報を、第２携帯電話機Ｂ６へ送信させた後に、ステップＳＴ１１２３において、サーバ側復号キー情報送信部１０１１は、サーバ側通信部９６０に対し、サーバ側復号キー情報記憶部１０４１に記憶される第２復号キー情報を、第１携帯電話機Ａ６へ送信させる。
【０３５１】
第１復号キー情報が第２携帯電話機Ｂ６に受信されると、ステップＳＴ１１２４において、第２通信端末側復号処理部５６１は、第１復号キー情報に基づいて、第１暗号化情報を復号し、第１識別情報を生成する。これにより、第２携帯電話機Ｂ６（ユーザＺ）においては、第１識別情報が得られる。
【０３５２】
第２復号キー情報が第１携帯電話機Ａ６に受信されると、ステップＳＴ１１２５において、第１通信端末側復号処理部５４４は、第２復号キー情報に基づいて、第２暗号化情報を復号し、第２関連情報を生成する。これにより、第１携帯電話機Ａ６（ユーザＸ）においては、第２関連情報が得られる。
【０３５３】
このように、第６実施形態においては、第２暗号化情報及び第１復号キー情報を第１携帯電話機Ａ６（ユーザＸ）に送信し、第１暗号化情報及び第２復号キー情報を第２携帯電話機Ｂ６（ユーザＺ）に送信した後における第１復号キー情報及び第２復号キー情報のやり取りを、メイン携帯電話機１Ｆ（ユーザＹ）が関与することなく、サーバＷ１を介した第１携帯電話機Ａ６（ユーザＸ）と第２携帯電話機Ｂ６（ユーザＺ）との間のやり取りによって行うことができる。従って、メイン携帯電話機１Ｆ（ユーザＹ）の負荷が軽減される。
【０３５４】
また、第６実施形態においては、第１携帯電話機Ａ６（ユーザＸ）の識別情報及び第２携帯電話機Ｂ６（ユーザＺ）の関連情報が暗号化されるために、第１携帯電話機Ａ６（ユーザＸ）と第２携帯電話機Ｂ６（ユーザＺ）のそれぞれについてセキュリティーを確保した状態で情報のやり取りを行うことができる。
【０３５５】
なお、上述した各実施形態において、送信される情報（例えば、識別情報、返信要求情報、暗号化情報等）に送信者のアドレス帳情報を付加する（紐付ける）ように構成することができる。この際、付加されるアドレス帳情報は、送信者が他の携帯電話機から取得した識別・関連情報であり、ユーザの携帯電話機の操作では閲覧できない情報として構成されることが好ましい。
【０３５６】
このように構成することにより、通信システムＳにおいては、例えば、メイン携帯電話機１（ユーザＹ）が第１携帯電話機Ａ（ユーザＸ）の識別情報を第２携帯電話機Ｂ（ユーザＺ）に送信しようとする場合に、メイン携帯電話機１（ユーザＹ）からの送信許可情報等にメイン携帯電話機１（ユーザＹ）のアドレス帳情報を付加しておけば、第１携帯電話機Ａ（ユーザＸ）においては、付加されたアドレス帳情報に基づいて、送信許可情報等に含まれる第２携帯電話機Ｂ（ユーザＺ）の情報（例えば、名前等の関連情報）の検索を行うように構成することができる。このため、通信システムＳにおいては、第１携帯電話機ＡのユーザＸに対して、アドレス帳情報の検索結果を用いて、送信を許可するか否かの判断材料を提供することができる。
【０３５７】
また、アドレス帳情報を構成する識別・関連情報については、識別・関連情報を取得（受信）した時期の情報と関連付けることにより、送信者（例えば、メイン携帯電話機１（ユーザＹ））とアドレス帳情報の識別・関連情報に対応した携帯電話機（例えば、第２携帯電話機（ユーザＺ））との関係性をさらに判断する判断材料を提供することができる。
【０３５８】
また、通信システムＳにおいては、各携帯電話機において、識別・関連情報の取得（受信）に際して、識別・関連情報に送信者のアドレス帳情報を付加するように構成してもよい。このように構成することにより、通信システムＳにおいては、例えば、メイン携帯電話機１（ユーザＹ）が、第２携帯電話機Ｂ（ユーザＺ）に対して、第１携帯電話機Ａ（ユーザＸ）の識別・関連情報を送信する場合には、図４４に示すように、メイン携帯電話機１（ユーザＹ）は第１携帯電話機Ａ（ユーザＸ）に対して、送信を許可するための情報に、第２携帯電話機Ｂ（ユーザＺ）の情報とメイン携帯電話機１（ユーザＹ）に加えて、第２携帯電話機Ｂ（ユーザＺ）からの識別・関連情報の受信時に取得した第２携帯電話機Ｂ（ユーザＺ）のアドレス帳情報を付加するように構成することができる。この際、既に取得したアドレス帳情報（例えば、識別・関連情報の受信時に取得したアドレス帳情報）と、新たに取得したアドレス帳情報（例えば、送信許可情報の受信時に取得したアドレス帳情報）とを比較して、アドレス帳情報を更新するように構成することが好ましい。
【０３５９】
このように構成した場合には、第１携帯電話機Ａは、メイン携帯電話機１（ユーザＹ）のアドレス帳に加えて、第２携帯電話機Ｂ（ユーザＺ）のアドレス帳情報において、メイン携帯電話機１（ユーザＹ）と第２携帯電話機Ｂ（ユーザＺ）のアドレス帳情報において、メイン携帯電話機１（ユーザＹ）と第２携帯電話機Ｂ（ユーザＺ）の情報（例えば、名前等の情報）を検索するように構成することができる。このため、通信システムＳにおいては、この検索結果を用いて、メイン携帯電話機１（ユーザＹ）と第２携帯電話機Ｂ（ユーザＺ）の関係性を判断する判断材料をユーザＸに提供することができる。
【０３６０】
以上、好適な実施形態について説明したが、本発明は上述した実施形態に限定されることなく種々の形態で実施することができる。例えば、本実施形態において、通信端末として携帯電話機１について説明しているが、これに限定されず、ＰＨＳ（登録商標；Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ポータブルナビゲーション装置、ノートパソコン等であってもよい。
【０３６１】
また、本実施形態において、連結部４により折り畳み可能な携帯電話機１の説明をしているが、このような折り畳み式ではなく、操作部側筐体２と表示部側筐体３との重ね合わせた状態から一方の筐体を一方向にスライドさせるようにしたスライド式や、操作部側筐体２と表示部側筐体３との重ね合せ方向に沿う軸線を中心に一方の筐体を回転させるようにした回転（ターン）式や、操作部側筐体２と表示部側筐体３とが一つの筐体に配置され連結部を有さない型式（ストレートタイプ）でもよい。また、携帯電話機１は、開閉及び回転可能ないわゆる２軸ヒンジタイプであってもよい。
【０３６２】
前記実施形態においては、メイン携帯電話機と第１携帯電話機との間の通信に、通信網を介在させて通信する第２通信方法により通信を行う第２通信部（無線通信部２００）を用いると共に、メイン携帯電話機と第２携帯電話機との間の通信に、通信網を介在させずに通信する第１通信方法により通信を行う第１通信部（赤外線通信部２０）を用いているが、これに制限されない。
【０３６３】
＜付記＞
［付記１］
通信部と、
第１通信端末に関する第１情報を記憶する第１記憶部と、
前記通信部によって前記第１通信端末とは異なる第２通信端末に送信する情報を作成する情報作成部と、
制御部と、を備え、
前記制御部は、
前記情報作成部により作成された情報が前記第１情報の一部又は全部を含む場合、前記作成された情報の送信を許可するか否かの返信を要求する情報を、前記通信部から前記第１通信端末へ送信させる返信要求部と、
前記第１通信端末から前記作成された情報の送信を許可する許可返信が前記通信部により受信された場合、前記作成された情報を前記通信部から前記第２通信端末に送信させる第１通信許可部と、を備える通信端末。
【０３６４】
［付記２］
前記第１情報には、前記第１通信端末に対応する第１識別情報と、該第１識別情報に関連付けられる第１関連情報と、を含むことを特徴とする付記１に記載の通信端末。
【０３６５】
［付記３］
前記通信部は、通信端末間に通信網を介在させずに通信する第１通信方法により通信を行う第１通信部と、通信端末間に通信網を介在させて通信する第２通信方法により通信を行う第２通信部とを有し、
前記制御部は、前記第１通信端末との通信には、前記第１通信部よりも前記第２通信部を優先的に用いるように制御する付記１又は２に記載の通信端末。
【０３６６】
［付記４］
前記情報作成部は、前記第１記憶部に記憶された前記第１情報から、前記第２通信端末に送信する情報を作成する付記１から３のいずれかに記載の通信端末。
【０３６７】
［付記５］
第１通信方法により通信を行う第１通信部と、
前記第１通信方法とは異なる第２通信方法により通信を行う第２通信部と、
第１通信端末に対応する第１識別情報と前記第１識別情報に関連付けられる第１関連情報とを記憶する第１記憶部と、
前記第１通信部によって前記第１通信端末と異なる第２通信端末に送信する情報を選択する選択部と、
前記選択部により選択された情報が前記第１識別情報及び前記第１関連情報における全部又は一部である場合、前記第２通信部に対して、前記第１識別情報及び前記第１関連情報における全部又は一部の送信を許可するか否かの返信を要求する情報を前記第１識別情報により特定される前記第１通信端末へ送信させる返信要求部と、
前記第２通信部により前記第１通信端末から返信された前記第１識別情報及び前記第１関連情報における全部又は一部の送信を許可する許可返信が受信された場合、前記第１通信部に対して、前記選択部により選択された前記第１識別情報及び前記第１関連情報における全部又は一部を前記第２通信端末に送信することを許可する第１通信許可部と、を備える通信端末。
【０３６８】
［付記６］
前記第２通信部より返信を要求する情報が送信されてからの時間を計測する計時部と、を備え、
前記計時部により計測された時間が所定時間を超えた場合、
前記第１通信許可部は、前記第１識別情報及び前記第１関連情報における全部又は一部の前記第２通信端末への送信を不許可とする付記５に記載の通信端末。
［付記７］
前記計時部により計測された時間が所定時間を超え、前記第１通信許可部により前記第１識別情報及び前記第１関連情報における全部又は一部の前記第２通信端末への送信が不許可とされた場合、
前記第２通信部に対して、前記第１通信許可部による前記第１識別情報及び前記第１関連情報における全部又は一部の前記第２通信端末への送信が不許可になったことを報知させる不許可報知情報を前記第１識別情報によって特定される前記第１通信端末へ送信させる報知部と、を備える付記６に記載の通信端末。
【０３６９】
［付記８］
前記第１通信許可部は、
前記第１識別情報及び前記第１関連情報における全部又は一部の送信を不許可とした後、前記第２通信部により前記許可返信が受信された場合、前記選択部により前記第１識別情報及び前記第１関連情報における全部又は一部が再度選択された際に前記第１識別情報及び前記第１関連情報における全部又は一部を前記第２通信端末に送信することを許可する付記５から７のいずれかに記載の通信端末。
【０３７０】
［付記９］
第１通信方法により通信を行う第１通信部と、
前記第１通信方法とは異なる第２通信方法により通信を行う第２通信部と、
第１通信端末に対応する第１識別情報と前記第１識別情報に関連付けられる第１関連情報とを記憶する第１記憶部と、
第２通信端末に対応する第２識別情報と前記第２識別情報に関連付けられる第２関連情報とを記憶する第２記憶部と、
前記第１通信部によって前記第２通信端末に送信する情報を選択する選択部と、
前記選択部により選択された情報が前記第１識別情報及び前記第１関連情報における全部又は一部である場合、前記第２通信部に対して、前記第１識別情報及び前記第１関連情報における全部又は一部の送信を許可するか否かの返信を要求する情報を前記第１識別情報により特定される前記第１通信端末へ送信させる返信要求部と、
前記第２通信部より返信を要求する情報が送信されてからの時間を計測する計時部と、
前記計時部により計測された時間が所定時間を超えた場合には、前記第１通信部による前記第１識別情報及び前記第１関連情報における全部又は一部の前記第２通信端末への送信を不許可とし、前記計時部により計測された時間が所定時間を超える前に前記第２通信部により前記第１通信端末から返信された前記第１識別情報及び前記第１関連情報における全部又は一部の送信を許可する許可返信が受信された場合には、前記第１通信部による前記第１識別情報及び前記第１関連情報における全部又は一部の前記第２通信端末への送信を許可する第１通信許可部と、
前記計時部により計測された時間が所定時間を超えたことで前記第１通信許可部に前記第１識別情報及び前記第１関連情報における全部又は一部の送信を不許可とされた場合、前記第１識別情報及び前記第１関連情報における全部又は一部を暗号化して暗号化情報を生成する暗号化処理部と、
前記第１通信部に対して、前記暗号化処理部により生成された前記暗号化情報を前記第２識別情報により特定される前記第２通信端末に送信することを許可する第２通信許可部と、を備える通信端末。
【０３７１】
［付記１０］
前記暗号化情報が前記第２通信端末に送信された後、前記第２通信部により前記第１通信端末からの許可返信が受信された場合、前記第２通信部に対して前記暗号化情報を復号する復号キーを含む復号キー情報を送信することを許可する第３通信許可部と、を備える付記９に記載の通信端末。
【０３７２】
［付記１１］
前記復号キー情報は、前記復号キーを前記暗号化情報の復号処理に利用できる回数を制限する利用回数制限情報を含む
付記１０に記載の通信端末。
【０３７３】
［付記１２］
通信部と、
第１通信端末に対応する第１識別情報と前記第１識別情報に関連付けられる第１関連情報とを記憶する第１記憶部と、
第２通信端末に対応する第２識別情報と前記第２識別情報に関連付けられる第２関連情報とを記憶する第２記憶部と、
前記通信部によって前記第２通信端末に送信する情報を選択する選択部と、
前記選択部により選択された情報が前記第１識別情報及び前記第１関連情報における全部又は一部である場合、前記通信部に対して、前記第１識別情報及び前記第１関連情報における全部又は一部の送信を許可するか否かの返信を要求する情報を前記第１識別情報により特定される前記第１通信端末へ送信させる返信要求部と、
前記第２通信部より返信を要求する情報が送信されてからの時間を計測する計時部と、
前記計時部により計測された時間が所定時間を超える前に前記第２通信部により前記第１通信端末から返信された前記第１識別情報及び前記第１関連情報における全部又は一部の送信を許可する許可返信が受信された場合には、前記第１通信部に対して前記選択部により選択された前記第１識別情報及び前記第１関連情報における全部又は一部の送信を許可する第１通信許可部と、
前記計時部により計測された時間が所定時間を超えた場合には、前記第１通信部に対して前記第１識別情報及び前記第１関連情報における全部又は一部の前記第２通信端末への送信を許可すると共に、前記通信部に対して前記第２識別情報及び前記第２関連情報における全部又は一部の前記第１識別情報で特定される前記第１通信端末への送信を許可する第４通信許可部と、を備える通信端末。
【０３７４】
［付記１３］
第１通信方法により通信を行う第１通信部と、
前記第１通信方法とは異なる第２通信方法により通信を行う第２通信部と、
第１通信端末に対応する第１識別情報と前記第１識別情報に関連付けられる第１関連情報とを記憶する第１記憶部と、
第２通信端末に対応する第２識別情報と前記第２識別情報に関連付けられる第２関連情報とを記憶する第２記憶部と、
前記第１通信部によって前記第２通信端末に送信する情報を選択する選択部と、
前記選択部により選択された情報が前記第１識別情報及び前記第１関連情報における全部又は一部である場合、前記第２通信部に対して、前記第１識別情報及び前記第１関連情報における全部又は一部の送信を許可するか否かの返信を要求する情報を前記第１識別情報により特定される前記第１通信端末へ送信させる返信要求部と、
前記第２通信部より返信を要求する情報が送信されてからの時間を計測する計時部と、
前記計時部により計測された時間が所定時間を超える前に前記第２通信部により前記第１通信端末から返信された前記第１識別情報及び前記第１関連情報における全部又は一部の送信を許可する許可返信が受信された場合には、前記第１通信部に対して前記選択部により選択された前記第１識別情報及び前記第１関連情報における全部又は一部の送信を許可する第１通信許可部と、
前記計時部により計測された時間が所定時間を超えた場合には、前記第１通信部に対して前記第１識別情報及び前記第１関連情報における全部又は一部の前記第２通信端末への送信を許可すると共に、前記第２通信部に対して前記第２識別情報及び前記第２関連情報における全部又は一部の前記第１識別情報で特定される前記第１通信端末への送信を許可する第４通信許可部と、を備える通信端末。
【０３７５】
［付記１４］
通信部と、
第１通信端末に対応する第１識別情報と前記第１識別情報に関連付けられる第１関連情報とを記憶する第１記憶部と、
第２通信端末に対応する第２識別情報と前記第２識別情報に関連付けられる第２関連情報とを記憶する第２記憶部と、
前記通信部によって前記第２通信端末に送信する情報を選択する選択部と、
前記選択部により選択された情報が前記第１識別情報及び前記第１関連情報における全部又は一部である場合、前記通信部に対して、前記第１識別情報及び前記第１関連情報における全部又は一部の送信を許可するか否かの返信を要求する情報を前記第１識別情報により特定される前記第１通信端末へ送信させる返信要求部と、
前記通信部より返信を要求する情報が送信されてからの時間を計測する計時部と、
前記通信部により前記第１通信端末から返信された前記第１識別情報及び前記第１関連情報における全部又は一部の送信を許可する許可返信が受信された場合、前記通信部に対して前記選択部により選択された前記第１識別情報及び前記第１関連情報における全部又は一部の送信を許可する第１通信許可部と、
前記計時部により計測された時間が所定時間を超えた場合、前記通信部に対して前記第２識別情報及び前記第２関連情報における全部又は一部を前記第１識別情報で特定される前記第１通信端末に送信することを許可する第５通信許可部と、を備える通信端末。
【０３７６】
［付記１５］
第１通信方法により通信を行う第１通信部と、
前記第１通信方法とは異なる第２通信方法により通信を行う第２通信部と、
第１通信端末に対応する第１識別情報と前記第１識別情報に関連付けられる第１関連情報とを記憶する第１記憶部と、
第２通信端末に対応する第２識別情報と前記第２識別情報に関連付けられる第２関連情報とを記憶する第２記憶部と、
前記第１通信部によって前記第２通信端末に送信する情報を選択する選択部と、
前記選択部により選択された情報が前記第１識別情報及び前記第１関連情報における全部又は一部である場合、前記第２通信部に対して、前記第１識別情報及び前記第１関連情報における全部又は一部の送信を許可するか否かの返信を要求する情報を前記第１識別情報により特定される前記第１通信端末へ送信させる返信要求部と、
前記第２通信部より返信を要求する情報が送信されてからの時間を計測する計時部と、
前記第２通信部により前記第１通信端末から返信された前記第１識別情報及び前記第１関連情報における全部又は一部の送信を許可する許可返信が受信された場合、前記第１通信部に対して前記選択部により選択された前記第１識別情報及び前記第１関連情報における全部又は一部の送信を許可する第１通信許可部と、
前記計時部により計測された時間が所定時間を超えた場合、前記第２通信部に対して前記第２識別情報及び前記第２関連情報における全部又は一部を前記第１識別情報で特定される前記第１通信端末に送信することを許可する第５通信許可部と、を備える通信端末。
【０３７７】
［付記１６］
前記第１関連情報は、送信回数に関する送信回数情報と、送信の制限回数に関する情報を含む制限回数情報を含み、
前記第１通信部及び／又は前記第２通信部は、前記送信回数情報に含まれる送信回数が、前記制限回数に含まれる送信の制限回数以下の場合、前記第１識別情報及び前記第１関連情報の全部又は一部を送信しない付記３、５、６、７、８、９、１０、１１、１３又は１５のいずれかに記載の通信端末。
【０３７８】
［付記１７］
所定の復号キー情報を送信可能な第１通信端末と、
前記第１通信端末に関連する第１識別情報、第１関連情報又は前記第１関連情報を暗号化処理した暗号化情報を前記第１通信端末とは異なる第２通信端末に送信可能なメイン通信端末と、
前記メイン通信端末から送信された前記第１識別情報、前記第１関連情報又は前記暗号化情報を受信可能な第２通信端末と、を備え、
前記メイン通信端末は、
第１通信方法により通信を行う第１通信部と、
前記第１通信方法とは異なる第２通信方法により通信を行う第２通信部と、
前記第１通信端末に対応する前記第１識別情報と前記第１識別情報に関連付けられる前記第１関連情報とを記憶する第１記憶部と、
前記第２通信端末に対応する前記第２識別情報と前記第２識別情報に関連付けられる前記第２関連情報とを記憶する第２記憶部と、
前記第１通信部によって前記第２通信端末に送信する情報を選択する選択部と、
前記選択部により選択された情報が前記第１識別情報及び前記第１関連情報における全部又は一部である場合、前記第２通信部に対して、前記第１識別情報及び前記第１関連情報における全部又は一部の送信を許可するか否かの返信を要求する情報を前記第１識別情報により特定される前記第１通信端末へ送信させる返信要求部と、
前記第２通信部より返信を要求する情報が送信されてからの時間を計測する計時部と、
前記計時部により計測された時間が所定時間を超えた場合には、前記第１通信部による前記第１識別情報及び前記第１関連情報における全部又は一部の前記第２通信端末への送信を不許可とし、前記計時部により計測された時間が所定時間を超える前に前記第２通信部により前記第１通信端末から返信された前記第１識別情報及び前記第１関連情報における全部又は一部の送信を許可する許可返信が受信された場合には、前記第１通信部による前記第１識別情報及び前記第１関連情報における全部又は一部の前記第２通信端末への送信を許可する第１通信許可部と、
前記第１通信許可部に前記第１識別情報及び前記第１関連情報における全部又は一部の送信を不許可とされた場合、前記第１識別情報及び前記第１関連情報における全部又は一部を暗号化して暗号化情報を生成する暗号化処理部と、
前記第１通信部に対して、前記暗号化処理部により生成された前記暗号化情報を前記第２識別情報により特定される前記第２通信端末に送信することを許可する第２通信許可部と、を備える通信システム。
【０３７９】
［付記１８］
前記第２通信端末は、
前記第１通信方法による通信が可能な第２通信端末側第１通信部と、
前記第２通信方法による通信が可能な第２通信端末側第２通信部と、
前記第２通信端末側第１通信部により前記メイン通信端末から送信された前記暗号化情報を受信した場合、前記第２通信端末側第２通信部に対して、前記暗号化情報を復号する復号キーを含む復号キー情報の送信を要求する要求情報を前記第１通信端末へ送信させる復号キー要求部と、を備え、
前記第１通信端末は、
前記第２通信方法による通信が可能な第１通信端末側第２通信部と、
前記暗号化情報を復号する復号キーを含む復号キー情報を記憶する復号キー情報記憶部と、
前記第１通信端末側第２通信部により前記第２通信端末から送信された前記復号キー情報の送信を要求する情報を受信した場合、前記第１通信端末側第２通信部に対して、前記復号キー情報記憶部に記憶される前記復号キー情報を前記第２通信端末へ送信させることを許可可能な第１通信端末側第３通信許可部と、を備える付記１７に記載の通信システム。
【０３８０】
［付記１９］
前記第１通信端末は、
前記第１通信端末側第３通信許可部により前記復号キー情報の前記第２通信端末への送信がされた場合、前記第１通信端末側第２通信部に対し、前記復号キー情報を前記第２通信端末へ送信したことを報知する情報を前記メイン通信端末に送信させる第１通信端末側報知部と、を備える付記１８に記載の通信システム。
【０３８１】
［付記２０］
前記第２通信端末は、
前記メイン通信端末から送信された前記暗号化情報を前記第２通信端末側第１通信部が受信してからの時間を計測する第２通信端末側計時部と、
前記第２通信端末側計時部により計時された時間が所定時間を経過した場合、前記暗号化情報を消去する消去部と、を備える付記１８又は１９に記載の通信端末。
【０３８２】
［付記２１］
第１通信端末と、
前記第１通信端末に関連する第１識別情報及び第１関連情報を前記第１通信端末とは異なる第２通信端末に送信可能なメイン通信端末と、
前記メイン通信端末から送信された前記第１識別情報及び前記第１関連情報を受信可能な第２通信端末と、を備え、
前記メイン通信端末は、
通信部と、
前記第１通信端末に対応する前記第１識別情報と前記第１識別情報に関連付けられる前記第１関連情報とを記憶する第１記憶部と、
前記第２通信端末に対応する前記第２識別情報と前記第２識別情報に関連付けられる前記第２関連情報とを記憶する第２記憶部と、
前記通信部によって前記第２通信端末に送信する情報を選択する選択部と、
前記選択部により選択された情報が前記第１識別情報及び前記第１関連情報における全部又は一部である場合、前記通信部に対して、前記第１識別情報及び前記第１関連情報における全部又は一部の送信を許可するか否かの返信を要求する情報を前記第１識別情報により特定される前記第１通信端末へ送信させる返信要求部と、
前記通信部より返信を要求する情報が送信されてからの時間を計測する計時部と、
前記計時部により計測された時間が所定時間を超える前に前記通信部により前記第１通信端末から返信された前記第１識別情報及び前記第１関連情報における全部又は一部の送信を許可する許可返信が受信された場合には、前記通信部に対して前記選択部により選択された前記第１識別情報及び前記第１関連情報における全部又は一部の送信を許可する第１通信許可部と、
前記計時部により計測された時間が所定時間を超えた場合には、前記通信部に対して前記第１識別情報及び前記第１関連情報における全部又は一部の前記第２通信端末への送信を許可すると共に、前記通信部に対して前記第２識別情報及び前記第２関連情報における全部又は一部の前記第１識別情報で特定される前記第１通信端末への送信を許可する第４通信許可部と、を備える通信システム。
【０３８３】
［付記２２］
第１通信端末と、
前記第１通信端末に関連する第１識別情報及び第１関連情報を前記第１通信端末とは異なる第２通信端末に送信可能なメイン通信端末と、
前記メイン通信端末から送信された前記第１識別情報及び前記第１関連情報を受信可能な第２通信端末と、を備え、
前記メイン通信端末は、
第１通信方法により通信を行う第１通信部と、
前記第１通信方法とは異なる第２通信方法により通信を行う第２通信部と、
前記第１通信端末に対応する前記第１識別情報と前記第１識別情報に関連付けられる前記第１関連情報とを記憶する第１記憶部と、
前記第２通信端末に対応する前記第２識別情報と前記第２識別情報に関連付けられる前記第２関連情報とを記憶する第２記憶部と、
前記第１通信部によって前記第２通信端末に送信する情報を選択する選択部と、
前記選択部により選択された情報が前記第１識別情報及び前記第１関連情報における全部又は一部である場合、前記第２通信部に対して、前記第１識別情報及び前記第１関連情報における全部又は一部の送信を許可するか否かの返信を要求する情報を前記第１識別情報により特定される前記第１通信端末へ送信させる返信要求部と、
前記第２通信部より返信を要求する情報が送信されてからの時間を計測する計時部と、
前記計時部により計測された時間が所定時間を超える前に前記第２通信部により前記第１通信端末から返信された前記第１識別情報及び前記第１関連情報における全部又は一部の送信を許可する許可返信が受信された場合には、前記第１通信部に対して前記選択部により選択された前記第１識別情報及び前記第１関連情報における全部又は一部の送信を許可する第１通信許可部と、
前記計時部により計測された時間が所定時間を超えた場合には、前記第１通信部に対して前記第１識別情報及び前記第１関連情報における全部又は一部の前記第２通信端末への送信を許可すると共に、前記第２通信部に対して前記第２識別情報及び前記第２関連情報における全部又は一部の前記第１識別情報で特定される前記第１通信端末への送信を許可する第４通信許可部と、を備える通信システム。
【０３８４】
［付記２３］
第１通信端末と、
前記第１通信端末に関連する第１識別情報及び第１関連情報を前記第１通信端末とは異なる第２通信端末に送信可能なメイン通信端末と、
前記メイン通信端末から送信された前記第１識別情報及び前記第１関連情報を受信可能な第２通信端末と、を備え、
前記メイン通信端末は、
通信部と、
前記第１通信端末に対応する前記第１識別情報と前記第１識別情報に関連付けられる前記第１関連情報とを記憶する第１記憶部と、
前記第２通信端末に対応する前記第２識別情報と前記第２識別情報に関連付けられる前記第２関連情報とを記憶する第２記憶部と、
前記通信部によって前記第２通信端末に送信する情報を選択する選択部と、
前記選択部により選択された情報が前記第１識別情報及び前記第１関連情報における全部又は一部である場合、前記通信部に対して、前記第１識別情報及び前記第１関連情報における全部又は一部の送信を許可するか否かの返信を要求する情報を前記第１識別情報により特定される前記第１通信端末へ送信させる返信要求部と、
前記通信部より返信を要求する情報が送信されてからの時間を計測する計時部と、
前記通信部により前記第１通信端末から返信された前記第１識別情報及び前記第１関連情報における全部又は一部の送信を許可する許可返信が受信された場合、前記通信部に対して前記選択部により選択された前記第１識別情報及び前記第１関連情報における全部又は一部の送信を許可する第１通信許可部と、
前記計時部により計測された時間が所定時間を超えた場合、前記通信部に対して前記第２識別情報及び前記第２関連情報における全部又は一部を前記第１識別情報で特定される前記第１通信端末に送信することを許可する第５通信許可部と、を備える通信システム。
【０３８５】
［付記２４］
第１通信端末と、
前記第１通信端末に関連する第１識別情報及び第１関連情報を前記第１通信端末とは異なる第２通信端末に送信可能なメイン通信端末と、
前記メイン通信端末から送信された前記第１識別情報及び前記第１関連情報を受信可能な第２通信端末と、を備え、
前記メイン通信端末は、
第１通信方法により通信を行う第１通信部と、
前記第１通信方法とは異なる第２通信方法により通信を行う第２通信部と、
前記第１通信端末に対応する前記第１識別情報と前記第１識別情報に関連付けられる前記第１関連情報とを記憶する第１記憶部と、
前記第２通信端末に対応する前記第２識別情報と前記第２識別情報に関連付けられる前記第２関連情報とを記憶する第２記憶部と、
前記第１通信部によって前記第２通信端末に送信する情報を選択する選択部と、
前記選択部により選択された情報が前記第１識別情報及び前記第１関連情報における全部又は一部である場合、前記第２通信部に対して、前記第１識別情報及び前記第１関連情報における全部又は一部の送信を許可するか否かの返信を要求する情報を前記第１識別情報により特定される前記第１通信端末へ送信させる返信要求部と、
前記第２通信部より返信を要求する情報が送信されてからの時間を計測する計時部と、
前記第２通信部により前記第１通信端末から返信された前記第１識別情報及び前記第１関連情報における全部又は一部の送信を許可する許可返信が受信された場合、前記第１通信部に対して前記選択部により選択された前記第１識別情報及び前記第１関連情報における全部又は一部の送信を許可する第１通信許可部と、
前記計時部により計測された時間が所定時間を超えた場合、前記第２通信部に対して前記第２識別情報及び前記第２関連情報における全部又は一部を前記第１識別情報で特定される前記第１通信端末に送信することを許可する第５通信許可部と、を備える通信システム。
【０３８６】
［付記２５］
前記第１通信端末は、
所定の情報を表示可能な表示部と、
前記第２通信方法により通信を行う第１通信端末側第２通信部と、
複数の通信端末それぞれに対応する複数の第３識別情報と前記複数の第３識別情報それぞれに関連付けられる複数の第３関連情報とを記憶する第３記憶部と、
前記第１通信端末側第２通信部により前記第２識別情報及び前記第２関連情報における全部又は一部が受信された場合、前記第２識別情報及び前記第２関連情報における全部又は一部と前記第３記憶部に記憶される前記第３識別情報及び前記第３関連情報のそれぞれとを比較する比較部と、
前記第３記憶部に記憶される複数の第３識別情報及び前記第３関連情報のうち、前記比較部により前記第２識別情報及び前記第２関連情報における全部又は一部と共通する内容を含む所定の第３識別情報及び前記第３関連情報を抽出する抽出部と、
前記抽出部により抽出された前記所定の第３識別情報及び前記第３関連情報を前記表示部に表示させる表示制御部と、を備える付記２２又は２４に記載の通信システム。
【０３８７】
［付記２６］
復号キー情報を送信可能な第１通信端末と、
前記第１通信端末に関連する第１識別情報及び前記第１識別情報に関連付けられる第１関連情報における全部又は一部を暗号化処理した暗号化情報を前記第１通信端末とは異なる第２通信端末に送信可能なメイン通信端末と、
前記メイン通信端末から送信された前記暗号化情報を受信可能な第２通信端末と、
前記第１通信端末から送信された前記復号キー情報を受信可能であると共に、前記第２通信端末へ前記復号キー情報を送信可能なサーバと、を備え、
前記メイン通信端末は、
第１通信方法により通信を行う第１通信部と、
前記第１通信方法とは異なる第２通信方法により通信を行う第２通信部と、
前記第１通信端末に対応する第１識別情報と前記第１識別情報に関連付けられる第１関連情報とを記憶する第１記憶部と、
前記第２通信端末に対応する第２識別情報と前記第２識別情報に関連付けられる第２関連情報とを記憶する第２記憶部と、
前記第１通信部によって前記第２通信端末に送信する情報を選択する選択部と、
前記選択部により前記第１識別情報及び前記第１関連情報における全部又は一部が選択された場合、前記選択部により選択された前記第１識別情報及び前記第１関連情報における全部又は一部を暗号化して暗号化情報を生成する暗号化処理部と、
前記第１通信部に対して、前記暗号化情報の前記第２通信端末への送信を許可する暗号化情報送信許可部と、
前記第２通信部に対し、前記第１識別情報及び前記第１関連情報における全部又は一部が前記第２通信端末に送信されたことを伝える通知情報と前記第１識別情報と前記第２識別情報とを含む第１通知情報を、前記サーバへ送信させる第１通知情報送信部と、を備え、
前記サーバは、
第２通信方法により通信可能なサーバ側第２通信部と、
前記サーバ側第２通信部により受信された前記第１通知情報に含まれる前記第１識別情報及び前記第２識別情報を記憶するサーバ側第１記憶部と、
前記第１通信端末から送信された前記復号キー情報を記憶可能なサーバ側復号キー情報記憶部と、
前記サーバ側第２通信部により前記第１通知情報が受信された場合、前記サーバ側第２通信部に対して、前記メイン通信端末から前記第２通信端末に前記第１識別情報及び前記第１関連情報における全部又は一部が送信されたことを伝える通知情報と前記サーバ側第１記憶部に記憶される前記第２識別情報とを含む第２通知情報を、前記サーバ側第１記憶部に記憶される前記第１識別情報により特定される前記第１通信端末へ送信させる第２通知情報送信部と、を備え、
前記第１通信端末は、
第２通信方法により通信可能な第１通信端末側第２通信部と、
前記第１識別情報を記憶する第１通信端末側第１記憶部と、
前記第１通信端末側第２通信部により受信された前記第２通知情報に含まれる前記第２識別情報を記憶する第１通信端末側第２記憶部と、
前記復号キー情報を記憶する第１通信端末側復号キー情報記憶部と、を備える通信システム。
【０３８８】
［付記２７］
前記第１通信端末は、
前記第１通信端末側第２通信部により前記第２通知情報が受信された場合、前記第１通信端末側第２通信部に対して、前記第１通信端末側復号キー情報記憶部に記憶される前記復号キー情報を前記サーバへ送信させる第１通信端末側復号キー情報送信部と、を備え、
前記第２通信端末は、
前記第１通信方法により通信を行う第２通信端末側第１通信部と、
前記第１通信方法とは異なる前記第２通信方法により通信を行う第２通信端末側第２通信部と、
前記第２通信端末側第１通信部により受信した前記暗号化情報を記憶する第２通信端末側暗号化情報記憶部と、
前記第２通信端末側第２通信部に対し、前記サーバに前記復号キー情報を要求する第１要求情報を送信させる第２通信端末側復号キー情報要求部と、
前記サーバから送信された前記復号キー情報に含まれる復号キーに基づいて、前記第２通信端末側暗号化情報記憶部に記憶される前記暗号化情報を復号処理する復号処理部と、を備え、
前記サーバは、
前記サーバ側第２通信部により前記第１要求情報を受信した場合、前記サーバ側第２通信部に対し、前記サーバ側復号キー情報記憶部に記憶される前記復号キー情報をサーバ側第１記憶部に記憶される前記第２識別情報により特定される前記第２通信端末へ送信させるサーバ側復号キー情報送信部と、を備える付記２６に記載の通信システム。
【０３８９】
［付記２８］
前記サーバは、
前記サーバ側第２通信部により前記第１要求情報を受信した場合、前記サーバ側復号キー情報記憶部に前記復号キー情報が記憶されているか否かを判定するサーバ側判定部と、
前記サーバ側判定部により前記サーバ側復号キー情報記憶部に前記暗号化情報が記憶されていないと判定された場合、前記サーバ側第２通信部に対して、前記暗号化情報の送信を要求する第２要求情報を前記第１通信端末へ送信させるサーバ側復号キー情報要求部と、を備える付記２７に記載の通信システム。
【０３９０】
［付記２９］
前記サーバは、
前記サーバ側第２通信部により前記復号キー情報が受信された場合、前記サーバ側第２通信部に対して、前記サーバ側復号キー情報記憶部に前記復号キー情報が記憶されていることを通知する第３通知情報を前記サーバ側第１記憶部に記憶された第２識別情報により特定される前記第２通信端末へ送信させる第３通知情報送信部と、を備える付記２８に記載の通信システム。
【０３９１】
［付記３０］
前記サーバは、
前記サーバ側判定部により前記サーバ側復号キー情報記憶部に前記復号キー情報が記憶されていないと判定された場合、前記サーバ側第２通信部に対して、前記サーバ側復号キー情報記憶部に前記復号キー情報が記憶されていないことを通知する第４通知情報を前記サーバ側第１記憶部に記憶された第２識別情報により特定される前記第２通信端末へ送信させる第４通知情報送信部と、を備える付記２８又は２９に記載の通信システム。
【符号の説明】
【０３９２】
１、１Ａ、１Ｂ、１Ｃ、１Ｄ、１Ｅ、１Ｆ  メイン携帯電話機（メイン通信端末）
Ａ、Ａ１、Ａ２、Ａ３、Ａ４、Ａ５、Ａ６  第１携帯電話機（第１通信端末）
Ｂ、Ｂ１、Ｂ２、Ｂ３、Ｂ４、Ｂ５、Ｂ６  第２携帯電話機（第２通信端末）
Ｓ  通信システム
Ｎ  通信網
Ｗ、Ｗ１  サーバ
２０  第１通信部（通信部）
２０Ｂ  第２通信端末側第１通信部
２１、２１Ａ、２１Ｂ  表示部
８０、８０Ａ  タイマー（計時部）
８０Ｂ  タイマー（第２通信端末側計時部）
４５、４５Ａ、４５Ｂ、４５Ｃ、４５Ｄ、４５Ｅ、４５Ｆ  ＣＰＵ（制御部）
１２１、２２１、３２１、４２１、５２１  選択部（情報作成部）
１２２、２２２、３２２、４２２、５２２  返信要求部
１２３、２２３、３２３、４２３、５２３  第１通信許可部、第１送信許可部
１２４  報知部
１３１、２３１、３３１、４３１、５３１  第１識別・関連情報記憶部（第１記憶部）
１３４、２３４、３３４、４３４、５３４  第２識別・関連情報記憶部（第２記憶部）
２００  第２通信部（通信部）
２００Ａ  第１通信端末側第２通信部
２００Ｂ  第２通信端末側第２通信部
２２４、４２４  暗号化処理部
２２５  第２通信許可部
２２７  第３通信許可部
２３６  第３情報記憶部（第３記憶部）
２４１  第１通信端末側第３通信許可部
２４２  第１通信端末側報知部
２５１、４３７、５３７  復号キー情報記憶部
２６２  復号キー要求部
２６３  消去部
３２４  第４通信許可部
３４１  比較部
３４２  抽出部
３４３  表示制御部
４２４  暗号化処理部
４２５  暗号化情報送信許可部
４２６  第１通知情報送信部
４３６  第３情報記憶部（第３記憶部）
４４１  第１通信端末側復号キー情報送信部
４４２、５４２  不許可情報送信部
４５１  第１通信端末側第１記憶部
４５２  第１通信端末側第２記憶部
４５３、５５２  第１通信端末側復号キー情報記憶部
４６２  第２通信端末側復号キー情報要求部
４６１  復号処理部
４６３  第２通信端末側消去部
４７１  第２通信端末側暗号化情報記憶部
５７１  第２通信端末側復号キー情報記憶部
５４４  第１通信端末側復号処理部
５６１  第２通信端末側復号処理部
９１１  第２通知情報送信部
９１２、１０１１  サーバ側復号キー情報送信部
９１３、１０１２  サーバ側判定部
９１４  サーバ側復号キー情報要求部
９１５  第３通知情報送信部
９１６  第４通知情報送信部
９１７  サーバ側消去部
９１８  第１消去指示情報送信部
９４１  サーバ側第１記憶部
９４２  サーバ側第２記憶部
９４３  サーバ側復号キー情報記憶部
９６０  サーバ側第２通信部（サーバ側通信部）
【図１】
2010110451.tif 000003
【図２】
2010110451.tif 000004
【図３】
2010110451.tif 000005
【図４】
2010110451.tif 000006
【図５】
2010110451.tif 000007
【図６】
2010110451.tif 000008
【図７】
2010110451.tif 000009
【図８】
2010110451.tif 000010
【図９】
2010110451.tif 000011
【図１０】
2010110451.tif 000012
【図１１】
2010110451.tif 000013
【図１２】
2010110451.tif 000014
【図１３】
2010110451.tif 000015
【図１４】
2010110451.tif 000016
【図１５】
2010110451.tif 000017
【図１６】
2010110451.tif 000018
【図１７】
2010110451.tif 000019
【図１８】
2010110451.tif 000020
【図１９】
2010110451.tif 000021
【図２０】
2010110451.tif 000022
【図２１】
2010110451.tif 000023
【図２２】
2010110451.tif 000024
【図２３】
2010110451.tif 000025
【図２４】
2010110451.tif 000026
【図２５】
2010110451.tif 000027
【図２６】
2010110451.tif 000028
【図２７】
2010110451.tif 000029
【図２８】
2010110451.tif 000030
【図２９】
2010110451.tif 000031
【図３０】
2010110451.tif 000032
【図３１】
2010110451.tif 000033
【図３２】
2010110451.tif 000034
【図３３】
2010110451.tif 000035
【図３４】
2010110451.tif 000036
【図３５】
2010110451.tif 000037
【図３６】
2010110451.tif 000038
【図３７】
2010110451.tif 000039
【図３８】
2010110451.tif 000040
【図３９】
2010110451.tif 000041
【図４０】
2010110451.tif 000042
【図４１】
2010110451.tif 000043
【図４２】
2010110451.tif 000044
【図４３】
2010110451.tif 000045
【図４４】
2010110451.tif 000046
【手続補正書】
【提出日】平成23年9月26日(2011.9.26)
【手続補正１】
【補正対象書類名】明細書
【補正対象項目名】００９６
【補正方法】変更
【補正の内容】
【００９６】
第２実施形態に係るメイン携帯電話機１Ａにおいては、メモリ４４は、第１識別・関連情報記憶部２３１と、第１選択情報記憶部２３２と、返信要求情報記憶部２３３と、第２識別・関連情報記憶部２３４と、暗号化情報記憶部２３５と、第３記憶部としての第３情報記憶部２３６と、復号キー情報記憶部２３７と、を有する。
第２実施形態における第１識別・関連情報記憶部２３１、第１選択情報記憶部２３２、返信要求情報記憶部２３３及び第２識別・関連情報記憶部２３４は、それぞれ、第１実施形態における第１識別・関連情報記憶部１３１、第１選択情報記憶部１３２、返信要求情報記憶部１３３及び第２識別・関連情報記憶部１３４と同様であるため、説明を省略する。
【手続補正２】
【補正対象書類名】明細書
【補正対象項目名】０１４９
【補正方法】変更
【補正の内容】
【０１４９】
第３実施形態に係るメイン携帯電話機１Ｂにおいては、メモリ４４は、第１識別・関連情報記憶部３３１と、第１選択情報記憶部３３２と、返信要求情報記憶部３３３と、第２識別・関連情報記憶部３３４と、を有する。
第３実施形態における第１識別・関連情報記憶部３３１、第１選択情報記憶部３３２、返信要求情報記憶部３３３及び第２識別・関連情報記憶部３３４は、それぞれ、第１実施形態における第１識別・関連情報記憶部１３１、第１選択情報記憶部１３２、返信要求情報記憶部１３３及び第２識別・関連情報記憶部１３４と同様であるため、説明を省略する。
【手続補正３】
【補正対象書類名】明細書
【補正対象項目名】０２５９
【補正方法】削除
【補正の内容】
【手続補正４】
【補正対象書類名】明細書
【補正対象項目名】０３１４
【補正方法】変更
【補正の内容】
【０３１４】
図３７に示すように、ステップＳＴ９１３において、第２携帯電話機Ｂ４のタイマー８０により、返信要求メール（図３０参照）を送信してからの時間の計測（計時）が開始される。
【手続補正５】
【補正対象書類名】明細書
【補正対象項目名】０３２１
【補正方法】変更
【補正の内容】
【０３２１】
次に、第５実施形態の通信システムＳについて説明する。図３８から図４１を参照して、メイン携帯電話機１Ｅ、第１携帯電話機Ａ５及び第２携帯電話機Ｂ５におけるメモリ４４に係る機能構成、並びにメイン携帯電話機１Ｅ、第１携帯電話機Ａ５及び第２携帯電話機Ｂ５おけるＣＰＵ４５に係る機能構成を中心に説明する。本実施形態においては、図２５から図２７に示す第４実施形態と同様の構成を有する点については、説明を省略する。
図３８は、第５実施形態に係るメイン携帯電話機１Ｅの機能構成を説明する機能ブロック図である。図３９は、第５実施形態に係る第１携帯電話機Ａ５の機能構成を説明する機能ブロック図である。図４０は、第５実施形態に係る第２携帯電話機Ｂ５の機能構成を説明する機能ブロック図である。
【手続補正６】
【補正対象書類名】明細書
【補正対象項目名】０３３９
【補正方法】変更
【補正の内容】
【０３３９】
サーバＷ１においては、図４２に示すように、ＣＰＵ１０１０は、サーバ側復号キー情報送信部１０１１とメモリ１０４０にサーバ側復号キー情報記憶部１０４１とを有する。
サーバ側復号キー情報送信部１０１１は、第１復号キー情報を第２携帯電話機Ｂ６に送信し、第１復号キー情報を第２携帯電話機Ｂ６に送信する。
サーバ側復号キー情報記憶部１０４１は、第１復号キー情報及び第２復号キー情報を記憶する。
【国際調査報告】
2010110451.tif 000047
2010110451.tif 000048
2010110451.tif 000049
2010110451.tif 000050